(57)【要約】【課題】紙製箱用のジッパーや切れ目線の切断構造において、切断後のブランクの切断線の見栄えがよく、また、ジッパーや切れ目線をスムーズに破断することができる切断構造を提供する。【解決手段】ジッパーＡは、複数の切込み１０からなる切れ目線と切込み１０と対称の複数の切込みからなる切れ目線とを有し、切込み１０は、直線部１２と、曲線部１４と、曲線部１６と、延伸部１８とを有し、端部ｍ１１が、接触点ｍ１４と端部ｍ１５を通る仮想直線１０Ｅ上に位置し、直線部１２は、仮想直線１０Ｅの方向に対して傾斜して形成され、曲線部１４、１６は円弧状又は楕円弧状に形成されている。角度α１２は９０度よりも大きく形成され、α１１は、４５度よりも小さく形成されている。切断構造としての切れ目線は、複数の切込み１０からなる切れ目線と切込み１０と対称な複数の切込みからなる切れ目線のいずれか一方により構成される。【選択図】図３
2018203325.tif 000002
【特許請求の範囲】
【請求項１】
シート状の紙製ブランクにより形成された紙製箱に用いる紙製箱用ジッパーであって、
第１切れ目線と第２切れ目線とを有し、
ジッパー開封方向が直線状であり、
第１切れ目線が、複数の第１切込み（１０）を間隔を介して列状に配設してなり、
第２切れ目線が、複数の第２切込み（２０）を間隔を介して列状に配設してなり、
第１切込みと第２切込みのそれぞれが、
直線部（１２、２２）と、直線部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）と、第２曲線部の第２接触点とは反対側の端部である第３接触点（ｍ１４、ｍ２４）から形成された延伸部（１８、２８）を有し、
第１切込みと第２切込みのそれぞれにおいて、
直線部が、直線部の他方の端部である第１端部（ｍ１１、ｍ２１）と第１接触点間に直線状に形成され、第１曲線部が、第１接触点と第２接触点間に曲線状に形成され、第２曲線部が、第２接触点と第３接触点間に曲線状に形成され、延伸部が、第３接触点と延伸部の第３接触点とは反対側の端部である第２端部（ｍ１５、ｍ２５）間に直線状に形成され、
延伸部がジッパー開封方向に形成され、
第１端部が、ジッパー開封方向の仮想直線で第３接触点と第２端部を通る仮想直線（１０Ｅ、２０Ｅ）上に位置し、
直線部は、第１端部が第１接触点よりもジッパー開封方向において前側に位置するように仮想直線の方向に対して傾斜して形成され、
第１曲線部が、第１接触点から直線部の方向に対する曲がり方向においてジッパー開封方向の側に曲がる曲がり方向に形成され、第２曲線部が、第２接触点から第１曲線部の曲がり方向とは逆の曲がり方向に形成され、
第１接触点は、第２接触点よりもジッパー開封方向において前側に位置し、第２接触点は、第３接触点よりもジッパー開封方向において前側に位置し、
第２切れ目線が、第１切れ目線との間の中心線を介して対称形状に形成され、複数の第１切込みと複数の第２切込みにおける互いに対応する第１切込みと第２切込みは、第１接触点が第１端部よりも外側にある状態で第１切込みと第２切込みが互いに対向するように、該中心線を介して対称形状に形成されていることを特徴とする紙製箱用ジッパー。
【請求項２】
第１曲線部と第２曲線部が、円弧状又は楕円弧状に形成されていることを特徴とする請求項１に記載の紙製箱用ジッパー。
【請求項３】
直線部の第１接触点からの延長線（１２Ｅ、２２Ｅ）と第１曲線部の第２接触点における接線（１２Ｅ、２２Ｅ）との間の角度で、第１曲線部側の角度（α１２、α２２）が、９０度よりも大きく形成されていることを特徴とする請求項１又は２に記載の紙製箱用ジッパー。
【請求項４】
直線部と仮想直線との間の鋭角の角度が、４５度よりも小さいことを特徴とする請求項１又は２又は３に記載の紙製箱用ジッパー。
【請求項５】
第１切込みと第２切込みのそれぞれにおいて、第１端部から第３接触点までの範囲において、第１曲線部のジッパー開封方向に沿った長さ（Ｌ１２、Ｌ２２）と第２曲線部のジッパー開封方向に沿った長さ（Ｌ１３、Ｌ２３）の和が、直線部のジッパー開封方向に沿った長さ（Ｌ１１、Ｌ２１）よりも長いことを特徴とする請求項１又は２又は３又は４に記載の紙製箱用ジッパー。
【請求項６】
シート状の紙製ブランクにより形成された紙製箱に用いる紙製箱用切れ目線であって、
切れ目線開封方向が直線状であり、
紙製箱用切れ目線が、複数の切込み（１０、２０）を間隔を介して列状に配設してなり、
切込みが、
直線部（１２、２２）と、直線部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）と、第２曲線部の第２接触点とは反対側の端部である第３接触点（ｍ１４、ｍ２４）から形成された延伸部（１８、２８）を有し、
直線部が、直線部の他方の端部である第１端部（ｍ１１、ｍ２１）と第１接触点間に直線状に形成され、第１曲線部が、第１接触点と第２接触点間に曲線状に形成され、第２曲線部が、第２接触点と第３接触点間に円弧状又は曲線状に形成され、延伸部が、第３接触点と延伸部の第３接触点とは反対側の端部である第２端部（ｍ１５、ｍ２５）間に直線状に形成され、
延伸部が切れ目線開封方向に形成され、
第１端部が、切れ目線開封方向の仮想直線で第３接触点と第２端部を通る仮想直線（１０Ｅ、２０Ｅ）上に位置し、
直線部は、第１端部が第１接触点よりも切れ目線開封方向において前側に位置するように仮想直線の方向に対して傾斜して形成され、
第１曲線部が、第１接触点から直線部の方向に対する曲がり方向において切れ目線開封方向の側に曲がる曲がり方向に形成され、第２曲線部が、第２接触点から第１曲線部の曲がり方向とは逆の曲がり方向に形成され、
第１接触点は、第２接触点よりも切れ目線開封方向において前側に位置し、第２接触点は、第３接触点よりも切れ目線開封方向において前側に位置することを特徴とする紙製箱用切れ目線。
【請求項７】
第１曲線部と第２曲線部が、円弧状又は楕円弧状に形成されていることを特徴とする請求項６に記載の紙製箱用切れ目線。
【請求項８】
直線部の第１接触点からの延長線（１２Ｅ、２２Ｅ）と第１曲線部の第２接触点における接線（１２Ｅ、２２Ｅ）との間の角度で、第１曲線部側の角度（α１２、α２２）が、９０度よりも大きく形成されていることを特徴とする請求項６又は７に記載の紙製箱用切れ目線。
【請求項９】
直線部と仮想直線との間の鋭角の角度が、４５度よりも小さいことを特徴とする請求項６又は７又は８に記載の紙製箱用切れ目線。
【請求項１０】
第１端部から第３接触点までの範囲において、第１曲線部の切れ目線開封方向に沿った長さ（Ｌ１２、Ｌ２２）と第２曲線部の切れ目線開封方向に沿った長さ（Ｌ１３、Ｌ２３）の和が、直線部の切れ目線開封方向に沿った長さ（Ｌ１１、Ｌ２１）よりも長いことを特徴とする請求項６又は７又は８又は９に記載の紙製箱用切れ目線。
【請求項１１】
シート状の紙製ブランクにより形成された紙製箱に用いる紙製箱用ジッパーであって、
第１切れ目線と第２切れ目線とを有し、
ジッパー開封方向が曲線状であり、
第１切れ目線が、複数の第１切込み（１０）を間隔を介して列状に配設してなり、
第２切れ目線が、複数の第２切込み（２０）を間隔を介して列状に配設してなり、
第１切込みと第２切込みのそれぞれが、
直線部（１２、２２）と、直線部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）と、第２曲線部の第２接触点とは反対側の端部である第３接触点（ｍ１４、ｍ２４）から形成された延伸部（１８、２８）を有し、
第１切込みと第２切込みのそれぞれにおいて、
直線部が、直線部の他方の端部である第１端部（ｍ１１、ｍ２１）と第１接触点間に直線状に形成され、第１曲線部が、第１接触点と第２接触点間に曲線状に形成され、第２曲線部が、第２接触点と第３接触点間に曲線状に形成され、延伸部が、第３接触点と延伸部の第３接触点とは反対側の端部である第２端部（ｍ１５、ｍ２５）間に曲線状に形成され、
延伸部がジッパー開封方向に形成され、
第１端部が、ジッパー開封方向の仮想曲線で第３接触点と第２端部を通る仮想曲線（１１Ｅ、２１Ｅ）上に位置し、
直線部は、第１端部が第１接触点よりもジッパー開封方向において前側に位置するように、第１端部における仮想曲線の接線（１５Ｅ、２５Ｅ）に対して傾斜して形成され、
第１曲線部が、第１接触点から直線部の方向に対する曲がり方向においてジッパー開封方向の側に曲がる曲がり方向に形成され、第２曲線部が、第２接触点から第１曲線部の曲がり方向とは逆の曲がり方向に形成され、
第１接触点は、第２接触点よりもジッパー開封方向において前側に位置し、第２接触点は、第３接触点よりもジッパー開封方向において前側に位置し、
複数の第１切込みと複数の第２切込みにおける互いに対応する第１切込みと第２切込みは、第１接触点が第１端部よりも外側にある状態で、互いに対向していることを特徴とする紙製箱用ジッパー。
【請求項１２】
第１曲線部と第２曲線部が、円弧状又は楕円弧状に形成されていることを特徴とする請求項１１に記載の紙製箱用ジッパー。
【請求項１３】
直線部の第１接触点からの延長線（１２Ｅ、２２Ｅ）と第１曲線部の第２接触点における接線（１２Ｅ、２２Ｅ）との間の角度で、第１曲線部側の角度（α１２、α２２）が、９０度よりも大きく形成されていることを特徴とする請求項１１又は１２に記載の紙製箱用ジッパー。
【請求項１４】
直線部と第１端部における仮想曲線の接線（１５Ｅ、２５Ｅ）との間の鋭角の角度が、４５度よりも小さいことを特徴とする請求項１１又は１２又は１３に記載の紙製箱用ジッパー。
【請求項１５】
第１切込みと第２切込みのそれぞれにおいて、第１端部から第３接触点までの範囲において、第１曲線部のジッパー開封方向に沿った長さ（Ｌ１２、Ｌ２２）と第２曲線部のジッパー開封方向に沿った長さ（Ｌ１３、Ｌ２３）の和が、直線部のジッパー開封方向に沿った長さ（Ｌ１１、Ｌ２１）よりも長いことを特徴とする請求項１１又は１２又は１３又は１４に記載の紙製箱用ジッパー。
【請求項１６】
シート状の紙製ブランクにより形成された紙製箱に用いる紙製箱用切れ目線であって、
切れ目線開封方向が曲線状であり、
該紙製箱用切れ目線が、複数の切込み（１０、２０）を間隔を介して列状に配設してなり、
切込みが、
直線部（１２、２２）と、直線部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）と、第２曲線部の第２接触点とは反対側の端部である第３接触点（ｍ１４、ｍ２４）から形成された延伸部（１８、２８）を有し、
直線部が、直線部の他方の端部である第１端部（ｍ１１、ｍ２１）と第１接触点間に直線状に形成され、第１曲線部が、第１接触点と第２接触点間に曲線状に形成され、第２曲線部が、第２接触点と第３接触点間に曲線状に形成され、延伸部が、第３接触点と延伸部の第３接触点とは反対側の端部である第２端部（ｍ１５、ｍ２５）間に曲線状に形成され、
延伸部が切れ目線開封方向に形成され、
第１端部が、切れ目線開封方向の仮想曲線で第３接触点と第２端部を通る仮想曲線（１１Ｅ、２１Ｅ）上に位置し、
直線部は、第１端部が第１接触点よりも切れ目線開封方向において前側に位置するように、第１端部における仮想曲線の接線（１５Ｅ、２５Ｅ）に対して傾斜して形成され、
第１曲線部が、第１接触点から直線部の方向に対する曲がり方向において切れ目線開封方向の側に曲がる曲がり方向に形成され、第２曲線部が、第２接触点から第１曲線部の曲がり方向とは逆の曲がり方向に形成され、
第１接触点は、第２接触点よりも切れ目線開封方向において前側に位置し、第２接触点は、第３接触点よりも切れ目線開封方向において前側に位置することを特徴とする紙製箱用切れ目線。
【請求項１７】
第１曲線部と第２曲線部が、円弧状又は楕円弧状に形成されていることを特徴とする請求項１６に記載の紙製箱用切れ目線。
【請求項１８】
直線部の第１接触点からの延長線（１２Ｅ、２２Ｅ）と第１曲線部の第２接触点における接線（１２Ｅ、２２Ｅ）との間の角度で、第１曲線部側の角度（α１２、α２２）が、９０度よりも大きく形成されていることを特徴とする請求項１６又は１７に記載の紙製箱用切れ目線。
【請求項１９】
直線部と第１端部における仮想曲線の接線（１５Ｅ、２５Ｅ）との間の鋭角の角度が、４５度よりも小さいことを特徴とする請求項１６又は１７又は１８に記載の紙製箱用切れ目線。
【請求項２０】
第１端部から第３接触点までの範囲において、第１曲線部の切れ目線開封方向に沿った長さ（Ｌ１２、Ｌ２２）と第２曲線部の切れ目線開封方向に沿った長さ（Ｌ１３、Ｌ２３）の和が、直線部の切れ目線開封方向に沿った長さ（Ｌ１１、Ｌ２１）よりも長いことを特徴とする請求項１６又は１７又は１８又は１９に記載の紙製箱用切れ目線。
【請求項２１】
シート状の紙製ブランクにより形成された紙製箱に用いる紙製箱用ジッパーであって、
第１切れ目線と第２切れ目線とを有し、
ジッパー開封方向が直線状であり、
第１切れ目線が、複数の第１切込み（１０）を間隔を介して列状に配設してなり、
第２切れ目線が、複数の第２切込み（２０）を間隔を介して列状に配設してなり、
第１切込みと第２切込みのそれぞれが、
第１直線部（１２、２２）と、第１直線部の一方の端部である第１接触点（ｍ１２、ｍ２２）から形成された第１曲線部（１４、２４）と、第１曲線部の第１接触点とは反対側の端部である第２接触点（ｍ１３−１、ｍ２３−１）から形成された第２直線部（１５、２５）と、第２直線部の第２接触点とは反対側の端部である第３接触点（ｍ１３−２、ｍ２３−２）から形成された第２曲線部（１６、２６）と、第２曲線部の第３接触点とは反対側の端部である第４接触点（ｍ１４、ｍ２４）から形成された延伸部（１８、２８）を有し、
第１切込みと第２切込みのそれぞれにおいて、
第１直線部が、第１直線部の他方の端部である第１端部（ｍ１１、ｍ２１）と第１接触点間に直線状に形成され、第１曲線部が、第１接触点と第２接触点間に曲線状に形成され、第２直線部が、第２接触点と第３接触点間に直線状に形成され、第２曲線部が、第３接触点と第４接触点間に曲線状に形成され、延伸部が、第３接触点と延伸部の第４接触点とは反対側の端部である第２端部（ｍ１５、ｍ２５）間に直線状に形成され、
延伸部がジッパー開封方向に形成され、
第１端部が、ジッパー開封方向の仮想直線で第４接触点と第２端部を通る仮想直線（１０Ｅ、２０Ｅ）上に位置し、
第１直線部は、第１端部が第１接触点よりもジッパー開封方向において前側に位置するように仮想直線の方向に対して傾斜して形成され、
第１曲線部が、第１接触点から第１直線部の方向に対する曲がり方向においてジッパー開封方向の側に曲がる曲がり方向に形成され、
第２直線部は、第２接触点が第３接触点よりもジッパー開封方向において前側に位置するとともに、第２接触点から仮想直線までの長さが第３接触点から仮想直線までの長さよりも長いように、仮想直線の方向に対して傾斜して形成され、
第２曲線部が、第３接触点から第１曲線部の曲がり方向とは逆の曲がり方向に形成され、
第１接触点は、第２接触点よりもジッパー開封方向において前側に位置し、第３接触点は、第４接触点よりもジッパー開封方向において前側に位置し、
第２切れ目線が、第１切れ目線との間の中心線を介して対称形状に形成され、複数の第１切込みと複数の第２切込みにおける互いに対応する第１切込みと第２切込みは、第１接触点が第１端部よりも外側にある状態で第１切込みと第２切込みが互いに対向するように、該中心線を介して対称形状に形成されていることを特徴とする紙製箱用ジッパー。
【請求項２２】
シート状の紙製ブランクにより形成された紙製箱に用いる紙製箱用切れ目線であって、
切れ目線開封方向が直線状であり、
紙製箱用切れ目線が、複数の切込み（１０、２０）を間隔を介して列状に配設してなり、
切込みが、
第１直線部（１２、２２）と、第１直線部の一方の端部である第１接触点（ｍ１２、ｍ２２）から形成された第１曲線部（１４、２４）と、第１曲線部の第１接触点とは反対側の端部である第２接触点（ｍ１３−１、ｍ２３−１）から形成された第２直線部（１５、２５）と、第２直線部の第２接触点とは反対側の端部である第３接触点（ｍ１３−２、ｍ２３−２）から形成された第２曲線部（１６、２６）と、第２曲線部の第３接触点とは反対側の端部である第４接触点（ｍ１４、ｍ２４）から形成された延伸部（１８、２８）を有し、
第１切込みと第２切込みのそれぞれにおいて、
第１直線部が、第１直線部の他方の端部である第１端部（ｍ１１、ｍ２１）と第１接触点間に直線状に形成され、第１曲線部が、第１接触点と第２接触点間に曲線状に形成され、第２直線部が、第２接触点と第３接触点間に直線状に形成され、第２曲線部が、第３接触点と第４接触点間に曲線状に形成され、延伸部が、第３接触点と延伸部の第４接触点とは反対側の端部である第２端部（ｍ１５、ｍ２５）間に直線状に形成され、
延伸部が切れ目線開封方向に形成され、
第１端部が、切れ目線開封方向の仮想直線で第４接触点と第２端部を通る仮想直線（１０Ｅ、２０Ｅ）上に位置し、
第１直線部は、第１端部が第１接触点よりも切れ目線開封方向において前側に位置するように仮想直線の方向に対して傾斜して形成され、
第１曲線部が、第１接触点から第１直線部の方向に対する曲がり方向において切れ目線開封方向の側に曲がる曲がり方向に形成され、
第２直線部は、第２接触点が第３接触点よりも切れ目線開封方向において前側に位置するとともに、第２接触点から仮想直線までの長さが第３接触点から仮想直線までの長さよりも長いように、仮想直線の方向に対して傾斜して形成され、
第２曲線部が、第３接触点から第１曲線部の曲がり方向とは逆の曲がり方向に形成され、
第１接触点は、第２接触点よりも切れ目線開封方向において前側に位置し、第３接触点は、第４接触点よりも切れ目線開封方向において前側に位置することを特徴とする紙製箱用切れ目線。
【請求項２３】
シート状の紙製ブランクにより形成された紙製箱に用いる紙製箱用ジッパーであって、
第１切れ目線と第２切れ目線とを有し、
ジッパー開封方向が曲線状であり、
第１切れ目線が、複数の第１切込み（１０）を間隔を介して列状に配設してなり、
第２切れ目線が、複数の第２切込み（２０）を間隔を介して列状に配設してなり、
第１切込みと第２切込みのそれぞれが、
第１直線部（１２、２２）と、第１直線部の一方の端部である第１接触点（ｍ１２、ｍ２２）から形成された第１曲線部（１４、２４）と、第１曲線部の第１接触点とは反対側の端部である第２接触点（ｍ１３−１、ｍ２３−１）から形成された第２直線部（１５、２５）と、第２直線部の第２接触点とは反対側の端部である第３接触点（ｍ１３−２、ｍ２３−２）から形成された第２曲線部（１６、２６）と、第２曲線部の第３接触点とは反対側の端部である第４接触点（ｍ１４、ｍ２４）から形成された延伸部（１８、２８）を有し、
第１切込みと第２切込みのそれぞれにおいて、
第１直線部が、第１直線部の他方の端部である第１端部（ｍ１１、ｍ２１）と第１接触点間に直線状に形成され、第１曲線部が、第１接触点と第２接触点間に曲線状に形成され、第２直線部が、第２接触点と第３接触点間に直線状に形成され、第２曲線部が、第３接触点と第４接触点間に曲線状に形成され、延伸部が、第３接触点と延伸部の第４接触点とは反対側の端部である第２端部（ｍ１５、ｍ２５）間に直線状に形成され、
延伸部がジッパー開封方向に形成され、
第１端部が、ジッパー開封方向の仮想曲線で第４接触点と第２端部を通る仮想曲線（１１Ｅ、２１Ｅ）上に位置し、
第１直線部は、第１端部が第１接触点よりもジッパー開封方向において前側に位置するように、第１端部における仮想曲線の接線（１５Ｅ、２５Ｅ）に対して傾斜して形成され、
第１曲線部が、第１接触点から第１直線部の方向に対する曲がり方向においてジッパー開封方向の側に曲がる曲がり方向に形成され、
第２直線部は、第２接触点が第３接触点よりもジッパー開封方向において前側に位置するとともに、第２接触点から仮想曲線までの長さが第３接触点から仮想曲線までの長さよりも長く形成され、
第２曲線部が、第３接触点から第１曲線部の曲がり方向とは逆の曲がり方向に形成され、
第１接触点は、第２接触点よりもジッパー開封方向において前側に位置し、第３接触点は、第４接触点よりもジッパー開封方向において前側に位置し、
複数の第１切込みと複数の第２切込みにおける互いに対応する第１切込みと第２切込みは、第１接触点が第１端部よりも外側にある状態で、互いに対向していることを特徴とする紙製箱用ジッパー。
【請求項２４】
シート状の紙製ブランクにより形成された紙製箱に用いる紙製箱用切れ目線であって、
切れ目線開封方向が曲線状であり、
該紙製箱用切れ目線が、複数の切込み（１０、２０）を間隔を介して列状に配設してなり、
切込みが、
第１直線部（１２、２２）と、第１直線部の一方の端部である第１接触点（ｍ１２、ｍ２２）から形成された第１曲線部（１４、２４）と、第１曲線部の第１接触点とは反対側の端部である第２接触点（ｍ１３−１、ｍ２３−１）から形成された第２直線部（１５、２５）と、第２直線部の第２接触点とは反対側の端部である第３接触点（ｍ１３−２、ｍ２３−２）から形成された第２曲線部（１６、２６）と、第２曲線部の第３接触点とは反対側の端部である第４接触点（ｍ１４、ｍ２４）から形成された延伸部（１８、２８）を有し、
第１直線部が、第１直線部の他方の端部である第１端部（ｍ１１、ｍ２１）と第１接触点間に直線状に形成され、第１曲線部が、第１接触点と第２接触点間に曲線状に形成され、第２直線部が、第２接触点と第３接触点間に直線状に形成され、第２曲線部が、第３接触点と第４接触点間に曲線状に形成され、延伸部が、第３接触点と延伸部の第４接触点とは反対側の端部である第２端部（ｍ１５、ｍ２５）間に直線状に形成され、
延伸部が切れ目線開封方向に形成され、
第１端部が、切れ目線開封方向の仮想曲線で第４接触点と第２端部を通る仮想曲線（１１Ｅ、２１Ｅ）上に位置し、
第１直線部は、第１端部が第１接触点よりも切れ目線開封方向において前側に位置するように、第１端部における仮想曲線の接線（１５Ｅ、２５Ｅ）に対して傾斜して形成され、
第１曲線部が、第１接触点から第１直線部の方向に対する曲がり方向において切れ目線開封方向の側に曲がる曲がり方向に形成され、
第２直線部は、第２接触点が第３接触点よりも切れ目線開封方向において前側に位置するとともに、第２接触点から仮想曲線までの長さが第３接触点から仮想曲線までの長さよりも長く形成され、
第２曲線部が、第３接触点から第１曲線部の曲がり方向とは逆の曲がり方向に形成され、
第１接触点は、第２接触点よりも切れ目線開封方向において前側に位置し、第３接触点は、第４接触点よりも切れ目線開封方向において前側に位置することを特徴とする紙製箱用切れ目線。
【発明の詳細な説明】
【技術分野】
【０００１】
本発明は、段ボール箱等の紙製箱用の切断構造に関するものであり、紙製箱用のジッパーや切れ目線に関するものである。
【背景技術】
【０００２】
従来より、紙製箱用のジッパーの形状としては、図４２に示す形状のものが広く知られている。
【０００３】
すなわち、図４２に示すジッパーＵは、互いに平行に２列に形成された切れ目線Ｕ１、Ｕ２と、開封開始位置の片部５３０を形成するための切込みＵ３とを有している。ジッパーＵは、紙製箱を構成するシート状のブランク（例えば、段ボールや厚紙）に形成されている。
【０００４】
ここで、切れ目線Ｕ１は、複数の切込み５１０を間隔を介して一列に配設したもので、各切込み５１０は、開封方向（Ｘ１−Ｘ２方向）に形成された直線部５１２と、直線部５１２の開封方向前側（Ｘ１側）の端部から内側に向けて傾斜して直線状に形成された傾斜部５１４とを有し、直線部５１２と傾斜部５１４のなす内側の角度α５１０が鈍角となっている。各切込み５１０において、直線部５１２は同一直線上に形成されている。
【０００５】
また、切れ目線Ｕ２は、複数の切込み５２０を間隔を介して一列に配設したもので、各切込み５２０は、開封方向に形成された直線部５２２と、直線部５２２のＸ１側の端部から内側に向けて傾斜して直線状に形成された傾斜部５２４とを有し、直線部５２２と傾斜部５２４のなす内側の角度α５２０が鈍角となっている。各切込み５２０において、直線部５２２は同一直線上に形成されている。
【０００６】
切れ目線Ｕ１と切れ目線Ｕ２とは切れ目線Ｕ１と切れ目線Ｕ２間の開封方向の中心線Ｕｈを介して線対称に形成されていて、切込み５１０と切込み５２０とは互いに対向して形成されている。
【０００７】
また、切込みＵ３は、略コ字状を呈し、Ｘ２側に開口した略コ字状を呈している。つまり、切込みＵ３は、直線部５１２の延長線上に形成された直線状の切込み５３２と、直線部５２２の延長線上に形成された直線状の切込み５３４と、切込み５３２と切込み５３４のＸ１側の端部間を結び、該中心線Ｕｈに対して直角をなす切込み５３６とを有している。この切込みＵ３により囲まれた領域（つまり、切込みＵ３と、切込み５３２のＸ２側の端部と切込み５３４のＸ２側の端部とを結ぶ直線により囲まれた領域）が、片部５３０となる。
【０００８】
つまり、ジッパーＵにおいては、片部５３０を起こして手でつかみ、Ｘ２方向に引っぱることにより、切れ目線Ｕ１と切れ目線Ｕ２間の帯状部５４０が引っ張られ、隣接する切込み５１０間の隙間と隣接する切込み５２０間の隙間が破れてジッパーＵがブランクから分離する。
【０００９】
また、特許文献１に示すカートン用のジッパーの形状として、図４４に示す形状のものも知られている。
【００１０】
すなわち、図４４に示すジッパーＶは、互いに平行に２列に形成された切れ目線Ｖ１、Ｖ２と、開封開始位置の片部６３０を形成するための切込みＶ３とを有している。ジッパーＶは、カートンを構成するシート状のブランク（例えば、段ボールや厚紙）に形成されている。
【００１１】
ここで、切れ目線Ｖ１は、複数の切込み６１０を間隔を介して一列に配設したもので、各切込み６１０は、Ｙ字状を呈している。つまり、切込み６１０は、開封方向（Ｘ１−Ｘ２方向）に形成された直線部６１２と、直線部６１２の開封方向前側（Ｘ１側）の端部から外側に向けて傾斜して直線状に形成された傾斜部６１４と、直線部６１２のＸ１側の端部から内側に向けて傾斜して直線状に形成された傾斜部６１６と、を有し、直線部６１２と傾斜部６１４のなす角度α６１４と、直線部６１２と傾斜部６１６のなす角度α６１６とが鈍角となっている。
【００１２】
また、切れ目線Ｖ２は、複数の切込み６２０を間隔を介して一列に配設したもので、各切込み６２０は、Ｙ字状を呈している。つまり、切込み６２０は、開封方向（Ｘ１−Ｘ２方向）に形成された直線部６２２と、直線部６２２の開封方向前側（Ｘ１側）の端部から外側に向けて傾斜して直線状に形成された傾斜部６２４と、直線部６２２のＸ１側の端部から内側に向けて傾斜して直線状に形成された傾斜部６２６と、を有し、直線部６２２と傾斜部６２４のなす角度α６２４と、直線部６２２と傾斜部６２６のなす角度α６２６とが鈍角となっている。
【００１３】
また、切込みＶ３は、略コ字状を呈し、Ｘ２側に開口した略コ字状を呈している。つまり、切込みＶ３は、直線部６１２の延長線上に形成された直線状の切込み６３２と、直線部６２２の延長線上に形成された直線状の切込み６３４と、切込み６３２と切込み６３４のＸ１側の端部間を結び、該中心線Ｖｈに対して直角をなす切込み６３６とを有している。この切込みＶ３により囲まれた領域（つまり、切込みＶ３と、切込み６３２のＸ２側の端部と切込み６３４のＸ２側の端部とを結ぶ直線により囲まれた領域）が、片部６３０となる。
【００１４】
つまり、ジッパーＶにおいては、片部６３０を起こして手でつかみ、Ｘ２方向に引っぱることにより、切れ目線Ｖ１と切れ目線Ｖ２間の帯状部６４０が引っ張られ、隣接する切込み６１０間の隙間と隣接する切込み６２０間の隙間が破れてジッパーＱがブランクから分離する。
【００１５】
また、出願人は、特許文献２の出願を行っており、この特許文献２におけるジッパーとしては、例えば、図４６に示すジッパーＡ’’があり、ジッパーＡ’’は、複数の切込み１０からなる切れ目線と複数の切込み２０からなる切れ目線とを有し、切込み１０と切込み２０は互いに対称に形成され、切込み１０は、第１傾斜部１２と、第２傾斜部１４と、直線部１６とを有し、直線部１６は、ジッパー開封方向に沿って形成され、端部ｍ１１と接触点ｍ１２とが直線部１６の前側の延長線ｅ１６を介して両側に配置され、直線部１６の後側の延長線ｆ１６は次の切込み１０の第１傾斜部１２と交わり、角度α１１は角度α１２よりも大きく形成され、角度α１３が直角以下に形成されている。
【先行技術文献】
【特許文献】
【００１６】
【特許文献１】特開平１１−７９２４２号公報
【特許文献２】特開２０１６−７４４７７号公報
【発明の概要】
【発明が解決しようとする課題】
【００１７】
しかし、図４２に示すジッパーＵにおいては、ジッパーＵを開封方向に破断していった際に、破断力が外側に拡散して剥離を生じるという問題がある。すなわち、切れ目線Ｕ１を例に取ると、直線部５１２の後端からの破断力は直線部５１２の後端から角度範囲βの範囲に拡散するが、切れ目線Ｕ１と切れ目線Ｕ２間の帯状部５４０を引っぱって破断するので直線部５１２の延長線上よりも内側に向かう成分が多いが、傾斜部５１４で破断力を受け止めやすいものの、帯状部の引っぱり具合等によっては、外側に向かう破断力の成分が多く破断力の中心が外側に向かう場合もあり、そうすると、次の切込み５１０の傾斜部５１４で受け止められなかった破断力、すなわち、外側に向かう破断力がブランクを構成する紙材の剥離をもたらし、ジッパーＵを破断した後の帯状部５４０には、図４３に示すように、ブランクとの切断線に沿って剥離片５４０ａ、５４０ｂ、５４０ｃが発生するとともに、帯状部５４０を分離した後のブランクにおける切断線５５２、５５４に沿って剥離片５５０ａ、５５０ｂ、５５０ｃが発生してしまい、ブランクにおける切断線の見栄えが悪いという問題があった。
【００１８】
また、図４４に示すジッパーＶにおいては、直線部６１２（６２２）の後端からの破断力は次の切込み６１０（６２０）の傾斜部６１４（６２４）、６１６（６２６）で受け止めることができるので、図３１のジッパーＵの場合のような剥離の問題は少ないものの、ジッパーＶを分離することにより形成されたブランクの開口部６５０には、図４５に示すように、一方の切断線に沿って傾斜部６１４が残存し、他方の切断線に沿って傾斜部６２４が残存するので、一方の切断線６５２に沿っては、残存した傾斜部６１４と、傾斜部６１４の基端からの折れ線６１４−１とを辺部とする片部６１８が折れ線６１４−１を中心にぶらついた状態となり、他方の切断線６５４に沿っては、残存した傾斜部６２４と、傾斜部６２４の基端からの折れ線６２４−１とを辺部とする片部６２８が折れ線６２４−１を中心にぶらついた状態となるので、ブランクにおける切断線の見栄えが悪いという問題があった。つまり、傾斜部６１４は直線部６１２に対して鈍角をなし、傾斜部６２４は直線部６２２に対して鈍角をなすので、折れ線６１４−１、６２４−１とともに片部６１８、６２８が形成されやすいという問題がある。
【００１９】
また、図４６に示すジッパーＡ’’においては、端部ｍ１１と接触点ｍ１２とが、ジッパー開封方向をなす延長線ｅ１６を介して両側に配置されているため、直線部１６からの破断線が第１傾斜部１２の先端の端部ｍ１１側に形成された場合には、図４７に示すように、直線部１６からの破断線Ｋ１６に沿った辺部と第１傾斜部１２に沿った辺部により、突状部Ｔ１が形成されてたり、直線部２６からの破断線Ｋ２６に沿った辺部と第１傾斜部２２に沿った辺部により、突状部Ｔ２が形成されてしまい、ブランクにおける切断線の見栄えが悪いという問題がある。
【００２０】
また、ジッパーＵにおいては、上記のように剥離が発生するおそれがあるので、帯状部５４０を引っぱって破断する際に、スムーズに破断を行なうことができないという問題がある。
【００２１】
また、ジッパーＶにおいては、直線部６１２、６２２からの破断力のうち内側の傾斜部（つまり、傾斜部６１６、６２６）に向かう成分が多い（つまり、破断力の中心が内側の傾斜部に向かうことが多い）ものの、帯状部６４０の引っぱり具合によっては、破断力の中心が外側の傾斜部（傾斜部６１４、６２４）に向かう場合や、直線部６１２の方向に向かう場合があり、そうすると、隣接する切込み６１０間の隙間や隣接する切込み６２０の隙間を破った感触が個々に異なり、帯状部６４０を引っ張って破断する際に、スムーズに破断を行なうことができないという問題がある。つまり、破断力の中心が傾斜部６１４、６１６、６２４、６２６に向かった場合には、破断力がこれらの傾斜部に到達した際の僅かな衝撃を感じるが、破断力の中心が直線部６１２の方向に向かった場合には、そのような衝撃をほとんど感じないので、スムーズに破断を行なうことができない。
【００２２】
そこで、本発明が解決しようとする問題点は、紙製箱用のジッパーや切れ目線の切断構造において、切断後のブランクの切断線の見栄えがよく、また、ジッパーや切れ目線をスムーズに破断することができる切断構造を提供することである。
【課題を解決するための手段】
【００２３】
本発明は上記問題点を解決するために創作されたものであって、第１には、シート状の紙製ブランクにより形成された紙製箱に用いる紙製箱用ジッパーであって、第１切れ目線と第２切れ目線とを有し、ジッパー開封方向が直線状であり、第１切れ目線が、複数の第１切込み（１０）を間隔を介して列状に配設してなり、第２切れ目線が、複数の第２切込み（２０）を間隔を介して列状に配設してなり、第１切込みと第２切込みのそれぞれが、直線部（１２、２２）と、直線部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）と、第２曲線部の第２接触点とは反対側の端部である第３接触点（ｍ１４、ｍ２４）から形成された延伸部（１８、２８）を有し、第１切込みと第２切込みのそれぞれにおいて、直線部が、直線部の他方の端部である第１端部（ｍ１１、ｍ２１）と第１接触点間に直線状に形成され、第１曲線部が、第１接触点と第２接触点間に曲線状に形成され、第２曲線部が、第２接触点と第３接触点間に曲線状に形成され、延伸部が、第３接触点と延伸部の第３接触点とは反対側の端部である第２端部（ｍ１５、ｍ２５）間に直線状に形成され、延伸部がジッパー開封方向に形成され、第１端部が、ジッパー開封方向の仮想直線で第３接触点と第２端部を通る仮想直線（１０Ｅ、２０Ｅ）上に位置し、直線部は、第１端部が第１接触点よりもジッパー開封方向において前側に位置するように仮想直線の方向に対して傾斜して形成され、第１曲線部が、第１接触点から直線部の方向に対する曲がり方向においてジッパー開封方向の側に曲がる曲がり方向に形成され、第２曲線部が、第２接触点から第１曲線部の曲がり方向とは逆の曲がり方向に形成され、第１接触点は、第２接触点よりもジッパー開封方向において前側に位置し、第２接触点は、第３接触点よりもジッパー開封方向において前側に位置し、第２切れ目線が、第１切れ目線との間の中心線を介して対称形状に形成され、複数の第１切込みと複数の第２切込みにおける互いに対応する第１切込みと第２切込みは、第１接触点が第１端部よりも外側にある状態（第１切込みの直線部と第２切込みの直線部間の長さがジッパー開封方向において後側にいくほど長くなる状態でとしてもよい）で第１切込みと第２切込みが互いに対向するように、該中心線を介して対称形状に形成されていることを特徴とする。
【００２４】
第１の構成においては、第１端部は、仮想直線上に位置しており、また、延伸部は仮想直線上にあり、延伸部からの破断力が第１端部に伝わりやすく、また、延伸部の後端からの破断力の中心が外側を向いた場合でも、直線部や第１曲線部が設けられているので、破断力を受け止めることができるので、ジッパーをスムーズに破断することができ、切断面の見栄えをよくすることができる。
【００２５】
また、第１端部は、仮想直線上に位置しており、また、延伸部は仮想直線上にあり、延伸部からの破断力が第１端部に伝わりやすく、また、第１切込みや第２切込みにおいては、直線部と第１曲線部と第２曲線部により突状に形成されているので、切断面の見栄えをよくすることができる。
【００２６】
また、第２には、上記第１の構成において、第１曲線部と第２曲線部が、円弧状又は楕円弧状に形成されていることを特徴とする。
【００２７】
また、第３には、上記第１又は第２の構成において、直線部の第１接触点からの延長線（１２Ｅ、２２Ｅ）と第１曲線部の第２接触点における接線（１２Ｅ、２２Ｅ）との間の角度で、第１曲線部側の角度（α１２、α２２）が、９０度よりも大きく形成されていることを特徴とする。
【００２８】
第３の構成においては、直線部の第１接触点からの延長線と第１曲線部の第２接触点における接線との間の角度で、第１曲線部側の角度が、９０度よりも大きく形成されているので、直線部からの破断力をスムーズに延伸部に伝えることができ、よって、ジッパーをスムーズに破断することができる。
【００２９】
また、第４には、上記第１から第３までのいずれかの構成において、直線部と仮想直線との間の鋭角の角度が、４５度よりも小さいことを特徴とする。第４の構成においては、直線部と仮想直線との間の鋭角の角度が４５度よりも小さいので、１つ前の切込みからの破断力が直線部に伝わった際の衝撃が極めて小さく、よって、ジッパーをスムーズに破断することができる。
【００３０】
また、第５には、上記第１から第４までのいずれかの構成において、第１切込みと第２切込みのそれぞれにおいて、第１端部から第３接触点までの範囲において、第１曲線部のジッパー開封方向に沿った長さ（Ｌ１２、Ｌ２２）と第２曲線部のジッパー開封方向に沿った長さ（Ｌ１３、Ｌ２３）の和が、直線部のジッパー開封方向に沿った長さ（Ｌ１１、Ｌ２１）よりも長いことを特徴とする。
【００３１】
第５の構成においては、第１端部から第３接触点までの範囲において、第１曲線部のジッパー開封方向に沿った長さと第２曲線部のジッパー開封方向に沿った長さの和が、直線部のジッパー開封方向に沿った長さよりも長いので、切込みにおける凹凸を目立たなくすることができるとともに、破断力を延伸部にスムーズに伝えることにより、ジッパーをスムーズに破断することができる。
【００３２】
なお、第５−１の構成として、上記第１から第５までのいずれかの構成において、第１切込みと第２切込みのそれぞれにおいて、第１曲線部の第１接触点における接線は、直線部と重なり、第２接触点における第１曲線部の接線は、第２接触点における第２曲線部の接線と重なり、第３接触点における第２曲線部の接線は、延伸部と重なることを特徴とするものとしてもよい。これにより、切込みを構成する各部の境界において、切込みにおける方向を滑らかに切り替えることができ、ジッパーをスムーズに破断することができる。
【００３３】
また、第５−２の構成として、上記第１から第５までの構成と第５−１の構成におけるいずれかの構成において、第１切込みと第２切込みのそれぞれにおいて、第３接触点と第２端部間の仮想直線に沿った長さ（Ｌ１４、Ｌ２４）が、第１端部と第２端部間の仮想直線に沿った長さ（Ｌ１０、Ｌ２０）の３０％以上５０％以下であることを特徴とするものとしてもよい。
【００３４】
また、第６には、シート状の紙製ブランクにより形成された紙製箱に用いる紙製箱用切れ目線であって、切れ目線開封方向が直線状であり、紙製箱用切れ目線が、複数の切込み（１０、２０）を間隔を介して列状に配設してなり、切込みが、直線部（１２、２２）と、直線部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）と、第２曲線部の第２接触点とは反対側の端部である第３接触点（ｍ１４、ｍ２４）から形成された延伸部（１８、２８）を有し、直線部が、直線部の他方の端部である第１端部（ｍ１１、ｍ２１）と第１接触点間に直線状に形成され、第１曲線部が、第１接触点と第２接触点間に曲線状に形成され、第２曲線部が、第２接触点と第３接触点間に円弧状又は曲線状に形成され、延伸部が、第３接触点と延伸部の第３接触点とは反対側の端部である第２端部（ｍ１５、ｍ２５）間に直線状に形成され、延伸部が切れ目線開封方向に形成され、第１端部が、切れ目線開封方向の仮想直線で第３接触点と第２端部を通る仮想直線（１０Ｅ、２０Ｅ）上に位置し、直線部は、第１端部が第１接触点よりも切れ目線開封方向において前側に位置するように仮想直線の方向に対して傾斜して形成され、第１曲線部が、第１接触点から直線部の方向に対する曲がり方向において切れ目線開封方向の側に曲がる曲がり方向に形成され、第２曲線部が、第２接触点から第１曲線部の曲がり方向とは逆の曲がり方向に形成され、第１接触点は、第２接触点よりも切れ目線開封方向において前側に位置し、第２接触点は、第３接触点よりも切れ目線開封方向において前側に位置することを特徴とする。
【００３５】
第６の構成においては、第１端部は、仮想直線上に位置しており、また、延伸部は仮想直線上にあり、延伸部からの破断力が第１端部に伝わりやすく、また、延伸部の後端からの破断力の中心が外側を向いた場合でも、直線部や第１曲線部が設けられているので、破断力を受け止めることができるので、紙製箱用切れ目線をスムーズに破断することができ、切断面の見栄えをよくすることができる。
【００３６】
また、第１端部は、仮想直線上に位置しており、また、延伸部は仮想直線上にあり、延伸部からの破断力が第１端部に伝わりやすく、また、第１切込みや第２切込みにおいては、直線部と第１曲線部と第２曲線部により突状に形成されているので、切断面の見栄えをよくすることができる。
【００３７】
また、第７には、上記第６の構成において、第１曲線部と第２曲線部が、円弧状又は楕円弧状に形成されていることを特徴とする。
【００３８】
また、第８には、上記第６又は第７の構成において、直線部の第１接触点からの延長線（１２Ｅ、２２Ｅ）と第１曲線部の第２接触点における接線（１２Ｅ、２２Ｅ）との間の角度で、第１曲線部側の角度（α１２、α２２）が、９０度よりも大きく形成されていることを特徴とする。
【００３９】
第８の構成においては、直線部の第１接触点からの延長線と第１曲線部の第２接触点における接線との間の角度で、第１曲線部側の角度が、９０度よりも大きく形成されているので、直線部からの破断力をスムーズに延伸部に伝えることができ、よって、紙製箱用切れ目線をスムーズに破断することができる。
【００４０】
また、第９には、上記第６から第８までのいずれかの構成において、直線部と仮想直線との間の鋭角の角度が、４５度よりも小さいことを特徴とするものとしてもよい。
【００４１】
第９の構成においては、直線部と仮想直線との間の鋭角の角度が４５度よりも小さいので、１つ前の切込みからの破断力が直線部に伝わった際の衝撃が極めて小さく、よって、紙製箱用切れ目線をスムーズに破断することができる。
【００４２】
また、第１０には、上記第６から第９までのいずれかの構成において、第１端部から第３接触点までの範囲において、第１曲線部の切れ目線開封方向に沿った長さ（Ｌ１２、Ｌ２２）と第２曲線部の切れ目線開封方向に沿った長さ（Ｌ１３、Ｌ２３）の和が、直線部の切れ目線開封方向に沿った長さ（Ｌ１１、Ｌ２１）よりも長いことを特徴とする。これにより、切込みを構成する各部の境界において、切込みにおける方向を滑らかに切り替えることができ、ジッパーをスムーズに破断することができる。
【００４３】
第１０の構成においては、第１端部から第３接触点までの範囲において、第１曲線部のジッパー開封方向に沿った長さと第２曲線部のジッパー開封方向に沿った長さの和が、直線部のジッパー開封方向に沿った長さよりも長いので、切込みにおける凹凸を目立たなくすることができるとともに、破断力を延伸部にスムーズに伝えることにより、紙製箱用切れ目線をスムーズに破断することができる。
【００４４】
なお、第１０−１の構成として、上記第６から第１０までのいずれかの構成において、第１曲線部の第１接触点における接線は、直線部と重なり、第２接触点における第１曲線部の接線は、第２接触点における第２曲線部の接線と重なり、第３接触点における第２曲線部の接線は、延伸部と重なることを特徴とするものとしてもよい。これにより、切込みを構成する各部の境界において、切込みにおける方向を滑らかに切り替えることができ、切れ目線をスムーズに破断することができる。
【００４５】
また、第１０−２の構成として、上記第６から第１０までの構成と第１０−１の構成におけるいずれかの構成において、切込みにおいて、第３接触点と第２端部間の仮想直線に沿った長さ（Ｌ１４、Ｌ２４）が、第１端部と第２端部間の仮想直線に沿った長さ（Ｌ１０、Ｌ２０）の３０％以上５０％以下であることを特徴とするものとしてもよい。
【００４６】
また、第１１には、シート状の紙製ブランクにより形成された紙製箱に用いる紙製箱用ジッパーであって、第１切れ目線と第２切れ目線とを有し、ジッパー開封方向が曲線状であり、第１切れ目線が、複数の第１切込み（１０）を間隔を介して列状に配設してなり、第２切れ目線が、複数の第２切込み（２０）を間隔を介して列状に配設してなり、第１切込みと第２切込みのそれぞれが、直線部（１２、２２）と、直線部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）と、第２曲線部の第２接触点とは反対側の端部である第３接触点（ｍ１４、ｍ２４）から形成された延伸部（１８、２８）を有し、第１切込みと第２切込みのそれぞれにおいて、直線部が、直線部の他方の端部である第１端部（ｍ１１、ｍ２１）と第１接触点間に直線状に形成され、第１曲線部が、第１接触点と第２接触点間に曲線状に形成され、第２曲線部が、第２接触点と第３接触点間に曲線状に形成され、延伸部が、第３接触点と延伸部の第３接触点とは反対側の端部である第２端部（ｍ１５、ｍ２５）間に曲線状に形成され、延伸部がジッパー開封方向に形成され、第１端部が、ジッパー開封方向の仮想曲線で第３接触点と第２端部を通る仮想曲線（１１Ｅ、２１Ｅ）上に位置し、直線部は、第１端部が第１接触点よりもジッパー開封方向において前側に位置するように、第１端部における仮想曲線の接線（１５Ｅ、２５Ｅ）に対して傾斜して形成され、第１曲線部が、第１接触点から直線部の方向に対する曲がり方向においてジッパー開封方向の側に曲がる曲がり方向に形成され、第２曲線部が、第２接触点から第１曲線部の曲がり方向とは逆の曲がり方向に形成され、第１接触点は、第２接触点よりもジッパー開封方向において前側に位置し、第２接触点は、第３接触点よりもジッパー開封方向において前側に位置し、複数の第１切込みと複数の第２切込みにおける互いに対応する第１切込みと第２切込みは、第１接触点が第１端部よりも外側にある状態で（第１切込みの直線部と第２切込みの直線部間の長さがジッパー開封方向において後側にいくほど長くなる状態でとしてもよい）、互いに対向していることを特徴とする。
【００４７】
第１１の構成においては、第１端部は、仮想曲線上に位置しており、また、延伸部は仮想曲線上にあり、延伸部からの破断力が第１端部に伝わりやすく、また、延伸部の後端からの破断力の中心が外側を向いた場合でも、直線部や第１曲線部が設けられているので、破断力を受け止めることができるので、ジッパーをスムーズに破断することができ、切断面の見栄えをよくすることができる。
【００４８】
また、第１端部は、仮想曲線上に位置しており、また、延伸部は仮想曲線上にあり、延伸部からの破断力が第１端部に伝わりやすく、また、第１切込みや第２切込みにおいては、直線部と第１曲線部と第２曲線部により突状に形成されているので、切断面の見栄えをよくすることができる。
【００４９】
また、第１２には、上記第１１の構成において、第１曲線部と第２曲線部が、円弧状又は楕円弧状に形成されていることを特徴とする。
【００５０】
また、第１３には、上記第１１又は第１２の構成において、直線部の第１接触点からの延長線（１２Ｅ、２２Ｅ）と第１曲線部の第２接触点における接線（１２Ｅ、２２Ｅ）との間の角度で、第１曲線部側の角度（α１２、α２２）が、９０度よりも大きく形成されていることを特徴とする。
【００５１】
第１３の構成においては、直線部の第１接触点からの延長線と第１曲線部の第２接触点における接線との間の角度で、第１曲線部側の角度が、９０度よりも大きく形成されているので、直線部からの破断力をスムーズに延伸部に伝えることができ、よって、ジッパーをスムーズに破断することができる。
【００５２】
また、第１４には、上記第１１から第１３までのいずれかの構成において、直線部と第１端部における仮想曲線の接線（１５Ｅ、２５Ｅ）との間の鋭角の角度が、４５度よりも小さいことを特徴とする。
【００５３】
第１４の構成においては、直線部と第１端部における仮想曲線の接線との間の鋭角の角度が４５度よりも小さいので、１つ前の切込みからの破断力が直線部に伝わった際の衝撃が極めて小さく、よって、ジッパーをスムーズに破断することができる。
【００５４】
また、第１５には、上記第１１から第１４までのいずれかの構成において、第１切込みと第２切込みのそれぞれにおいて、第１端部から第３接触点までの範囲において、第１曲線部のジッパー開封方向に沿った長さ（Ｌ１２、Ｌ２２）と第２曲線部のジッパー開封方向に沿った長さ（Ｌ１３、Ｌ２３）の和が、直線部のジッパー開封方向に沿った長さ（Ｌ１１、Ｌ２１）よりも長いことを特徴とする。
【００５５】
第１５の構成においては、第１端部から第３接触点までの範囲において、第１曲線部のジッパー開封方向に沿った長さと第２曲線部のジッパー開封方向に沿った長さの和が、直線部のジッパー開封方向に沿った長さよりも長いので、切込みにおける凹凸を目立たなくすることができるとともに、破断力を延伸部にスムーズに伝えることにより、ジッパーをスムーズに破断することができる。
【００５６】
なお、第１５−１の構成として、上記第１１から第１５までのいずれかの構成において、第１切込みと第２切込みのそれぞれにおいて、
第１曲線部の第１接触点における接線は、直線部と重なり、第２接触点における第１曲線部の接線は、第２接触点における第２曲線部の接線と重なり、第３接触点における第２曲線部の接線は、延伸部と重なることを特徴とするものとしてもよい。これにより、切込みを構成する各部の境界において、切込みにおける方向を滑らかに切り替えることができ、ジッパーをスムーズに破断することができる。
【００５７】
また、第１５−２の構成として、上記第１１から第１５までの構成と第１５−１の構成におけるいずれかの構成において、第１切込みと第２切込みのそれぞれにおいて、第３接触点と第２端部間の仮想曲線に沿った長さ（Ｌ１４、Ｌ２４）が、第１端部と第２端部間の仮想曲線に沿った長さ（Ｌ１０、Ｌ２０）の３０％以上５０％以下であることを特徴とするものとしてもよい。
【００５８】
また、第１６には、シート状の紙製ブランクにより形成された紙製箱に用いる紙製箱用切れ目線であって、切れ目線開封方向が曲線状であり、該紙製箱用切れ目線が、複数の切込み（１０、２０）を間隔を介して列状に配設してなり、切込みが、直線部（１２、２２）と、直線部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）と、第２曲線部の第２接触点とは反対側の端部である第３接触点（ｍ１４、ｍ２４）から形成された延伸部（１８、２８）を有し、直線部が、直線部の他方の端部である第１端部（ｍ１１、ｍ２１）と第１接触点間に直線状に形成され、第１曲線部が、第１接触点と第２接触点間に曲線状に形成され、第２曲線部が、第２接触点と第３接触点間に曲線状に形成され、延伸部が、第３接触点と延伸部の第３接触点とは反対側の端部である第２端部（ｍ１５、ｍ２５）間に曲線状に形成され、延伸部が切れ目線開封方向に形成され、第１端部が、切れ目線開封方向の仮想曲線で第３接触点と第２端部を通る仮想曲線（１１Ｅ、２１Ｅ）上に位置し、直線部は、第１端部が第１接触点よりも切れ目線開封方向において前側に位置するように、第１端部における仮想曲線の接線（１５Ｅ、２５Ｅ）に対して傾斜して形成され、第１曲線部が、第１接触点から直線部の方向に対する曲がり方向において切れ目線開封方向の側に曲がる曲がり方向に形成され、第２曲線部が、第２接触点から第１曲線部の曲がり方向とは逆の曲がり方向に形成され、第１接触点は、第２接触点よりも切れ目線開封方向において前側に位置し、第２接触点は、第３接触点よりも切れ目線開封方向において前側に位置することを特徴とする。
【００５９】
第１６の構成においては、第１端部は、仮想曲線上に位置しており、また、延伸部は仮想曲線上にあり、延伸部からの破断力が第１端部に伝わりやすく、また、延伸部の後端からの破断力の中心が外側を向いた場合でも、直線部や第１曲線部が設けられているので、破断力を受け止めることができるので、紙製箱用切れ目線をスムーズに破断することができ、切断面の見栄えをよくすることができる。
【００６０】
また、第１端部は、仮想曲線上に位置しており、また、延伸部は仮想曲線上にあり、延伸部からの破断力が第１端部に伝わりやすく、また、第１切込みや第２切込みにおいては、直線部と第１曲線部と第２曲線部により突状に形成されているので、切断面の見栄えをよくすることができる。
【００６１】
また、第１７には、上記第１６の構成において、第１曲線部と第２曲線部が、円弧状又は楕円弧状に形成されていることを特徴とする。
【００６２】
また、第１８には、上記第１６又は第１７の構成において、直線部の第１接触点からの延長線（１２Ｅ、２２Ｅ）と第１曲線部の第２接触点における接線（１２Ｅ、２２Ｅ）との間の角度で、第１曲線部側の角度（α１２、α２２）が、９０度よりも大きく形成されていることを特徴とする。
【００６３】
第１８の構成においては、直線部の第１接触点からの延長線と第１曲線部の第２接触点における接線との間の角度で、第１曲線部側の角度が、９０度よりも大きく形成されているので、直線部からの破断力をスムーズに延伸部に伝えることができ、よって、紙製箱用切れ目線をスムーズに破断することができる。
【００６４】
また、第１９には、上記第１６から第１８までのいずれかの構成において、直線部と第１端部における仮想曲線の接線（１５Ｅ、２５Ｅ）との間の鋭角の角度が、４５度よりも小さいことを特徴とする。
【００６５】
第１９の構成においては、直線部と第１端部における仮想曲線の接線との間の鋭角の角度が４５度よりも小さいので、１つ前の切込みからの破断力が直線部に伝わった際の衝撃が極めて小さく、よって、紙製箱用切れ目線をスムーズに破断することができる。
【００６６】
また、第２０には、上記第１６から第１９までのいずれかの構成において、第１端部から第３接触点までの範囲において、第１曲線部の切れ目線開封方向に沿った長さ（Ｌ１２、Ｌ２２）と第２曲線部の切れ目線開封方向に沿った長さ（Ｌ１３、Ｌ２３）の和が、直線部の切れ目線開封方向に沿った長さ（Ｌ１１、Ｌ２１）よりも長いことを特徴とする。
【００６７】
第２０の構成においては、第１端部から第３接触点までの範囲において、第１曲線部のジッパー開封方向に沿った長さと第２曲線部のジッパー開封方向に沿った長さの和が、直線部のジッパー開封方向に沿った長さよりも長いので、切込みにおける凹凸を目立たなくすることができるとともに、破断力を延伸部にスムーズに伝えることにより、紙製箱用切れ目線をスムーズに破断することができる。
【００６８】
なお、第２０−１の構成として、上記第１６から第２０までのいずれかの構成において、第１曲線部の第１接触点における接線は、直線部と重なり、第２接触点における第１曲線部の接線は、第２接触点における第２曲線部の接線と重なり、第３接触点における第２曲線部の接線は、延伸部と重なることを特徴とするものとしてもよい。これにより、切込みを構成する各部の境界において、切込みにおける方向を滑らかに切り替えることができ、ジッパーをスムーズに破断することができる。
【００６９】
また、第２０−２の構成として、上記第１６から第２０までの構成と第２０−１の構成におけるいずれかの構成において、切込みにおいて、第３接触点と第２端部間の仮想曲線に沿った長さ（Ｌ１４、Ｌ２４）が、第１端部と第２端部間の仮想曲線に沿った長さ（Ｌ１０、Ｌ２０）の３０％以上５０％以下であることを特徴とするものとしてもよい。
【００７０】
また、第２１には、シート状の紙製ブランクにより形成された紙製箱に用いる紙製箱用ジッパーであって、第１切れ目線と第２切れ目線とを有し、ジッパー開封方向が直線状であり、第１切れ目線が、複数の第１切込み（１０）を間隔を介して列状に配設してなり、第２切れ目線が、複数の第２切込み（２０）を間隔を介して列状に配設してなり、第１切込みと第２切込みのそれぞれが、第１直線部（１２、２２）と、第１直線部の一方の端部である第１接触点（ｍ１２、ｍ２２）から形成された第１曲線部（１４、２４）と、第１曲線部の第１接触点とは反対側の端部である第２接触点（ｍ１３−１、ｍ２３−１）から形成された第２直線部（１５、２５）と、第２直線部の第２接触点とは反対側の端部である第３接触点（ｍ１３−２、ｍ２３−２）から形成された第２曲線部（１６、２６）と、第２曲線部の第３接触点とは反対側の端部である第４接触点（ｍ１４、ｍ２４）から形成された延伸部（１８、２８）を有し、第１切込みと第２切込みのそれぞれにおいて、第１直線部が、第１直線部の他方の端部である第１端部（ｍ１１、ｍ２１）と第１接触点間に直線状に形成され、第１曲線部が、第１接触点と第２接触点間に曲線状に形成され、第２直線部が、第２接触点と第３接触点間に直線状に形成され、第２曲線部が、第３接触点と第４接触点間に曲線状に形成され、延伸部が、第３接触点と延伸部の第４接触点とは反対側の端部である第２端部（ｍ１５、ｍ２５）間に直線状に形成され、延伸部がジッパー開封方向に形成され、第１端部が、ジッパー開封方向の仮想直線で第４接触点と第２端部を通る仮想直線（１０Ｅ、２０Ｅ）上に位置し、第１直線部は、第１端部が第１接触点よりもジッパー開封方向において前側に位置するように仮想直線の方向に対して傾斜して形成され、第１曲線部が、第１接触点から第１直線部の方向に対する曲がり方向においてジッパー開封方向の側に曲がる曲がり方向に形成され、第２直線部は、第２接触点が第３接触点よりもジッパー開封方向において前側に位置するとともに、第２接触点から仮想直線までの長さが第３接触点から仮想直線までの長さよりも長いように、仮想直線の方向に対して傾斜して形成され、第２曲線部が、第３接触点から第１曲線部の曲がり方向とは逆の曲がり方向に形成され、第１接触点は、第２接触点よりもジッパー開封方向において前側に位置し、第３接触点は、第４接触点よりもジッパー開封方向において前側に位置し、第２切れ目線が、第１切れ目線との間の中心線を介して対称形状に形成され、複数の第１切込みと複数の第２切込みにおける互いに対応する第１切込みと第２切込みは、第１接触点が第１端部よりも外側にある状態で（第１切込みの直線部と第２切込みの直線部間の長さがジッパー開封方向において後側にいくほど長くなる状態でとしてもよい）第１切込みと第２切込みが互いに対向するように、該中心線を介して対称形状に形成されていることを特徴とする。
【００７１】
第２１の構成においては、第１端部は、仮想直線上に位置しており、また、延伸部は仮想直線上にあり、延伸部からの破断力が第１端部に伝わりやすく、また、延伸部の後端からの破断力の中心が外側を向いた場合でも、第１直線部や第１曲線部が設けられているので、破断力を受け止めることができるので、ジッパーをスムーズに破断することができ、切断面の見栄えをよくすることができる。
【００７２】
また、第１端部は、仮想直線上に位置しており、また、延伸部は仮想直線上にあり、延伸部からの破断力が第１端部に伝わりやすく、また、第１切込みや第２切込みにおいては、第１直線部と第１曲線部と第２曲線部により突状に形成されているので、切断面の見栄えをよくすることができる。
【００７３】
なお、第２１−１の構成として、上記第２１の構成において、第１曲線部と第２曲線部が、円弧状又は楕円弧状に形成されていることを特徴とするものとしてもよい。
【００７４】
また、第２１−２の構成として、上記第２１又は第２１−１の構成において、第１直線部の第１接触点からの延長線（１２Ｅ、２２Ｅ）と第２直線部の第２接触点からの延長線（１５Ｅ、２５Ｅ）との間の角度で、第１曲線部側の角度（α１２、α２２）が、９０度よりも大きく形成されていることを特徴とするものとしてもよい。
【００７５】
また、第２１−３の構成として、上記第２１又は第２１−１又は第２１−２の構成において、第１直線部と仮想直線との間の鋭角の角度が、４５度よりも小さいことを特徴とするものとしてもよい。
【００７６】
また、第２１−４の構成として、上記第２１又は第２１−１又は第２１−２又は第２１−３の構成において、第１切込みと第２切込みのそれぞれにおいて、第１端部から第４接触点までの範囲において、第１曲線部のジッパー開封方向に沿った長さ（Ｌ１２、Ｌ２２）と第２曲線部のジッパー開封方向に沿った長さ（Ｌ１３、Ｌ２３）の和が、第１直線部のジッパー開封方向に沿った長さ（Ｌ１１、Ｌ２１）と第２直線部のジッパー開封方向に沿った長さ（Ｌ１５、Ｌ２５）の和よりも長いことを特徴とするものとしてもよい。
【００７７】
また、第２１−５の構成として、上記第２１又は第２１−１又は第２１−２又は第２１−３又は第２１−４の構成において、第１切込みと第２切込みのそれぞれにおいて、第１曲線部の第１接触点における接線は、第１直線部と重なり、第２接触点における第１曲線部の接線は、第２直線部と重なり、第３接触点における第２曲線部の接線は、第２直線部と重なり、第４接触点における第２曲線部の接線は、延伸部と重なることを特徴とするものとしてもよい。
【００７８】
また、第２１−６の構成として、上記第２１又は第２１−１又は第２１−２又は第２１−３又は第２１−４又は第２１−５の構成において、第１切込みと第２切込みのそれぞれにおいて、第４接触点と第２端部間の仮想直線に沿った長さ（Ｌ１４、Ｌ２４）が、第１端部と第２端部間の仮想直線に沿った長さ（Ｌ１０、Ｌ２０）の３０％以上５０％以下であることを特徴とするものとしてもよい。
【００７９】
また、第２２には、シート状の紙製ブランクにより形成された紙製箱に用いる紙製箱用切れ目線であって、切れ目線開封方向が直線状であり、紙製箱用切れ目線が、複数の切込み（１０、２０）を間隔を介して列状に配設してなり、切込みが、第１直線部（１２、２２）と、第１直線部の一方の端部である第１接触点（ｍ１２、ｍ２２）から形成された第１曲線部（１４、２４）と、第１曲線部の第１接触点とは反対側の端部である第２接触点（ｍ１３−１、ｍ２３−１）から形成された第２直線部（１５、２５）と、第２直線部の第２接触点とは反対側の端部である第３接触点（ｍ１３−２、ｍ２３−２）から形成された第２曲線部（１６、２６）と、第２曲線部の第３接触点とは反対側の端部である第４接触点（ｍ１４、ｍ２４）から形成された延伸部（１８、２８）を有し、第１切込みと第２切込みのそれぞれにおいて、第１直線部が、第１直線部の他方の端部である第１端部（ｍ１１、ｍ２１）と第１接触点間に直線状に形成され、第１曲線部が、第１接触点と第２接触点間に曲線状に形成され、第２直線部が、第２接触点と第３接触点間に直線状に形成され、第２曲線部が、第３接触点と第４接触点間に曲線状に形成され、延伸部が、第３接触点と延伸部の第４接触点とは反対側の端部である第２端部（ｍ１５、ｍ２５）間に直線状に形成され、延伸部が切れ目線開封方向に形成され、第１端部が、切れ目線開封方向の仮想直線で第４接触点と第２端部を通る仮想直線（１０Ｅ、２０Ｅ）上に位置し、第１直線部は、第１端部が第１接触点よりも切れ目線開封方向において前側に位置するように仮想直線の方向に対して傾斜して形成され、第１曲線部が、第１接触点から第１直線部の方向に対する曲がり方向において切れ目線開封方向の側に曲がる曲がり方向に形成され、第２直線部は、第２接触点が第３接触点よりも切れ目線開封方向において前側に位置するとともに、第２接触点から仮想直線までの長さが第３接触点から仮想直線までの長さよりも長いように、仮想直線の方向に対して傾斜して形成され、第２曲線部が、第３接触点から第１曲線部の曲がり方向とは逆の曲がり方向に形成され、第１接触点は、第２接触点よりも切れ目線開封方向において前側に位置し、第３接触点は、第４接触点よりも切れ目線開封方向において前側に位置することを特徴とする。
【００８０】
第２２の構成においては、第１端部は、仮想直線上に位置しており、また、延伸部は仮想直線上にあり、延伸部からの破断力が第１端部に伝わりやすく、また、延伸部の後端からの破断力の中心が外側を向いた場合でも、第１直線部や第１曲線部が設けられているので、破断力を受け止めることができるので、紙製箱用切れ目線をスムーズに破断することができ、切断面の見栄えをよくすることができる。
【００８１】
また、第１端部は、仮想直線上に位置しており、また、延伸部は仮想直線上にあり、延伸部からの破断力が第１端部に伝わりやすく、また、第１切込みや第２切込みにおいては、第１直線部と第１曲線部と第２曲線部により突状に形成されているので、切断面の見栄えをよくすることができる。
【００８２】
なお、第２２−１の構成として、上記第２２の構成において、第１曲線部と第２曲線部が、円弧状又は楕円弧状に形成されていることを特徴とするものとしてもよい。
【００８３】
また、第２２−２の構成として、上記第２２又は第２２−１の構成において、第１直線部の第１接触点からの延長線（１２Ｅ、２２Ｅ）と第２直線部の第２接触点からの延長線（１５Ｅ、２５Ｅ）との間の角度で、第１曲線部側の角度（α１２、α２２）が、９０度よりも大きく形成されていることを特徴とするものとしてもよい。
【００８４】
また、第２２−３の構成として、上記第２２又は第２２−１又は第２２−２の構成において、第１直線部と仮想直線との間の鋭角の角度が、４５度よりも小さいことを特徴とするものとしてもよい。
【００８５】
また、第２２−４の構成として、上記第２２又は第２２−１又は第２２−２又は第２２−３の構成において、第１切込みと第２切込みのそれぞれにおいて、第１端部から第４接触点までの範囲において、第１曲線部の切れ目線開封方向に沿った長さ（Ｌ１２、Ｌ２２）と第２曲線部の切れ目線開封方向に沿った長さ（Ｌ１３、Ｌ２３）の和が、第１直線部の切れ目線開封方向に沿った長さ（Ｌ１１、Ｌ２１）と第２直線部のジッパー開封方向に沿った長さ（Ｌ１５、Ｌ２５）の和よりも長いことを特徴とするものとしてもよい。
【００８６】
また、第２２−５の構成として、上記第２２又は第２２−１又は第２２−２又は第２２−３又は第２２−４の構成において、第１曲線部の第１接触点における接線は、第１直線部と重なり、第２接触点における第１曲線部の接線は、第２直線部と重なり、第３接触点における第２曲線部の接線は、第２直線部と重なり、第４接触点における第２曲線部の接線は、延伸部と重なることを特徴とするものとしてもよい。
【００８７】
また、第２２−６の構成として、上記第２２又は第２２−１又は第２２−２又は第２２−３又は第２２−４又は第２２−５の構成において、切込みにおいて、第４接触点と第２端部間の仮想直線に沿った長さ（Ｌ１４、Ｌ２４）が、第１端部と第２端部間の仮想直線に沿った長さ（Ｌ１０、Ｌ２０）の３０％以上５０％以下であることを特徴とするものとしてもよい。
【００８８】
また、第２３には、シート状の紙製ブランクにより形成された紙製箱に用いる紙製箱用ジッパーであって、第１切れ目線と第２切れ目線とを有し、ジッパー開封方向が曲線状であり、第１切れ目線が、複数の第１切込み（１０）を間隔を介して列状に配設してなり、第２切れ目線が、複数の第２切込み（２０）を間隔を介して列状に配設してなり、第１切込みと第２切込みのそれぞれが、第１直線部（１２、２２）と、第１直線部の一方の端部である第１接触点（ｍ１２、ｍ２２）から形成された第１曲線部（１４、２４）と、第１曲線部の第１接触点とは反対側の端部である第２接触点（ｍ１３−１、ｍ２３−１）から形成された第２直線部（１５、２５）と、第２直線部の第２接触点とは反対側の端部である第３接触点（ｍ１３−２、ｍ２３−２）から形成された第２曲線部（１６、２６）と、第２曲線部の第３接触点とは反対側の端部である第４接触点（ｍ１４、ｍ２４）から形成された延伸部（１８、２８）を有し、第１切込みと第２切込みのそれぞれにおいて、第１直線部が、第１直線部の他方の端部である第１端部（ｍ１１、ｍ２１）と第１接触点間に直線状に形成され、第１曲線部が、第１接触点と第２接触点間に曲線状に形成され、第２直線部が、第２接触点と第３接触点間に直線状に形成され、第２曲線部が、第３接触点と第４接触点間に曲線状に形成され、延伸部が、第３接触点と延伸部の第４接触点とは反対側の端部である第２端部（ｍ１５、ｍ２５）間に直線状に形成され、延伸部がジッパー開封方向に形成され、第１端部が、ジッパー開封方向の仮想曲線で第４接触点と第２端部を通る仮想曲線（１１Ｅ、２１Ｅ）上に位置し、第１直線部は、第１端部が第１接触点よりもジッパー開封方向において前側に位置するように、第１端部における仮想曲線の接線（１５Ｅ、２５Ｅ）に対して傾斜して形成され、第１曲線部が、第１接触点から第１直線部の方向に対する曲がり方向においてジッパー開封方向の側に曲がる曲がり方向に形成され、第２直線部は、第２接触点が第３接触点よりもジッパー開封方向において前側に位置するとともに、第２接触点から仮想曲線までの長さが第３接触点から仮想曲線までの長さよりも長く形成され、第２曲線部が、第３接触点から第１曲線部の曲がり方向とは逆の曲がり方向に形成され、第１接触点は、第２接触点よりもジッパー開封方向において前側に位置し、第３接触点は、第４接触点よりもジッパー開封方向において前側に位置し、複数の第１切込みと複数の第２切込みにおける互いに対応する第１切込みと第２切込みは、第１接触点が第１端部よりも外側にある状態で、互いに対向していることを特徴とする。
【００８９】
第２３の構成においては、第１端部は、仮想曲線上に位置しており、また、延伸部は仮想曲線上にあり、延伸部からの破断力が第１端部に伝わりやすく、また、延伸部の後端からの破断力の中心が外側を向いた場合でも、第１直線部や第１曲線部が設けられているので、破断力を受け止めることができるので、ジッパーをスムーズに破断することができ、切断面の見栄えをよくすることができる。
【００９０】
また、第１端部は、仮想曲線上に位置しており、また、延伸部は仮想曲線上にあり、延伸部からの破断力が第１端部に伝わりやすく、また、第１切込みや第２切込みにおいては、第１直線部と第１曲線部と第２曲線部により突状に形成されているので、切断面の見栄えをよくすることができる。
【００９１】
なお、第２３−１の構成として、上記第２３の構成において、第１曲線部と第２曲線部が、円弧状又は楕円弧状に形成されていることを特徴とするものとしてもよい。
【００９２】
また、第２３−２の構成として、上記第２３又は第２３−１の構成において、直線部の第１接触点からの延長線（１２Ｅ、２２Ｅ）と第１曲線部の第２接触点における接線（１２Ｅ、２２Ｅ）との間の角度で、第１曲線部側の角度（α１２、α２２）が、９０度よりも大きく形成されていることを特徴とするものとしてもよい。
【００９３】
また、第２３−３の構成として、上記第２３又は第２３−１又は第２３−２の構成において、第１直線部と第１端部における仮想曲線の接線（１５Ｅ、２５Ｅ）との間の鋭角の角度が、４５度よりも小さいことを特徴とするものとしてもよい。
【００９４】
また、第２３−４の構成として、上記第２３又は第２３−１又は第２３−２又は第２３−３の構成において、第１切込みと第２切込みのそれぞれにおいて、第１端部から第４接触点までの範囲において、第１曲線部のジッパー開封方向に沿った長さ（Ｌ１２、Ｌ２２）と第２曲線部のジッパー開封方向に沿った長さ（Ｌ１３、Ｌ２３）の和が、第１直線部のジッパー開封方向に沿った長さ（Ｌ１１、Ｌ２１）と第２直線部のジッパー開封方向に沿った長さ（Ｌ１５、Ｌ２５）の和よりも長いことを特徴とするものとしてもよい。
【００９５】
また、第２３−５の構成として、上記第２３又は第２３−１又は第２３−２又は第２３−３又は第２３−４の構成において、第１切込みと第２切込みのそれぞれにおいて、第１曲線部の第１接触点における接線は、第１直線部と重なり、第２接触点における第１曲線部の接線は、第２直線部と重なり、第３接触点における第２曲線部の接線は、第２直線部と重なり、第４接触点における第２曲線部の接線は、延伸部と重なることを特徴とするものとしてもよい。
【００９６】
また、第２３−６の構成として、上記第２３又は第２３−１又は第２３−２又は第２３−３又は第２３−４又は第２３−５の構成において、第１切込みと第２切込みのそれぞれにおいて、第４接触点と第２端部間の仮想曲線に沿った長さ（Ｌ１４、Ｌ２４）が、第１端部と第２端部間の仮想曲線に沿った長さ（Ｌ１０、Ｌ２０）の３０％以上５０％以下であることを特徴とするものとしてもよい。
【００９７】
また、第２４には、シート状の紙製ブランクにより形成された紙製箱に用いる紙製箱用切れ目線であって、切れ目線開封方向が曲線状であり、該紙製箱用切れ目線が、複数の切込み（１０、２０）を間隔を介して列状に配設してなり、切込みが、第１直線部（１２、２２）と、第１直線部の一方の端部である第１接触点（ｍ１２、ｍ２２）から形成された第１曲線部（１４、２４）と、第１曲線部の第１接触点とは反対側の端部である第２接触点（ｍ１３−１、ｍ２３−１）から形成された第２直線部（１５、２５）と、第２直線部の第２接触点とは反対側の端部である第３接触点（ｍ１３−２、ｍ２３−２）から形成された第２曲線部（１６、２６）と、第２曲線部の第３接触点とは反対側の端部である第４接触点（ｍ１４、ｍ２４）から形成された延伸部（１８、２８）を有し、第１直線部が、第１直線部の他方の端部である第１端部（ｍ１１、ｍ２１）と第１接触点間に直線状に形成され、第１曲線部が、第１接触点と第２接触点間に曲線状に形成され、第２直線部が、第２接触点と第３接触点間に直線状に形成され、第２曲線部が、第３接触点と第４接触点間に曲線状に形成され、延伸部が、第３接触点と延伸部の第４接触点とは反対側の端部である第２端部（ｍ１５、ｍ２５）間に直線状に形成され、延伸部が切れ目線開封方向に形成され、第１端部が、切れ目線開封方向の仮想曲線で第４接触点と第２端部を通る仮想曲線（１１Ｅ、２１Ｅ）上に位置し、第１直線部は、第１端部が第１接触点よりも切れ目線開封方向において前側に位置するように、第１端部における仮想曲線の接線（１５Ｅ、２５Ｅ）に対して傾斜して形成され、第１曲線部が、第１接触点から第１直線部の方向に対する曲がり方向において切れ目線開封方向の側に曲がる曲がり方向に形成され、第２直線部は、第２接触点が第３接触点よりも切れ目線開封方向において前側に位置するとともに、第２接触点から仮想曲線までの長さが第３接触点から仮想曲線までの長さよりも長く形成され、第２曲線部が、第３接触点から第１曲線部の曲がり方向とは逆の曲がり方向に形成され、第１接触点は、第２接触点よりも切れ目線開封方向において前側に位置し、第３接触点は、第４接触点よりも切れ目線開封方向において前側に位置することを特徴とする。
【００９８】
第２４の構成においては、第１端部は、仮想曲線上に位置しており、また、延伸部は仮想曲線上にあり、延伸部からの破断力が第１端部に伝わりやすく、また、延伸部の後端からの破断力の中心が外側を向いた場合でも、第１直線部や第１曲線部が設けられているので、破断力を受け止めることができるので、紙製箱用切れ目線をスムーズに破断することができ、切断面の見栄えをよくすることができる。
【００９９】
また、第１端部は、仮想曲線上に位置しており、また、延伸部は仮想曲線上にあり、延伸部からの破断力が第１端部に伝わりやすく、また、第１切込みや第２切込みにおいては、第１直線部と第１曲線部と第２曲線部により突状に形成されているので、切断面の見栄えをよくすることができる。
【０１００】
なお、第２４−１の構成として、上記第２４の構成において、第１曲線部と第２曲線部が、円弧状又は楕円弧状に形成されていることを特徴とするものとしてもよい。
【０１０１】
また、第２４−２の構成として、上記第２４又は第２４−１の構成において、第１直線部の第１接触点からの延長線（１２Ｅ、２２Ｅ）と第２直線部の第２接触点からの延長線（１５Ｅ、２５Ｅ）との間の角度で、第１曲線部側の角度（α１２、α２２）が、９０度よりも大きく形成されていることを特徴とするものとしてもよい。
【０１０２】
また、第２４−３の構成として、上記第２４又は第２４−１又は第２４−２の構成において、第１直線部と第１端部における仮想曲線の接線（１５Ｅ、２５Ｅ）との間の鋭角の角度が、４５度よりも小さいことを特徴とするものとしてもよい。
【０１０３】
また、第２４−４の構成として、上記第２４又は第２４−１又は第２４−２又は第２４−３の構成において、第１端部から第４接触点までの範囲において、第１曲線部の切れ目線開封方向に沿った長さ（Ｌ１２、Ｌ２２）と第２曲線部の切れ目線開封方向に沿った長さ（Ｌ１３、Ｌ２３）の和が、第１直線部の切れ目線開封方向に沿った長さ（Ｌ１１、Ｌ２１）と第２直線部の切れ目線開封方向に沿った長さ（Ｌ１５、Ｌ２５）の和よりも長いことを特徴とするものとしてもよい。
【０１０４】
また、第２４−５の構成として、上記第２４又は第２４−１又は第２４−２又は第２４−３又は第２４−４の構成において、第１曲線部の第１接触点における接線は、第１直線部と重なり、第２接触点における第１曲線部の接線は、第２直線部と重なり、第３接触点における第２曲線部の接線は、第２直線部と重なり、第４接触点における第２曲線部の接線は、延伸部と重なることを特徴とするものとしてもよい。
【０１０５】
また、第２４−６の構成として、上記第２４又は第２４−１又は第２４−２又は第２４−３又は第２４−４又は第２４−５の構成において、切込みにおいて、第４接触点と第２端部間の仮想曲線に沿った長さ（Ｌ１４、Ｌ２４）が、第１端部と第２端部間の仮想曲線に沿った長さ（Ｌ１０、Ｌ２０）の３０％以上５０％以下であることを特徴とするものとしてもよい。
【０１０６】
また、第２５の構成として、以下の構成としてもよい。すなわち、底面部（５０）と、底面部の各辺から立設し底面部に対して略直角をなすスリーブ状部で、正面部（１０）と、右側面部（２０）と、左側面部（３０）と、背面部（４０）とからなるスリーブ状部（５）と、スリーブ状部の上端から連設された蓋部（１２０、１３０）とを有する紙製箱であって、スリーブ状部に切れ目線（Ｋ５）が周状に設けられ、該切れ目線は、正面部における右側面側の辺部と左側面側の辺部間に形成された第１切れ目線（Ｋ１０）と、右側面部における正面側の辺部と背面側の辺部間に形成された第２切れ目線（Ｋ２０）と、左側面部における正面側の辺部と背面側の辺部間に形成された第３切れ目線（Ｋ３０）と、背面部における右側面側の辺部と左側面側の辺部間に形成された第４切れ目線（Ｋ４０）とを有し、背面部においては、背面部の第４切れ目線よりも下側の領域である下背面部（４２）に、第４切れ目線から連設された一対の切れ目線（Ｋ４４、Ｋ４５）が設けられ、背面部の第４切れ目線よりも上側の領域である上背面部（４５）に、背面部の右側面側上端の角部である第１角部と第４切れ目線の右側面側の端部から左側面側の端部までの途中位置である第１途中位置の間の位置に第１角部と第１途中位置とを結ぶ方向に第１折れ線（Ｃ４２）が形成されるとともに、背面部の左側面側上端の角部である第２角部と第４切れ目線の左側面側の端部から右側面側の端部までの途中位置で第１途中位置よりも左側面側である第２途中位置の間の位置に第２角部と第２途中位置とを結ぶ方向に第２折れ線（Ｃ４３）が形成され、第１折れ線（Ｃ４２）と第２折れ線（Ｃ４３）とが、第４切れ目線側にいくに従い第１折れ線と第２折れ線間の長さが短くなるように左右線対称に形成され、第１折れ線の下端と第２折れ線の下端は左右方向に間隔を介して設けられ、上背面部が、第１折れ線と第２折れ線間の領域である中央領域（４６）と、第１折れ線よりも右側面側の領域である右側領域（４７）と、第２折れ線よりも左側面側の領域である左側領域（４８）とを有し、右側面部においては、右側面部の第２切れ目線よりも上側の領域である上右側面部（２５）に、第３折れ線（Ｃ２１）が、右側面部の背面側上端の角部である第３角部と第２切れ目線の背面側の端部から正面側の端部への途中位置である第３途中位置の間の位置に、第３角部と第３途中位置とを結ぶ方向に形成され、第３折れ線は、下側にいくほど正面側となるように形成され、左側面部においては、左側面部の第３切れ目線よりも上側の領域である上左側面部（３５）に、第４折れ線（Ｃ３１）が、左側面部の背面側上端の角部である第４角部と第３切れ目線の背面側の端部から正面側の端部への途中位置である第４途中位置の間の位置に、第４角部と第４途中位置とを結ぶ方向に形成され、第４折れ線は、下側にいくほど正面側となるように形成され、第２切れ目線における第３折れ線又は第３折れ線の延長線との接点から正面側の範囲における少なくとも一部の切れ目線である第１特定切れ目線と、第３切れ目線における第４折れ線又は第４折れ線の延長線との接点から正面側の範囲における少なくとも一部の切れ目線である第２特定切れ目線は、ともに、複数の切込みを有し、第１特定切れ目線と第２特定切れ目線の切れ目線開封方向が直線状であり、第１特定切れ目線における切込みと第２特定切れ目線における切込みは、直線部（１２、２２）と、直線部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）と、第２曲線部の第２接触点とは反対側の端部である第３接触点（ｍ１４、ｍ２４）から形成された延伸部（１８、２８）を有し、直線部が、直線部の他方の端部である第１端部（ｍ１１、ｍ２１）と第１接触点間に直線状に形成され、第１曲線部が、第１接触点と第２接触点間に曲線状に形成され、第２曲線部が、第２接触点と第３接触点間に円弧状又は曲線状に形成され、延伸部が、第３接触点と延伸部の第３接触点とは反対側の端部である第２端部（ｍ１５、ｍ２５）間に直線状に形成され、延伸部が切れ目線開封方向に形成され、第１端部が、切れ目線開封方向の仮想直線で第３接触点と第２端部を通る仮想直線（１０Ｅ、２０Ｅ）上に位置し、直線部は、第１端部が第１接触点よりも切れ目線開封方向において前側に位置するように仮想直線の方向に対して傾斜して形成され、第１曲線部が、第１接触点から直線部の方向に対する曲がり方向において切れ目線開封方向の側に曲がる曲がり方向に形成され、第２曲線部が、第２接触点から第１曲線部の曲がり方向とは逆の曲がり方向に形成され、第１接触点は、第２接触点よりも切れ目線開封方向において前側に位置し、第２接触点は、第３接触点よりも切れ目線開封方向において前側に位置し、第１特定切れ目線における切込みは、第１端部を右側面部の第２切れ目線よりも下側の領域である下右側面部側とし、第１接触点（第１接触点及び第２接触点、第１曲線部としてもよい）を上右側面部側として設けられ、第２特定切れ目線における切込みは、第１端部を右側面部の第２切れ目線よりも下側の領域である下右側面部側とし、第１接触点（第１接触点及び第２接触点、第１曲線部としてもよい）を上右側面部側として設けられ、下背面部における該一対の切れ目線間の領域を外側から押して、中央領域の下端に指をひっかけ、中央領域の下端を外側にひっぱることにより、右側領域が中央領域に対して第１折れ線を介して折曲するとともに、左側領域が中央領域に対して第２折れ線を介して折曲して、第４切れ目線における左側領域と下背面部間の切れ目線と右側領域と下背面部間の切れ目線とが破断し、上右側面部における第３折れ線よりも背面側の領域である第１背面側領域（２７）が第３折れ線を介して内側に回動して第２切れ目線における第１背面側領域と右側面部の第２切れ目線よりも下側の領域である下右側面部（２２）間の切れ目線が破断するとともに、上左側面部における第４折れ線よりも背面側の領域である第２背面側領域（３７）が第４折れ線を介して内側に回動して第３切れ目線における第２背面側領域と左側面部の第３切れ目線よりも下側の領域である下左側面部（３２）間の切れ目線が破断し、さらに、中央領域の下端を上方にひっぱることにより、第２切れ目線における第３折れ線よりも正面側の領域である第１正面側領域（２６）と下右側面部間の切れ目線が破断するとともに、第３切れ目線における第４折れ線よりも正面側の領域である第２正面側領域（３６）と下左側面部間の切れ目線が破断することを特徴とする紙製箱。」としてもよい。
【０１０７】
また、第２６の構成として、以下の構成としてもよい。すなわち、底面部（５０）と、底面部の各辺から立設し底面部に対して略直角をなすスリーブ状部で、正面部（１０）と、右側面部（２０）と、左側面部（３０）と、背面部（４０）とからなるスリーブ状部（５）と、スリーブ状部の上端から連設された蓋部（１２０、１３０）とを有する紙製箱であって、スリーブ状部に切れ目線（Ｋ５）が周状に設けられ、該切れ目線は、正面部における右側面側の辺部と左側面側の辺部間に形成された第１切れ目線（Ｋ１０）と、右側面部における正面側の辺部と背面側の辺部間に形成された第２切れ目線（Ｋ２０）と、左側面部における正面側の辺部と背面側の辺部間に形成された第３切れ目線（Ｋ３０）と、背面部における右側面側の辺部と左側面側の辺部間に形成された第４切れ目線（Ｋ４０）とを有し、背面部においては、背面部の第４切れ目線よりも下側の領域である下背面部（４２）に、第４切れ目線から連設された一対の切れ目線（Ｋ４４、Ｋ４５）が設けられ、背面部の第４切れ目線よりも上側の領域である上背面部（４５）に、背面部の右側面側上端の角部である第１角部と第４切れ目線の右側面側の端部から左側面側の端部までの途中位置である第１途中位置の間の位置に第１角部と第１途中位置とを結ぶ方向に第１折れ線（Ｃ４２）が形成されるとともに、背面部の左側面側上端の角部である第２角部と第４切れ目線の左側面側の端部から右側面側の端部までの途中位置で第１途中位置よりも左側面側である第２途中位置の間の位置に第２角部と第２途中位置とを結ぶ方向に第２折れ線（Ｃ４３）が形成され、第１折れ線（Ｃ４２）と第２折れ線（Ｃ４３）とが、第４切れ目線側にいくに従い第１折れ線と第２折れ線間の長さが短くなるように左右線対称に形成され、第１折れ線の下端と第２折れ線の下端は左右方向に間隔を介して設けられ、上背面部が、第１折れ線と第２折れ線間の領域である中央領域（４６）と、第１折れ線よりも右側面側の領域である右側領域（４７）と、第２折れ線よりも左側面側の領域である左側領域（４８）とを有し、右側面部においては、右側面部の第２切れ目線よりも上側の領域である上右側面部（２５）に、第３折れ線（Ｃ２１）が、右側面部の背面側上端の角部である第３角部と第２切れ目線の背面側の端部から正面側の端部への途中位置である第３途中位置の間の位置に、第３角部と第３途中位置とを結ぶ方向に形成され、第３折れ線は、下側にいくほど正面側となるように形成され、左側面部においては、左側面部の第３切れ目線よりも上側の領域である上左側面部（３５）に、第４折れ線（Ｃ３１）が、左側面部の背面側上端の角部である第４角部と第３切れ目線の背面側の端部から正面側の端部への途中位置である第４途中位置の間の位置に、第４角部と第４途中位置とを結ぶ方向に形成され、第４折れ線は、下側にいくほど正面側となるように形成され、第２切れ目線における第３折れ線又は第３折れ線の延長線との接点から正面側の範囲における少なくとも一部の切れ目線である第１特定切れ目線と、第３切れ目線における第４折れ線又は第４折れ線の延長線との接点から正面側の範囲における少なくとも一部の切れ目線である第２特定切れ目線は、ともに、複数の切込みを有し、第１特定切れ目線と第２特定切れ目線の切れ目線開封方向が直線状であり、第１特定切れ目線における切込みと第２特定切れ目線における切込みは、第１直線部（１２、２２）と、第１直線部の一方の端部である第１接触点（ｍ１２、ｍ２２）から形成された第１曲線部（１４、２４）と、第１曲線部の第１接触点とは反対側の端部である第２接触点（ｍ１３−１、ｍ２３−１）から形成された第２直線部（１５、２５）と、第２直線部の第２接触点とは反対側の端部である第３接触点（ｍ１３−２、ｍ２３−２）から形成された第２曲線部（１６、２６）と、第２曲線部の第３接触点とは反対側の端部である第４接触点（ｍ１４、ｍ２４）から形成された延伸部（１８、２８）を有し、第１切込みと第２切込みのそれぞれにおいて、第１直線部が、第１直線部の他方の端部である第１端部（ｍ１１、ｍ２１）と第１接触点間に直線状に形成され、第１曲線部が、第１接触点と第２接触点間に曲線状に形成され、第２直線部が、第２接触点と第３接触点間に直線状に形成され、第２曲線部が、第３接触点と第４接触点間に曲線状に形成され、延伸部が、第３接触点と延伸部の第４接触点とは反対側の端部である第２端部（ｍ１５、ｍ２５）間に直線状に形成され、延伸部が切れ目線開封方向に形成され、第１端部が、切れ目線開封方向の仮想直線で第４接触点と第２端部を通る仮想直線（１０Ｅ、２０Ｅ）上に位置し、第１直線部は、第１端部が第１接触点よりも切れ目線開封方向において前側に位置するように仮想直線の方向に対して傾斜して形成され、第１曲線部が、第１接触点から第１直線部の方向に対する曲がり方向において切れ目線開封方向の側に曲がる曲がり方向に形成され、第２直線部は、第２接触点が第３接触点よりも切れ目線開封方向において前側に位置するとともに、第２接触点から仮想直線までの長さが第３接触点から仮想直線までの長さよりも長いように、仮想直線の方向に対して傾斜して形成され、第２曲線部が、第３接触点から第１曲線部の曲がり方向とは逆の曲がり方向に形成され、第１接触点は、第２接触点よりも切れ目線開封方向において前側に位置し、第３接触点は、第４接触点よりも切れ目線開封方向において前側に位置し、第１特定切れ目線における切込みは、第１端部を右側面部の第２切れ目線よりも下側の領域である下右側面部側とし、第１接触点（第１接触点及び第２接触点、第１曲線部としてもよい）を上右側面部側として設けられ、第２特定切れ目線における切込みは、第１端部を右側面部の第２切れ目線よりも下側の領域である下右側面部側とし、第１接触点（第１接触点及び第２接触点、第１曲線部としてもよい）を上右側面部側として設けられ、下背面部における該一対の切れ目線間の領域を外側から押して、中央領域の下端に指をひっかけ、中央領域の下端を外側にひっぱることにより、右側領域が中央領域に対して第１折れ線を介して折曲するとともに、左側領域が中央領域に対して第２折れ線を介して折曲して、第４切れ目線における左側領域と下背面部間の切れ目線と右側領域と下背面部間の切れ目線とが破断し、上右側面部における第３折れ線よりも背面側の領域である第１背面側領域（２７）が第３折れ線を介して内側に回動して第２切れ目線における第１背面側領域と右側面部の第２切れ目線よりも下側の領域である下右側面部（２２）間の切れ目線が破断するとともに、上左側面部における第４折れ線よりも背面側の領域である第２背面側領域（３７）が第４折れ線を介して内側に回動して第３切れ目線における第２背面側領域と左側面部の第３切れ目線よりも下側の領域である下左側面部（３２）間の切れ目線が破断し、さらに、中央領域の下端を上方にひっぱることにより、第２切れ目線における第３折れ線よりも正面側の領域である第１正面側領域（２６）と下右側面部間の切れ目線が破断するとともに、第３切れ目線における第４折れ線よりも正面側の領域である第２正面側領域（３６）と下左側面部間の切れ目線が破断することを特徴とする。
【０１０８】
上記第２５と第２６の構成においては、下背面部における一対の切目線間の領域を押すことにより、中央領域の下側に指を入れるスペースが形成されるので、紙製箱の上側構成部を取り除く際に、最初に指を引っ掛ける操作を容易に行なうことができる。また、第１折れ線と第２折れ線とが設けられているので、第４切目線における左側領域と下背面部間の切目線と右側領域と下背面部間の切目線の破断が容易であり、また、第３折れ線と第４折れ線とが設けられているので、第２切目線における第１背面側領域と下右側面部間の切目線と第３切目線における第２背面側領域と下左側面部間の切目線の破断が容易である。
【０１０９】
また、第２７の構成として、以下の構成としてもよい。すなわち、上記第２５又は第２６の構成において、第２切目線における第３折れ線よりも正面側の領域である第１正面側領域（２６）と下右側面部間の切目線が破断するとともに、第３切目線における第４折れ線よりも正面側の領域である第２正面側領域（３６）と下左側面部間の切目線が破断した後に、第１切目線を破断することにより、正面部における第１切目線よりも上側の領域である上正面部（１５）と上右側面部と上左側面部と上背面部と蓋部とからなる上側構成部（Ａ−２）が取り除かれることを特徴とする。
【０１１０】
また、第２８の構成として、以下の構成としてもよい。すなわち、上記第２５から第２７までのいずれかの構成において、第２切れ目線は、第２切れ目線における第３折れ線又は第３折れ線の延長線との接点から正面側に向けて形成された第１上昇切れ目線で正面側にいくほど上側となるように形成された第１上昇切れ目線（Ｋ２４）と、第１上昇切れ目線よりも正面側に設けられ、正面側にいくほど下側となるように形成された第１下降切れ目線（Ｋ２２）とを有し、第１特定切れ目線は、第１上昇切れ目線における背面側の端部から正面側の端部までの範囲内に設けられるとともに、第１下降切れ目線における背面側の端部から正面側の端部までの範囲内に設けられ、第３切れ目線は、第３切れ目線における第４折れ線又は第４折れ線の延長線との接点から正面側に向けて形成された第２上昇切れ目線で正面側にいくほど上側となるように形成された第２上昇切れ目線（Ｋ３４）と、第２上昇切れ目線よりも正面側に設けられ、正面側にいくほど下側となるように形成された第２下降切れ目線（Ｋ３２）とを有し、第２特定切れ目線は、第２上昇切れ目線における背面側の端部から正面側の端部までの範囲内に設けられるとともに、第２下降切れ目線における背面側の端部から正面側の端部までの範囲内に設けられていることを特徴とする。
【０１１１】
よって、第１上昇切れ目線と第２上昇切れ目線が正面側にいくほど上側となるように形成されているので、中央領域の下端を上方にひっぱることによる第１上昇切れ目線と第２上昇切れ目線の破断が容易であり、また、第１下降切れ目線と第２下降切れ目線が正面側にいくほど下側となるように形成されているので、上側構成部を正面側又は正面下側にひっぱることによる第１下降切れ目線と第２下降切れ目線の破断が容易となる。
【０１１２】
また、第２９の構成として、以下の構成としてもよい。すなわち、上記第２５から第２８までのいずれかの構成において、第４切れ目線における左側領域と下背面部間の切れ目線と右側面部における第１背面側領域と下右側面部間の切れ目線には、第１特定切れ目線における上記切込みが用いられ、第４切れ目線における右側領域と下背面部間の切れ目線と左側面部における第２背面側領域と下左側面部間の切れ目線には、第２特定切れ目線における上記切込みが用いられていることを特徴とする。
【発明の効果】
【０１１３】
本発明に基づく紙製箱用ジッパー及び紙製箱用切れ目線によれば、第１端部は、仮想直線（仮想曲線）上に位置しており、また、延伸部は仮想直線（仮想曲線）上にあり、延伸部からの破断力が第１端部に伝わりやすく、また、延伸部の後端からの破断力の中心が外側を向いた場合でも、直線部（第１直線部）や第１曲線部が設けられているので、破断力を受け止めることができるので、ジッパー（切れ目線）をスムーズに破断することができ、切断面の見栄えをよくすることができる。
【０１１４】
また、第１端部は、仮想直線（仮想曲線）上に位置しており、また、延伸部は仮想直線（仮想曲線）上にあり、延伸部からの破断力が第１端部に伝わりやすく、また、第１切込みや第２切込みにおいては、直線部（第１直線部）と第１曲線部と第２曲線部により突状に形成されているので、切断面の見栄えをよくすることができる。
【図面の簡単な説明】
【０１１５】
【図１】ジッパーの構成を示す平面図である（実施例１）。
【図２】図１のジッパーの要部を示す説明図である。
【図３】図２の要部拡大図である。
【図４】切込みの構成を説明するための説明図である。
【図５】図２の要部拡大図である。
【図６】実施例１のジッパーの使用状態を説明する説明図である。
【図７】実施例１のジッパーの使用状態を説明する説明図である。
【図８】実施例１のジッパーの作用を説明する説明図である。
【図９】実施例１のジッパーの作用を説明する説明図である。
【図１０】ジッパー開封方向が曲線状の場合のジッパーの構成を示す平面図である。
【図１１】図１０の要部拡大図である。
【図１２】図１１の要部拡大図である。
【図１３】図１１の要部拡大図である。
【図１４】実施例１のジッパーを用いた紙製箱の例を示す斜視図である。
【図１５】実施例１のジッパーを用いた紙製箱の例を示す展開図である。
【図１６】切れ目線の構成を示す平面図である（実施例２）。
【図１７】切れ目線の構成を示す平面図である（実施例２）。
【図１８】紙製箱の左側後方斜視図である。
【図１９】紙製箱の右側前方斜視図である。
【図２０】紙製箱の平面図である。
【図２１】紙製箱の底面図である。
【図２２】紙製箱の展開図である。
【図２３】図２１の要部説明図である。
【図２４】図２１の要部説明図である。
【図２５】紙製箱の使用方法を説明するための左側後方斜視図である。
【図２６】紙製箱の使用方法を説明するための左側後方斜視図である。
【図２７】紙製箱の使用方法を説明するための左側後方斜視図である。
【図２８】紙製箱の使用方法を説明するための左側後方斜視図である。
【図２９】紙製箱の使用方法を説明するための右側前方斜視図である。
【図３０】紙製箱の作用を説明するための説明図である。
【図３１】ジッパーの構成を示す平面図である（実施例３）。
【図３２】図３１のジッパーの要部を示す説明図である。
【図３３】図３２の要部拡大図である。
【図３４】切込みの構成を説明するための説明図である。
【図３５】図３２の要部拡大図である。
【図３６】ジッパー開封方向が曲線状の場合のジッパーの構成を示す平面図である。
【図３７】図３６の要部拡大図である。
【図３８】図３７の要部拡大図である。
【図３９】図３７の要部拡大図である。
【図４０】切れ目線の構成を示す平面図である（実施例４）。
【図４１】切れ目線の構成を示す平面図である（実施例４）。
【図４２】従来のジッパーを示す平面図である。
【図４３】図４２に示すジッパーの使用状態を示す説明図である。
【図４４】従来のジッパーを示す平面図である。
【図４５】図４４に示すジッパーの使用状態を示す説明図である。
【図４６】従来のジッパーを示す平面図である。
【図４７】図４６のジッパーの使用状態を説明する説明図である。
【発明を実施するための形態】
【０１１６】
本発明においては、紙製箱用のジッパーや切れ目線の切断構造において、切断後のブランクの切断線の見栄えがよく、また、ジッパーや切れ目線をスムーズに破断することができる切断構造を提供するという目的を以下のようにして実現した。
【実施例１】
【０１１７】
本発明に基づく紙製箱用ジッパー（紙製箱用切断構造、カートン用切断構造）としてのジッパーＡは、図１〜図５に示すように構成され、互いに並設された切れ目線Ａ１、Ａ２と、開封開始位置の片部３０を形成するための切込みＡ３とを有している。つまり、切れ目線Ａ１と切れ目線Ａ２とは、互いに平行に２列に形成されている。ジッパーＡは、紙製箱を構成するシート状のブランク（例えば、段ボールや厚紙）に形成されている。
【０１１８】
ここで、切れ目線Ａ１は、複数の切込み１０を間隔を介して一列に直線状に配設したもので、各切込み１０は、図１〜図３に示すように、直線部１２と、直線部１２の端部から連設された曲線部１４と、曲線部１４の直線部１２とは反対側の端部から連設された曲線部１６と、曲線部１６の曲線部１４とは反対側の端部から連設された延伸部１８とを有している。直線部１２と曲線部１４と曲線部１６と延伸部１８は、ともにブランクの表面から裏面まで貫通した切込みにより形成されている。
【０１１９】
ここで、直線部（傾斜部としてもよい。他においても同じ）１２は、ジッパー開封方向（「ジッパー破断方向」としてもよい）（Ｘ１−Ｘ２方向）の仮想直線１０Ｅに対して傾斜して形成され、直線部１２と仮想直線１０Ｅ間の角度（曲線部１４側の角度）はα１１で、角度α１１は鋭角となっていて、具体的には、４５度よりも小さい角度（具体的には、３４〜４２度）となっている。この直線部１２は、直線状に形成されている。仮想直線１０Ｅは、ジッパーＡの開封方向に形成され、直線部１２の前端である端部ｍ１１と延伸部１８の後端である端部ｍ１５を通る直線である。なお、図１〜図５は、ジッパー開封方向が直線状であり、ジッパー形成方向が直線状である場合を示している。
【０１２０】
なお、角度α１１は、破断力が外側に向かった場合に剥離を防ぐためには、４０度以上とするのが好ましい（後述のα２１についても同じ）。この点は、後述する各実施例においても同様である。
【０１２１】
直線部１２の曲線部１４側とは反対側の端部（第１端部）ｍ１１が、図３に示すように、直線部１２の曲線部１４との接触点（第１接触点）ｍ１２よりもジッパー開封方向において前側（Ｘ１側）にある。つまり、直線部１２は、端部ｍ１１が接触点ｍ１２よりもジッパー開封方向において前側に位置するように仮想直線１０Ｅの方向（仮想直線１０Ｅとしてもよい）に対して傾斜している。
【０１２２】
また、端部ｍ１１は、延伸部１８の前側への延長線上に位置している。つまり、端部ｍ１１と、延伸部１８における両端に位置する接着点ｍ１４及び端部ｍ１５とは、同一直線上に位置している。
【０１２３】
また、曲線部（第１曲線部、第１円弧状部としてもよい。他においても同じ）１４は、図３に示すように、直線部１２の端部から円弧状に形成され（つまり、接触点ｍ１２と接触点ｍ１３間に円弧状に形成されている）、具体的には、ジッパー開封方向の側（具体的には、右側（右方向としてもよい））にカーブした（つまり、曲がった）円弧状に形成されている。つまり、曲線部１４は、直線部１２の方向に対する曲がり方向においてジッパー開封方向の側に曲がる曲がり方向に形成されている。曲線部１４と直線部１２との接触点ｍ１２における曲線部１４の接線は、直線部１２と重ねるようになっていて、これにより、直線部１２と曲線部１４の境界において、直線部１２の直線方向から曲線部１４の円弧状の方向に滑らかに切り替わっている。また、曲線部１４の直線部１２との接触点ｍ１２は、曲線部１４の曲線部１６との接触点（第２接触点）ｍ１３よりもジッパー開封方向において前側（Ｘ１側）にある。
【０１２４】
また、曲線部（第２曲線部、第２円弧状部としてもよい。他においても同じ）１６は、図３に示すように、曲線部１４の端部から円弧状に形成され（つまり、接触点ｍ１３と接触点ｍ１４間に円弧状に形成されている）、具体的には、曲線部１４のカーブの方向と反対方向にカーブした（つまり、左側（左方向としてもよい）にカーブした）円弧状に形成されている。つまり、曲線部１６は、曲線部１４の曲がり方向とは逆の曲がり方向に形成され、接触点ｍ１３と接触点（第３接触点）ｍ１４間に円弧状に形成されている。接触点ｍ１３は、接触点ｍ１４よりもジッパー開封方向において前側にある。曲線部１６を形成する円弧の径（半径）は、曲線部１４を形成する円弧の径（半径）よりも大きくなっている。
【０１２５】
なお、接触点ｍ１３における曲線部１４の接線と接触点ｍ１３における曲線部１６の接線とは重なり（つまり、接触点ｍ１３における曲線部１４の接線と、接触点ｍ１３における曲線部１６の接線は、いずれも接線１４Ｅとなる）、これにより、曲線部１４と曲線部１６の境界において、曲線部１４のカーブの方向から曲線部１６のカーブの方向に滑らかに切り替わっている。
【０１２６】
また、接触点ｍ１４は、仮想直線１０Ｅ上に位置し、接触点ｍ１４における曲線部１６の接線は、仮想直線１０Ｅの方向にあり（つまり、該接線は、延伸部１８と重なっている）、延伸部１８も仮想直線１０Ｅの方向に形成されているので、曲線部１６と延伸部１８の境界において、曲線部１６の方向から延伸部１８の方向に滑らかに切り替わっている。
【０１２７】
また、延伸部（直線部としてもよい）１８は、曲線部１６の端部から直線状に形成され、接触点ｍ１４と端部（第２端部）ｍ１５間に直線状に形成されている。
【０１２８】
上記切込み１０において、直線部１２の延長線１２Ｅと接触点ｍ１３における曲線部１４の接線１４Ｅがなす角度（該延長線１２Ｅと該接線１４Ｅがなす曲線部１４側の角度）α１２は、９０度より大きく形成され、例えば、１０５〜１１５度（好適には、１０８度〜１１２度）に形成されている。なお、接線１４Ｅと仮想直線１０Ｅがなす角度α１３は、角度α１１と略同一であるが、角度α１１が角度α１３よりも若干大きく形成されている。
【０１２９】
また、延伸部１８の長さＬ１４は、端部ｍ１１から端部ｍ１５までの仮想直線１０Ｅに沿った長さＬ１０の３０％〜５０％となっている。
【０１３０】
また、端部ｍ１１から接触点ｍ１４までの範囲において、曲線部分（つまり、曲線部１４と曲線部１６）の仮想直線１０Ｅ（つまり、ジッパー開封方向）に沿った長さ（長さＬ１２と長さＬ１３の和）が、直線部分（つまり、直線部１２）の仮想直線１０Ｅ（つまり、ジッパー開封方向）に沿った長さ（長さＬ１１）よりも長く、具体的には、曲線部分の仮想直線１０Ｅに沿った長さが、直線部分の仮想直線１０Ｅに沿った長さの２倍以上となっている。
【０１３１】
なお、仮想直線１０Ｅに沿った長さとは、曲線部分や直線部分の両端から仮想直線１０Ｅに向けて垂線を描き、該垂線と仮想直線１０Ｅの交点同士の仮想直線１０Ｅに沿った長さとなる（他においても同じ）。
【０１３２】
切込み１０を示す図形の実際の作成の方法の例としては、具体的には図４に示すようになる。すなわち、端部ｍ１１から端部ｍ１５までの長さ（仮想直線１０Ｅに沿った長さ）を５×Ｎ（Ｎは単位長さ）とした場合に、端部ｍ１１の位置を左端とする二等辺三角形を描く。この二等辺三角形は、底辺が２×Ｎの長さを有し、高さが０．８×Ｎの長さを有し、斜辺６０、６２と底辺６４から構成される。ここで、直線部１２は、斜辺６０上に形成される。
【０１３３】
そして、斜辺６２と仮想直線１０Ｅがなす鈍角α４２において、半径が３．２×Ｎの円弧６６を描く。この円弧６６は、仮想直線１０Ｅとは位置Ｗ１で接し、斜辺６２とは位置Ｗ２で接する。曲線部１６は、この円弧６６上に形成され、位置Ｗ１は、接触点ｍ１４に相当する位置となる。
【０１３４】
そして、斜辺６０と円弧６６に接するとともに半径が０．６Ｎの円弧６８を描く。すると、この円弧６８は、斜辺６０とは位置Ｗ３で接し、円弧６６とは位置Ｗ４で接する。位置Ｗ４は、斜辺６０、６２と底辺６４からなる二等辺三角形の外側に位置する。この円弧６８が曲線部１４に相当し、位置Ｗ３は接触点ｍ１２に相当し、位置Ｗ４は接触点ｍ１３に相当する。
【０１３５】
そして、位置Ｗ１から仮想直線１０Ｅに沿って端部ｍ１５に相当する位置まで直線状に描くことにより延伸部１８が形成される。以上のようにして、切込み１０を示す図形が作成される。なお、隣接する切込み１０において、開封方向に隣接する２つの切込み１０において、前側の切込み１０の後端（延伸部１８の後端）と後側の切込み１０の前端（直線部１２の前端）の間の長さは、Ｎとする。なお、開封方向に隣接する２つの切込み１０において、前側の切込み１０の後端と後側の切込み１０の前端の間の長さは、Ｎでなくてもよいが、当然、ジッパーの破断に支障がない程度の短かさを有するとともに、不用意にジッパーが破断しないようにジッパー部分の強度を保つことができる程度に長いものとする。
【０１３６】
ジッパーＡの開封方向は、複数の切込み１０における同じ箇所を結ぶ方向といえ、例えば、複数の切込み１０における端部ｍ１１を結ぶ方向がジッパーＡの開封方向といえ、仮想直線１０Ｅの方向がジッパー開封方向となる。また、ジッパーＡの開封方向を、複数の切込み２０における同じ箇所を結ぶ方向としてもよく、例えば、複数の切込み２０における端部ｍ２１を結ぶ方向がジッパーＡの開封方向といえ、仮想直線２０Ｅの方向がジッパー開封方向となる。また、ジッパー開封方向は、Ｘ１側からＸ２側への方向であり、Ｘ１側がジッパー開封方向において前側であり、Ｘ２側がジッパー開封方向において後側である。つまり、切込み１０、２０において、直線部１２、２２の側から破断していくので、切込み１０、２０において、直線部１２、２２の側がジッパー開封方向において前側であり、端部ｍ１５、ｍ２５の側がジッパー開封方向において後側となる。
【０１３７】
ジッパーＡの開封方向が直線状の場合（ジッパーＡが直線状に形成されている場合、ジッパーの形成方向が直線状の場合としてもよい）には、複数の端部ｍ１１を結ぶ方向が直線状となり（つまり、複数の端部ｍ１１をジッパー開封方向に沿って結ぶ仮想線が直線状となり、複数の端部ｍ１１が、該直線状の仮想線、すなわち、ジッパー開封方向の仮想直線１０Ｅ上に位置する）、複数の端部ｍ２１を結ぶ方向が直線状となる（つまり、複数の端部ｍ２１をジッパー開封方向に沿って結ぶ仮想線が直線状となり、複数の端部ｍ２１が、該直線状の仮想線、すなわち、仮想直線２０Ｅ上に位置する）。
【０１３８】
一方、ジッパーＡの開封方向が曲線状の場合（ジッパーＡが曲線状に形成されている場合、ジッパーの形成方向が曲線状の場合としてもよい）には、図１０に示すように、複数の端部ｍ１１を結ぶ方向が曲線状となり（つまり、複数の端部ｍ１１がジッパー開封方向の仮想曲線１１Ｅ上に位置する）、ジッパーＡの開封方向が円弧状の場合には、複数の端部ｍ１１と複数の接触点ｍ１４と複数の端部ｍ１５は、円弧状の仮想曲線１１Ｅ上に位置し、複数の端部ｍ２１と複数の接触点ｍ２４と複数の端部ｍ２５は、円弧状の仮想曲線２１Ｅ上に位置する。
【０１３９】
なお、１つの切れ目線Ａ１において、切込み１０は同じ構成であり、隣接する切込み１０間の間隔は、原則として同一に形成され、少なくともジッパーＡが直線状に形成されている場合には、隣接する切込み１０間の間隔は、同一に形成されている。
【０１４０】
次に、切れ目線Ａ２は、図２に示すように、開封方向の切れ目線Ａ１と切れ目線Ａ２間の中心線Ａｈを介して対称（線対称）に形成され、切れ目線Ａ１と間隔を介して形成されている。中心線Ａｈは、切れ目線Ａ１と切れ目線Ａ２からの距離が等しい直線であり、切込み１０のある点（例えば、端部ｍ１１）と切込み２０の該ある点に対応する点（端部ｍ１１をある点とした場合には、端部ｍ２１））からの距離が等しい直線といえる。
【０１４１】
切れ目線Ａ２は、複数の切込み２０を間隔を介して一列に直線状に配設したもので、各切込み２０は、図１、図２、図５に示すように、直線部２２と、直線部２２の端部から連設された曲線部２４と、曲線部２４の直線部２２とは反対側の端部から連設された曲線部２６と、曲線部２６の曲線部２４とは反対側の端部から連設された延伸部２８とを有している。直線部２２と曲線部２４と曲線部２６と延伸部２８は、ともにブランクの表面から裏面まで貫通した切込みにより形成されている。各切込み２０は、切れ目線Ａ１における対応する切込み１０と中心線Ａｈを中心に対称に形成されている。図２における中心線Ａｈは、仮想直線１０Ｅ、２０Ｅと平行な直線である。なお、複数の切込み１０と複数の切込み２０における互いに対応する切込み１０と切込み２０は、切込み１０の直線部１２と切込み２０の直線部２２間の長さがジッパー開封方向において後側に行くほど長くなる状態で互いに対称となっている。つまり、互いに対応する切込み１０と切込み２０においては、接触点ｍ１２が端部ｍ１１よりも外側にあるとともに接触点ｍ２２が端部ｍ２１よりも外側にある状態で切込み１０と切込み２０が対向するように、中心線Ａｈを介して線対称となっている。
【０１４２】
ここで、直線部（傾斜部としてもよい。他においても同じ）２２は、ジッパー開封方向（「ジッパー破断方向」としてもよい）（Ｘ１−Ｘ２方向）の仮想直線２０Ｅに対して傾斜して形成され、直線部２２と仮想直線２０Ｅ間の角度（曲線部１４側の角度）はα２１で、角度α２１は鋭角となっていて、具体的には、４５度よりも小さい角度（具体的には、３４〜４２度）となっている。この直線部２２は、直線状に形成されている。仮想直線２０Ｅは、ジッパーＡの開封方向に形成され、直線部２２の前端である端部ｍ２１と延伸部２８の後端である端部ｍ２５を通る直線である。
【０１４３】
直線部２２の曲線部２４側とは反対側の端部（第１端部）ｍ２１が、図５に示すように、直線部２２の曲線部２４との接触点（第１接触点）ｍ２２よりも開封方向において前側（Ｘ１側）にある。つまり、直線部２２は、端部ｍ２１が接触点ｍ２２よりもジッパー開封方向において前側に位置するように仮想直線２０Ｅの方向（仮想直線２０Ｅとしてもよい）に対して傾斜している。
【０１４４】
また、端部ｍ２１は、延伸部２８の前側への延長線上に位置している。つまり、端部ｍ２１と、延伸部２８における両端に位置する接着点ｍ２４及び端部ｍ２５とは、同一直線上に位置している。
【０１４５】
また、曲線部（第１曲線部、第１円弧状部としてもよい。他においても同じ）２４は、図５に示すように、直線部２２の端部から円弧状に形成され（つまり、接触点ｍ２２と接触点ｍ２３間に円弧状に形成されている）、具体的には、ジッパー開封方向の側（具体的には、左側（左方向としてもよい））にカーブした（つまり、曲がった）円弧状に形成されている。つまり、曲線部２４は、直線部２２の方向に対する曲がり方向においてジッパー開封方向の側に曲がる曲がり方向に形成されている。曲線部２４と直線部２２との接触点ｍ２２における曲線部２４の接線は、直線部２２と重ねるようになっていて、これにより、直線部２２と曲線部２４の境界において、直線部２２の直線方向から曲線部２４の円弧状の方向に滑らかに切り替わっている。また、曲線部２４の直線部２２との接触点ｍ２２は、曲線部２４の曲線部２６との接触点（第２接触点）ｍ２３よりもジッパー開封方向において前側（Ｘ１側）にある。
【０１４６】
また、曲線部（第２曲線部、第２円弧状部としてもよい。他においても同じ）２６は、図５に示すように、曲線部２４の端部から円弧状に形成され（つまり、接触点ｍ２３と接触点ｍ２４間に円弧状に形成されている）、具体的には、曲線部２４のカーブの方向と反対方向にカーブした（つまり、右側（右方向としてもよい）にカーブした）円弧状に形成されている。つまり、曲線部２６は、曲線部２４の曲がり方向とは逆の曲がり方向に形成され、接触点ｍ２３と接触点（第３接触点）ｍ２４間に円弧状に形成されている。接触点ｍ２３は、接触点ｍ２４よりもジッパー開封方向において前側にある。曲線部２６を形成する円弧の径（半径）は、曲線部２４を形成する円弧の径（半径）よりも大きくなっている。
【０１４７】
なお、接触点ｍ２３における曲線部２４の接線と接触点ｍ２３における曲線部２６の接線とは重なり（つまり、接触点ｍ２３における曲線部２４の接線と、接触点ｍ２３における曲線部２６の接線は、いずれも接線２４Ｅとなる）、これにより、曲線部２４と曲線部２６の境界において、曲線部２４のカーブの方向から曲線部２６のカーブの方向に滑らかに切り替わっている。
【０１４８】
また、接触点ｍ２４は、仮想直線２０Ｅ上に位置し、接触点ｍ２４における曲線部２６の接線は、仮想直線２０Ｅの方向にあり（つまり、該接線は、延伸部２８と重なっている）、延伸部２８も仮想直線２０Ｅの方向に形成されているので、曲線部２６と延伸部２８の境界において、曲線部２６の方向から延伸部２８の方向に滑らかに切り替わっている。また、延伸部２８は、曲線部２６の端部から直線状に形成され、接触点ｍ２４と端部（第２端部）ｍ２５間に直線状に形成されている。
【０１４９】
上記切込み２０において、直線部２２の延長線２２Ｅと接触点ｍ２３における曲線部２４の接線２４Ｅがなす角度（該延長線２２Ｅと該接線２４Ｅがなす曲線部２４側の角度）α２２は、９０度より大きく形成され、例えば、１０５〜１１５度（好適には、１０８度〜１１２度）に形成されている。なお、接線２４Ｅと仮想直線２０Ｅがなす角度α２３は、角度α２１と略同一であるが、角度α２１が角度α２３よりも若干大きく形成されている。
【０１５０】
また、延伸部２８の長さＬ２４は、端部ｍ２１から端部ｍ２５までの仮想直線２０Ｅに沿った長さＬ２０の３０％〜５０％となっている。
【０１５１】
また、端部ｍ２１から接触点ｍ２４までの範囲において、曲線部分（つまり、曲線部２４と曲線部２６）の仮想直線２０Ｅ（つまり、ジッパー開封方向）に沿った長さ（長さＬ２２と長さＬ２３の和）が、直線部分（つまり、直線部２２）の仮想直線２０Ｅ（つまり、ジッパー開封方向）に沿った長さ（長さＬ２１）よりも長く、具体的には、曲線部分の仮想直線２０Ｅに沿った長さが、直線部分の仮想直線２０Ｅに沿った長さの２倍以上となっている。
【０１５２】
なお、１つの切れ目線Ａ２において、切込み２０は同じ構成であり、隣接する切込み２０間の間隔は、原則として同一に形成され、少なくともジッパーＡが直線状に形成されている場合には、隣接する切込み２０間の間隔は、同一に形成されている。
【０１５３】
なお、切れ目線Ａ１を第１切れ目線とした場合には、切れ目線Ａ２が第２切れ目線となり、切込み１０が第１切込みとなり、切込み２０が第２切込みとなる。切れ目線Ａ１を第２切れ目線とした場合には、切れ目線Ａ２が第１切れ目線となり、切込み１０が第２切込みとなり、切込み２０が第１切込みとなる。
【０１５４】
なお、ジッパーＡが曲線状に形成される場合としては、図１０〜図１３に示すジッパーＡ’のように形成され、ジッパーＡ’は、切れ目線Ａ１’と切れ目線Ａ２’とを有し、切れ目線Ａ１’は、複数の切込み１０を間隔を介して一列に曲線状に配設したもので、切込み１０は、切れ目線Ａ１の切込み１０と同様に、直線部１２と曲線部１４と曲線部１６と延伸部１８とを有し（図１２参照）、延伸部１８が、ジッパー開封方向に沿って曲線状に形成されている以外は、切れ目線Ａ１と略同様の構成である。
【０１５５】
すなわち、直線部１２は、端部（第１端部）ｍ１１が接触点（第１接触点）ｍ１２よりもジッパー開封方向において前側に位置するように、端部ｍ１１における仮想曲線１１Ｅの接線１５Ｅに対して傾斜している。直線部１２は、直線状に形成されている。直線部１２の接線１５Ｅに対する角度α１１は、４５度よりも小さい角度となっている。また、直線部１２は、ジッパー開封方向に沿った仮想直線１０Ｅ’に対して傾斜して形成され、直線部１２の仮想直線１０Ｅ’に対する角度α１１’は鋭角をなしている。この端部ｍ１１は、延伸部１８の前側への仮想曲線に沿った延長線上に位置している。つまり、端部ｍ１１と、延伸部１８における両端に位置する接触点（第３接触点）ｍ１４及び端部（第２端部）ｍ１５とは、ジッパー開封方向に沿った同一曲線上に位置している。
【０１５６】
なお、仮想直線１０Ｅ’は、ある切込み１０における端部ｍ１１と、ある切込み１０のジッパー開封方向における次の切込み１０における端部ｍ１１を結ぶ直線である。また、仮想曲線１１Ｅは、ジッパーＡ’の開封方向に形成され、直線部１２の前端である端部ｍ１１と延伸部１８の後端である端部ｍ１５を通る曲線である。
【０１５７】
また、曲線部１４は、直線部１２の端部から円弧状に形成され、曲線部１４と直線部１２との接触点ｍ１２における曲線部１４の接線は、直線部１２と重ねるようになっている。
【０１５８】
また、曲線部１６は、曲線部１４の端部から円弧状に形成され、接触点（第２接触点）ｍ１３における曲線部１４の接線と接触点ｍ１３における曲線部１６の接線とは重なるようになっている。
【０１５９】
また、接触点ｍ１４は、仮想曲線１１Ｅ上に位置し、接触点ｍ１４における曲線部１６の接線は、接触点ｍ１４における延伸部１８の接線と重なり、延伸部１８は仮想曲線１１Ｅの方向に形成されている。
【０１６０】
また、延伸部１８は、曲線部１６の端部からジッパー開封方向に沿った曲線状に形成されている。つまり、延伸部１８は、仮想曲線１１Ｅ上にある。
【０１６１】
図１２に示す構成においても、上記切込み１０において、直線部１２の延長線１２Ｅと接触点ｍ１３における曲線部１４の接線１４Ｅがなす角度（該延長線１２Ｅと該接線１４Ｅがなす曲線部１４側の角度）α１２は、９０度より大きく形成され、例えば、１０５〜１１５度（好適には、１０８度〜１１２度）に形成されている。
【０１６２】
また、延伸部１８の長さＬ１４（仮想曲線１１Ｅに沿った長さ）は、端部ｍ１１から端部ｍ１５までの仮想曲線１１Ｅに沿った長さＬ１０の３０％〜５０％となっている。また、延伸部１８の長さ（仮想直線１０Ｅ’に沿った長さ）は、端部ｍ１１から端部ｍ１５までの仮想直線１０Ｅ’に沿った長さＬ１０’の３０％〜５０％となっている。
【０１６３】
また、端部ｍ１１から接触点ｍ１４までの範囲において、曲線部分（つまり、曲線部１４と曲線部１６）の仮想曲線１１Ｅに沿った長さ（長さＬ１２と長さＬ１３の和）が、直線部分（つまり、直線部１２）の仮想曲線１１Ｅに沿った長さ（長さＬ１１）よりも長く、具体的には、曲線部分の仮想曲線１１Ｅ（つまり、ジッパー開封方向）に沿った長さが、直線部分の仮想曲線１１Ｅに沿った長さの２倍以上となっている。なお、曲線部分や直線部分が仮想曲線１１Ｅの方向に形成されていない場合に、仮想曲線１１Ｅに沿った長さとは、曲線部分や直線部分の両端から仮想曲線１１Ｅへの最短の直線を描き、それらの直線と仮想曲線１１Ｅの交点間の仮想曲線１１Ｅに沿った長さとなる。例えば、直線部１２の仮想曲線１１Ｅに沿った長さＬ１１は、接触点ｍ１２から仮想曲線１１Ｅへの最短直線と仮想曲線１１Ｅとの交点ｍ１２’と端部ｍ１１間の仮想曲線１１Ｅに沿った長さとなる。また、端部ｍ１１から接触点ｍ１４までの範囲において、曲線部分（つまり、曲線部１４と曲線部１６）の仮想直線１０Ｅ’に沿った長さ（長さＬ１２’と長さＬ１３’の和）が、直線部分（つまり、直線部１２）の仮想直線１０Ｅ’に沿った長さ（長さＬ１１’）よりも長く、具体的には、曲線部分の仮想直線１０Ｅ’に沿った長さが、直線部分の仮想直線１０Ｅ’に沿った長さの２倍以上となっている。
【０１６４】
なお、１つの切れ目線Ａ１’において、切込み１０は同じ構成であり、隣接する切込み１０間の間隔は、原則として同一に形成されるが、ジッパーＡ’が曲線状に形成される際の該曲線状における曲率が変化する場合には、延伸部１８はジッパー開封方向に沿って形成されるので、延伸部１８の形状が異なることになる。
【０１６５】
また、切れ目線Ａ２’は、複数の切込み２０を間隔を介して一列に曲線状に配設したもので、切込み２０は、切れ目線Ａ２の切込み２０と同様に、直線部２２と曲線部２４と曲線部２６と延伸部２８とを有し（図１３参照）、延伸部２８が、ジッパー開封方向に沿って曲線状に形成されている以外は、切れ目線Ａ２と略同様の構成である。
【０１６６】
すなわち、直線部２２は、端部（第１端部）ｍ２１が接触点（第１接触点）ｍ２２よりもジッパー開封方向において前側に位置するように、端部ｍ２１における仮想曲線２１Ｅの接線２５Ｅに対して傾斜している。直線部２２は、直線状に形成されている。直線部２２の接線２５Ｅに対する角度α２１は、４５度よりも小さい角度となっている。また、直線部２２は、ジッパー開封方向に沿った仮想直線２０Ｅ’に対して傾斜して形成され、直線部２２の仮想直線２０Ｅ’に対する角度α２１’は鋭角をなしている。この端部ｍ２１は、延伸部２８の前側への延長線上に位置している。つまり、端部ｍ２１と、延伸部２８における両端に位置する接触点（第３接触点）ｍ２４及び端部（第２端部）ｍ２５とは、ジッパー開封方向に沿った同一曲線上に位置している。
【０１６７】
なお、仮想直線２０Ｅ’は、ある切込み２０における端部ｍ２１と、ある切込み２０のジッパー開封方向における次の切込み２０における端部ｍ２１を結ぶ直線である。また、仮想曲線２１Ｅは、ジッパーＡ’の開封方向に形成され、直線部２２の前端である端部ｍ２１と延伸部２８の後端である端部ｍ２５を通る曲線である。
【０１６８】
また、曲線部２４は、直線部２２の端部から円弧状に形成され、曲線部２４と直線部２２との接触点ｍ２２における曲線部２４の接線は、直線部２２と重ねるようになっている。
【０１６９】
また、曲線部２６は、曲線部２４の端部から円弧状に形成され、接触点（第２接触点）ｍ２３における曲線部２４の接線と接触点ｍ２３における曲線部２６の接線とは重なるようになっている。
【０１７０】
また、接触点ｍ２４は、仮想曲線２１Ｅ上に位置し、接触点ｍ２４における曲線部２６の接線は、接触点ｍ２４における延伸部２８の接線と重なり、延伸部２８も仮想曲線２１Ｅの方向に形成されている。
【０１７１】
また、延伸部２８は、曲線部２６の端部からジッパー開封方向に沿った曲線状に形成されている。つまり、延伸部２８は、仮想曲線２１Ｅ上にある。
【０１７２】
図１３に示す構成においても、上記切込み２０において、直線部２２の延長線２２Ｅと接触点ｍ２３における曲線部２４の接線２４Ｅがなす角度（該延長線２２Ｅと該接線２４Ｅがなす曲線部２４側の角度）α２２は、９０度より大きく形成され、例えば、１０５〜１１５度（好適には、１０８度〜１１２度）に形成されている。
【０１７３】
また、延伸部２８の長さ（仮想曲線２１Ｅに沿った長さ）は、端部ｍ２１から端部ｍ２５までの仮想曲線２１Ｅに沿った長さＬ２０の３０％〜５０％となっている。また、延伸部２８の長さ（仮想直線２０Ｅ’に沿った長さ）は、端部ｍ２１から端部ｍ２５までの仮想直線２０Ｅ’に沿った長さＬ２０’の３０％〜５０％となっている。
【０１７４】
また、端部ｍ２１から接触点ｍ２４までの範囲において、曲線部分（つまり、曲線部２４と曲線部２６）の仮想曲線２１Ｅに沿った長さ（長さＬ２２と長さＬ２３の和）が、直線部分（つまり、直線部２２）の仮想曲線２１Ｅに沿った長さ（長さＬ２１）よりも長く、具体的には、曲線部分の仮想曲線２１Ｅ（つまり、ジッパー開封方向）に沿った長さが、直線部分の仮想曲線２１Ｅに沿った長さの２倍以上となっている。なお、曲線部分や直線部分が仮想曲線２１Ｅの方向に形成されていない場合に、仮想曲線２１Ｅに沿った長さとは、曲線部分や直線部分の両端から仮想曲線２１Ｅへの最短の直線を描き、それらの直線と仮想曲線２１Ｅの交点間の仮想曲線２１Ｅに沿った長さとなる。また、端部ｍ２１から接触点ｍ２４までの範囲において、曲線部分（つまり、曲線部２４と曲線部２６）の仮想直線２０Ｅ’に沿った長さ（長さＬ２２’と長さＬ２３’の和）が、直線部分（つまり、直線部２２）の仮想直線２０Ｅ’に沿った長さ（長さＬ２１’）よりも長く、具体的には、曲線部分の仮想直線２０Ｅ’に沿った長さが、直線部分の仮想直線２０Ｅ’に沿った長さの２倍以上となっている。
【０１７５】
なお、１つの切れ目線Ａ２’において、切込み２０は同じ構成であり、隣接する切込み２０間の間隔は、原則として同一に形成されるが、ジッパーＡ’が曲線状に形成される際の該曲線状における曲率が変化する場合には、延伸部２８はジッパー開封方向に沿って形成されるので、延伸部２８の形状が異なることになる。
【０１７６】
なお、切れ目線Ａ１’を第１切れ目線とした場合には、切れ目線Ａ２’が第２切れ目線となり、切込み１０が第１切込みとなり、切込み２０が第２切込みとなる。切れ目線Ａ１’を第２切れ目線とした場合には、切れ目線Ａ２’が第１切れ目線となり、切込み１０が第２切込みとなり、切込み２０が第１切込みとなる。
【０１７７】
ジッパーＡが曲線状に形成されている場合でも、複数の切込み１０と複数の切込み２０における互いに対応する切込み１０と切込み２０は、切込み１０の直線部１２と切込み２０の直線部２２間の長さがジッパー開封方向において後側に行くほど長くなる状態で互いに対向している。つまり、互いに対応する切込み１０と切込み２０においては、接触点ｍ１２が端部ｍ１１よりも外側にあるとともに接触点ｍ２２が端部ｍ２１よりも外側にある状態で、切込み１０と切込み２０が互いに対向している。
【０１７８】
なお、ジッパーＡが曲線状に形成されている場合でも、一対の切込み１０と切込み２０は、基本的には、各対の切込みごとの中心線Ａｈ’を介してほほ線対称に形成されているが、少なくとも延伸部１８、２８はジッパー開封方向に沿って形成されているので、線対称とはならない。また、延伸部１８、２８の長さについても、延伸部１８の長さと延伸部２８の長さを同じにしてしまうと、切れ目線Ａ１’における隣接する切込み１０間の隙間の仮想曲線１１Ｅに沿った長さが、切れ目線Ａ２’における隣接する切込み２０間の隙間の仮想曲線２１Ｅに沿った長さよりも長くなってしまうので、その場合には、延伸部１８の長さを延伸部２８の長さよりも長くして、隣接する切込みとの隙間をなるべく等しくするのが好ましく、その場合にも、一対の切込み１０と切込み２０は線対称にはならない。
【０１７９】
また、切込みＡ３は、図１、図２に示すように、略コ字状を呈し、Ｘ２側（切れ目線Ａ１、Ａ２側）に開口した略コ字状を呈している。つまり、切込みＡ３は、延伸部１８の延長線上に形成された直線状の切込み３２と、延伸部２８の延長線上に形成された直線状の切込み３４と、切込み３２と切込み３４のＸ１側（切れ目線Ａ１、Ａ２側とは反対側）の端部間を結び、該中心線Ａｈに対して直角をなす切込み３６とを有している。つまり、切込み３２は、仮想直線１０Ｅ上にあり、切込み３４は、仮想直線２０Ｅ上にある。この切込みＡ３により囲まれた領域（つまり、切込みＡ３と、切込み３２のＸ２側の端部と切込み３４のＸ２側の端部とを結ぶ直線により囲まれた領域）が、片部３０となる。
【０１８０】
なお、上記の説明において、曲線部１４、２４と曲線部１６、２６は、円弧状であるとしたが、円弧状ではなく、楕円弧状としてもよい。すなわち、曲線部１４、２４と曲線部１６、２６を円弧状とする代わりに楕円弧状としても、上記と同様の作用・効果を得られるので、楕円弧状としてもよい。また、曲線部１４は、接触点ｍ１２から直線部１２の方向に対する曲がり方向においてジッパー開封方向の側に曲がる曲がり方向にカーブした曲線状に形成されていれば円弧状や楕円弧状でなくてもよく、また、曲線部２４は、接触点ｍ２２から直線部２２の方向に対する曲がり方向においてジッパー開封方向の側に曲がる曲がり方向にカーブした曲線状に形成されていれば円弧状や楕円弧状でなくてもよく、曲線部１６は、接触点ｍ１３から曲線部１４の曲がり方向とは逆の曲がり方向にカーブした曲線状に形成されていれば円弧状や楕円弧状でなくてもよく、曲線部２６は、接触点ｍ２３から曲線部２４の曲がり方向とは逆の曲がり方向にカーブした曲線状に形成されていれば円弧状や楕円弧状でなくてもよい。
【０１８１】
ジッパーＡの使用に際しては、片部３０を起こして手でつかみ、Ｘ２方向（開封方向）に引っぱることにより、隣接する切込み１０間の隙間と隣接する切込み２０間の隙間が破れてジッパーＡが破断される。これにより、図６に示すように、帯状部４０がブランクから分離し、ブランクには帯状部４０を分離した後の隙間５０が形成される。ブランクには、この隙間の両側に切断面５２、５４が形成される。この場合、帯状部４０は、帯状部４０の両側の領域に対してブランクの面に対して略垂直方向に引き離すことになる（つまり、切れ目線を介した一方の領域を他方の領域に対して略垂直方向に引き離す）。
【０１８２】
ここで、ジッパーＡにおいては、端部ｍ１１は、仮想直線１０Ｅ上に位置しており、また、延伸部１８は仮想直線１０Ｅ上にあるので、延伸部１８からの破断力が端部ｍ１１に伝わりやすい。つまり、図７において、延伸部１８からの破断力の中心はＨ３の方向になる可能性が高いので、端部ｍ１１に伝わりやすい。また、延伸部１８の後端からの破断力の中心が外側を向いた場合（例えば、図７におけるＨ１、Ｈ２の方向を向いた場合）でも、直線部１２や曲線部１４が設けられているので、破断力を受け止めることができる。よって、ジッパーＡをスムーズに破断することができる。また、直線部１２や曲線部１４により破断力を受け止めることにより剥離が起きにくいので、切断面の見栄えをよくすることもできる。なお、ブランクの厚みが薄い場合（例えば、Ｅフルート、Ｆフルート、Ｇフルート）の場合には、弱い力で切込み１０間のつなぎ目を破断することができるので、弱い力で破断した場合には、破断力の中心は内側に向きにくく（Ｈ４の方向には行きにくい）、破断力の中心が内側に向いた場合でも、弱い力で破断した場合には、大きく内側に向かうことがないので、端部ｍ１１で破断力を受け止めることができる。また、破断力の中心が外側に向かう場合でも、弱い力で破断した場合には、大きく外側に向かうことがないので、曲線部１４の頂点と仮想直線１０Ｅ間の長さＬ１５（図３参照）が短い場合でも、破断力を直線部１２や曲線部１４で受け止めることができる。同様に、端部ｍ２１は、仮想直線２０Ｅ上に位置しており、また、延伸部２８は仮想直線２０Ｅ上にあるので、延伸部２８からの破断力が端部ｍ２１に伝わりやすく、また、延伸部２８の後端からの破断力の中心が外側を向いた場合でも、直線部２２や曲線部２４が設けられているので、破断力を受け止めることができ、よって、ジッパーＡをスムーズに破断することができる。また、直線部２２や曲線部２４により破断力を受け止めることにより剥離が起きにくいので、切断面の見栄えをよくすることもできる。
【０１８３】
なお、ジッパー開封方向が曲線状の場合でも、端部ｍ１１は、仮想曲線１１Ｅ上に位置しており、また、延伸部１８は仮想曲線１１Ｅ上にあるので、延伸部１８からの破断力が端部ｍ１１に伝わりやすく、また、延伸部１８の後端からの破断力の中心が外側を向いた場合でも、直線部１２や曲線部１４が設けられているので、破断力を受け止めることができ、よって、ジッパーＡ’をスムーズに破断することができ、切断面の見栄えをよくすることができる。同様に、端部ｍ２１は、仮想曲線２１Ｅ上に位置しており、また、延伸部２８は仮想曲線２１Ｅ上にあるので、延伸部２８からの破断力が端部ｍ２１に伝わりやすく、また、延伸部２８の後端からの破断力の中心が外側を向いた場合でも、直線部２２や曲線部２４が設けられているので、破断力を受け止めることができ、よって、ジッパーＡ’をスムーズに破断することができ、切断面の見栄えをよくすることができる。
【０１８４】
以上のように、ジッパーＡ、Ａ’は、ブランクの厚みが薄い場合に、特に適しているといえる（後述の切れ目線Ｂ１、Ｂ２も同じ）。
【０１８５】
なお、剥離を起きにくくするには、直線部１２、２２の長さがある程度必要であり、直線部１２の仮想直線１０Ｅ（又は仮想曲線１１Ｅ）に沿った長さＬ１１は、端部ｍ１１から端部ｍ１５までの仮想直線１０Ｅ（又は仮想曲線１１Ｅ）に沿った長さＬ１０の１０％以上（好ましくは、１２％以上）であることが望ましく、また、長さＬ１１は、端部ｍ１１から接触点ｍ１４までの仮想直線１０Ｅ（又は仮想曲線１１Ｅ）に沿った長さの１５％以上（好ましくは、１８％以上）であることが望ましく、同様に、直線部２２の仮想直線２０Ｅ（又は仮想曲線２１Ｅ）に沿った長さＬ２１は、端部ｍ２１から端部ｍ２５までの仮想直線２０Ｅ（又は仮想曲線２１Ｅ）に沿った長さＬ１０の１０％以上（好ましくは、１２％以上）であることが望ましく、また、長さＬ２１は、端部ｍ２１から接触点ｍ２４までの仮想直線２０Ｅ（又は仮想曲線２１Ｅ）に沿った長さの１５％以上（好ましくは、１８％以上）であることが望ましい。この点は、後述する各実施例においても同様である。
【０１８６】
また、ジッパーＡにおいては、端部ｍ１１は、仮想直線１０Ｅ上に位置しており、また、延伸部１８は仮想直線１０Ｅ上にあり、延伸部１８からの破断力が端部ｍ１１に伝わりやすく、また、切込み１０においては、直線部１２と曲線部１４と曲線部１６により突状に形成されているので、切断面５２の見栄えをよくすることができる。同様に、ジッパーＡにおいては、端部ｍ２１は、仮想直線２０Ｅ上に位置しており、また、延伸部２８は仮想直線２０Ｅ上にあり、延伸部２８からの破断力が端部ｍ２１に伝わりやすく、また、切込み２０においては、直線部２２と曲線部２４と曲線部２６により突状に形成されているので、切断面５４の見栄えをよくすることができる。つまり、ジッパーＡを破断した際に、図６に示すように、切断面５２、５４に特許文献２におけるような突状部Ｔ１、Ｔ２（図４７参照）が形成されることがなく、また、仮に突状部Ｔ１、Ｔ２のような突状部が形成されたとしても極めて小さな突状部であることから、切断面５２、５４の見栄えをよくすることができ、さらには、直線部１２、２２と曲線部１４、２４と曲線部１６、２６からなる突状は、特に、曲線部１４、２４と曲線部１６、２６により円弧又は楕円弧を有した滑らかなカーブにより形成されているので、その点でも、切断面５２、５４の見栄えをよくすることができる。
【０１８７】
なお、ジッパー開封方向が曲線状の場合でも、端部ｍ１１は、仮想曲線１１Ｅ上に位置しており、また、延伸部１８は仮想曲線１１Ｅ上にあり、延伸部１８からの破断力が端部ｍ１１に伝わりやすく、また、切込み１０においては、直線部１２と曲線部１４と曲線部１６により突状に形成されているので、切断面の見栄えをよくすることができる。同様に、端部ｍ２１は、仮想曲線２１Ｅ上に位置しており、また、延伸部２８は仮想曲線２１Ｅ上にあり、延伸部２８からの破断力が端部ｍ２１に伝わりやすく、また、切込み２０においては、直線部２２と曲線部２４と曲線部２６により突状に形成されているので、切断面の見栄えをよくすることができる。
【０１８８】
また、直線部１２が仮想直線１０Ｅとなす角度α１１が４５度より小さいので、１つ前の切込み１０からの破断力が直線部１２に伝わった際の衝撃が極めて小さく、また、角度α１２が９０度よりも大きいので、直線部１２からの破断力をスムーズに延伸部１８に伝えることができ、よって、ジッパーＡをスムーズに破断することができる。なお、角度α１２を９０度よりも大きくすることにより、角度α１１を小さくできるので、角度α１２を９０度よりも大きくすることによっても破断力が直線部１２に伝わった際の衝撃を小さくでき、ジッパーＡをスムーズに破断することができる。同様に、直線部２２が仮想直線２０Ｅとなす角度α２１が４５度より小さいので、１つ前の切込み２０からの破断力が直線部２２に伝わった際の衝撃が極めて小さく、また、角度α２２が９０度よりも大きいので、直線部２２からの破断力をスムーズに延伸部２８に伝えることができ、よって、ジッパーＡをスムーズに破断することができる。なお、角度α１１、α２１が４５度以上の場合には、破断力が直線部１２、２２に伝わった際の衝撃が感じられ、また、角度α１１、α２１が９０度よりも小さい場合には、破断力がスムーズに延伸部１８、２８に伝わらないので、スムーズに破断しづらいという問題がある。
【０１８９】
なお、ジッパー開封方向が曲線状の場合でも、直線部１２の端部ｍ１１における仮想曲線１１Ｅの接線１５Ｅに対する角度α１１は、４５度よりも小さい角度となっていて、また、角度α１２が９０度よりも大きいので、直線部１２からの破断力をスムーズに延伸部１８に伝えることができ、よって、ジッパーＡ’をスムーズに破断することができる。同様に、直線部２２の端部ｍ２１における仮想曲線２１Ｅの接線２５Ｅに対する角度α２１は、４５度よりも小さい角度となっていて、また、角度α２２が９０度よりも大きいので、ジッパーＡ’をスムーズに破断することができる。
【０１９０】
また、延伸部１８の長さが、長さＬ１０の３０％以上であることにより、延伸部１８の後端（つまり、端部ｍ１５）から破断力を次の切込み１０の直線部１２の前端（つまり、端部ｍ１１）に伝えやすくなり、また、延伸部１８の長さが、長さＬ１０の５０％以下であることにより、直線部１２の仮想直線１０Ｅに対する角度α１１を４５度よりも小さくしつつ、曲線部１４の頂点から仮想直線１０Ｅまでの長さＬ１５や直線部１２の長さを剥離が起きない程度に長く確保することができる。曲線部１４の頂点とは、曲線部１４において、仮想直線１０Ｅまでの長さが最も長い位置である。つまり、延伸部１８の長さを長さＬ１０の５０％以上とすると、その分、端部ｍ１１から接触点ｍ１４までの長さが短くなり、そうすると、角度α１１を４５度よりも小さくすると、長さＬ１５が短くなり、長さＬ１５が短くなることにより直線部１２の長さが短くなり、結果的に、１つ前の切込み１０の延伸部１８からの破断力が外側に向かった場合に、直線部１２により破断力を受け止めることができず、剥離を起こしてしまう。なお、剥離が生じないと、切断面の見栄えが悪くなることがなく、また、ジッパーをスムーズに破断することができる。同様に、延伸部２８の長さが、長さＬ２０の３０％以上であることにより、延伸部２８の後端（つまり、端部ｍ２５）から破断力を次の切込み２０の直線部２２の前端（つまり、端部ｍ２１）に伝えやすくなり、また、延伸部２８の長さが、長さＬ２０の５０％以下であることにより、直線部２２の仮想直線２０Ｅに対する角度α２１を４５度よりも小さくしつつ、曲線部２４の頂点から仮想直線２０Ｅまでの長さＬ２５や直線部２２の長さを剥離が起きない程度に長く確保することができる。
【０１９１】
なお、ジッパー開封方向が曲線状の場合でも、延伸部１８の長さ（仮想曲線１１Ｅに沿った長さ）は、仮想曲線１１Ｅに沿った長さＬ１０の３０％以上である（延伸部１８の長さ（「仮想直線１０Ｅ’に沿った長さ）は、仮想直線１０Ｅ’に沿った長さＬ１０’の３０％以上であり」としてもよい）ので、延伸部１８の後端から破断力を次の切込み１０の直線部１２の前端に伝えやすく、また、延伸部１８の長さ（仮想曲線１１Ｅに沿った長さ）は、仮想曲線１１Ｅに沿った長さＬ１０の５０％以下である（延伸部１８の長さ（「仮想直線１０Ｅ’に沿った長さ）は、仮想直線１０Ｅ’に沿った長さＬ１０’の５０％以下であり」としてもよい）ので、直線部１２の接線１５Ｅに対する角度α１１を４５度よりも小さくしつつ、曲線部１４の頂点から仮想曲線１１Ｅまでの長さや直線部１２の長さを剥離が起きない程度に長く確保することができる。なお、剥離が生じないと、切断面の見栄えが悪くなることがなく、また、ジッパーをスムーズに破断することができる。同様に、延伸部２８の長さ（仮想曲線２１Ｅに沿った長さ）は、仮想曲線２１Ｅに沿った長さＬ２０の３０％以上である（延伸部２８の長さ（「仮想直線２０Ｅ’に沿った長さ）は、仮想直線２０Ｅ’に沿った長さＬ２０’の３０％以上であり」としてもよい）ので、延伸部２８の後端から破断力を次の切込み２０の直線部２２の前端に伝えやすく、また、延伸部２８の長さ（仮想曲線２１Ｅに沿った長さ）は、仮想曲線２１Ｅに沿った長さＬ２０の５０％以下である（延伸部２８の長さ（「仮想直線２０Ｅ’に沿った長さ）は、仮想直線２０Ｅ’に沿った長さＬ２０’の５０％以下であり」としてもよい）ので、直線部２２の接線２５Ｅに対する角度α２１を４５度よりも小さくしつつ、曲線部２４の頂点から仮想曲線２１Ｅまでの長さや直線部２２の長さを剥離が起きない程度に長く確保することができる。
【０１９２】
また、端部ｍ１１から接触点ｍ１４までの範囲において、曲線部分のジッパー開封方向に沿った長さが、直線部分のジッパー開封方向に沿った長さよりも長い（具体的には、曲線部分の開封方向に沿った長さが直線部分の開封方向に沿った長さの２倍以上となっている）ので、切込み１０における凹凸を目立たなくすることができ、破断力を延伸部１８にスムーズに伝えることができる。つまり、仮に、曲線部１４や曲線部１６の径を小さくすることにより、曲線部１４と曲線部１６間に直線状の他の直線部が設けられて、該他の直線部と直線部１２の開封方向に沿った長さの割合が大きくなると、端部ｍ１１から接触点ｍ１４までの構成が二等辺三角形に近くなり、切込み１０における凹凸が目立って、ジッパーＡを開封した際の破断面において凹凸が目立ってしまうが、本実施例では、曲線部分の割合が多いので、凹凸を目立たなくすることができ、これにより、切断面の見栄えをよくすることができる。また、曲線部分の割合を多くすることにより、曲線部１４や曲線部１６の円弧の径を大きくできるので、その分、破断力を延伸部１８にスムーズに伝えることができ、これにより、ジッパーＡをスムーズに破断することができる。なお、曲線部分の開封方向に沿った長さが直線部分の開封方向に沿った長さよりも短い場合には、曲線部１４や曲線部１６の円弧の径がその分小さくなるので、スムーズに破断しづらくなる。同様に、端部ｍ２１から接触点ｍ２４までの範囲において、曲線部分のジッパー開封方向に沿った長さが、直線部分のジッパー開封方向に沿った長さよりも長い（具体的には、曲線部分のジッパー開封方向に沿った長さが直線部分の開封方向に沿った長さの２倍以上となっている）ので、切込み２０における凹凸を目立たなくして、切断面の見栄えをよくすることができ、また、破断力を延伸部２８にスムーズに伝えることにより、ジッパーＡをスムーズに破断できる。
【０１９３】
なお、ジッパー開封方向が曲線状の場合でも、また、端部ｍ１１から接触点ｍ１４までの範囲において、曲線部分（つまり、曲線部１４と曲線部１６）の仮想曲線１１Ｅに沿った長さ（長さＬ１２と長さＬ１３の和）が、直線部分（つまり、直線部１２）の仮想曲線１１Ｅに沿った長さ（長さＬ１１）よりも長い（具体的には、曲線部分の仮想曲線１１Ｅ（つまり、ジッパー開封方向）に沿った長さが、直線部分の仮想曲線１１Ｅに沿った長さの２倍以上となっている（曲線部分の仮想直線１０Ｅ’に沿った長さ（長さＬ１２と長さＬ１３の和）が、直線部分の仮想直線１０Ｅ’に沿った長さ（長さＬ１１）よりも長い（具体的には、曲線部分の仮想直線１０Ｅ’に沿った長さが、直線部分の仮想直線１０Ｅ’に沿った長さの２倍以上となっているとしてもよい）））ので、切込み１０における凹凸を目立たなくすることにより、切断面の見栄えをよくすることができ、また、破断力を延伸部１８にスムーズに伝えることにより、ジッパーをスムーズに破断できる。同様に、端部ｍ２１から接触点ｍ２４までの範囲において、曲線部分（つまり、曲線部２４と曲線部２６）の仮想曲線２１Ｅに沿った長さ（長さＬ２２と長さＬ２３の和）が、直線部分（つまり、直線部２２）の仮想曲線２１Ｅに沿った長さ（長さＬ２１）よりも長い（具体的には、曲線部分の仮想曲線２１Ｅ（つまり、ジッパー開封方向）に沿った長さが、直線部分の仮想曲線２１Ｅに沿った長さの２倍以上となっている（曲線部分の仮想直線２０Ｅ’に沿った長さ（長さＬ２２と長さＬ２３の和）が、直線部分の仮想直線２０Ｅ’に沿った長さ（長さＬ２１）よりも長い（具体的には、曲線部分の仮想直線２０Ｅ’に沿った長さが、直線部分の仮想直線２０Ｅ’に沿った長さの２倍以上となっているとしてもよい）））ので、切込み２０における凹凸を目立たなくすることにより、切断面の見栄えをよくすることができ、また、破断力を延伸部１８にスムーズに伝えることにより、ジッパーをスムーズに破断できる。
【０１９４】
また、切込み１０、２０を構成する各部の境界においては、上記のように切込みの方向が滑らかに切り替わるように形成されているので、ジッパーＡをスムーズに破断することができる。
【０１９５】
また、直線部１２と曲線部１４と曲線部１６からなる構成部１１と直線部２２と曲線部２４と曲線部２６からなる構成部２１が設けられているので、ジッパーＡが形成されたブランクに対して、ブランクの面に対して垂直方向に力が加わった場合に、切れ目線Ａ１、Ａ２の破断を小さくすることができる。
【０１９６】
つまり、帯状部４０の領域が押された場合には、構成部１１と構成部２１間の長さが押された領域から離れるに従い短くなる範囲により帯状部４０が沈み込むのを規制でき、隙間の破断や破断の連鎖を防止することができる。
【０１９７】
すなわち、図８において、切れ目線Ａ１と切れ目線Ａ２間の領域で、ジッパー開封方向に隣接する一対の切込み１０−１、１０−２と一対の切込み２０−１、２０−２間の領域Ｒ１が押されて、切込み１０−１と切込み１０−２間の隙間が破断し、切込み２０−１と切込み２０−２間の隙間が破断した場合には、領域Ｒ１からジッパー開封方向に沿った方向の両側に沈み込むが、その際、押した箇所の中心位置Ｒ１−１は、垂直方向に沈み込むものの、中心位置Ｒ１−１からずれた位置Ｒ１−２、Ｒ１−３においては、中心位置Ｒ１−１とまだ押されていない領域との間で高低差があることから、斜めに沈み込もうとする。
【０１９８】
すると、領域Ｒ１よりもＸ２側においては、切込み１０−２における曲線部１４の頂点よりもＸ２側（右側）で接触点ｍ１４までの範囲では、帯状部４０が帯状部４０よりもＹ２側の領域４２に対して斜めの方向（図８（ｂ）では、右下方向）に押されるので、領域４２が帯状部４０の移動を遮って帯状部４０が沈み込むのを規制することができる。同様に、切込み１０−２における曲線部２４の頂点よりもＸ２側で接触点ｍ２４までの範囲では、帯状部４０が帯状部４０よりもＹ１側の領域４４に対して斜めの方向（図８（ｄ）では、右下方向）に押されるので、領域４４が帯状部４０の移動を遮って帯状部４０が沈み込むのを規制することができる。
【０１９９】
また、領域Ｒ１よりもＸ１側においては、切込み１０−１における曲線部１４の頂点よりもＸ１側の範囲では、帯状部４０が帯状部４０よりもＹ２側の領域４２に対して斜め（図８（ｃ）では、左下方向）に押されるので、領域４２が帯状部４０の移動を遮って帯状部４０が沈み込むのを規制することができる。同様に、切込み２０−１における曲線部２４の頂点よりもＸ１側の範囲では、帯状部４０が帯状部４０よりもＹ１側の領域４４に対して斜め（図８（ｅ）では、左下方向）に押されるので、領域４４が帯状部４０の移動を遮って帯状部４０が沈み込むのを規制することができる。
【０２００】
よって、切込み１０−１、２０−１の構成部１１、２１における曲線部１４、２４の頂点よりもＸ１側で端部ｍ１１までの範囲（つまり、構成部１１、２１間の長さが領域Ｒ１から離れるに従い短くなる範囲）と、切込み１０−２、２０−２の構成部１１、２１における曲線部１４、２４の頂点よりもＸ１側の範囲（つまり、構成部１１、２１間の長さが領域Ｒ１から離れるに従い短くなる範囲）とで、帯状部４０が沈み込むのを規制できるので、切込み１０−１と切込み１０−２間の隙間が破断し、切込み２０−１と切込み２０−２間の隙間が破断した場合でも、隣接する次の隙間（切込み１０−１、２０−１と切込み１０−０、２０−０間の隙間や切込み１０−２、２０−２と切込み１０−３、２０−３間の隙間）が破断するのを防止することができ、隙間の破断の連鎖を防止することができる。
【０２０１】
また、帯状部４０において、切込み１０−２と切込み２０−２が対向する領域（例えば、図８における領域Ｒ２）が押された場合でも、構成部１１、２１間の長さが領域Ｒ２から離れるに従い（ジッパー開封方向に沿った方向（Ｘ１−Ｘ方向）に離れるに従い）短くなる範囲により帯状部４０が沈み込むのを規制できる。
【０２０２】
すなわち、図８において、切込み１０−２、２０−２が対向する領域（特に、接触点ｍ１４と接触点ｍ２４が対向する位置を含む領域）である領域Ｒ２が押された場合には、領域Ｒ２よりＸ１側においては、切込み１０−２、２０−２における構成部１１、２１の頂点（曲線部１４、２４の頂点）よりも図８におけるＸ２側の範囲は、領域Ｒ２から離れるに従い構成部１１、２１間の長さが長くなるので、領域４２、４４により帯状部４０が沈み込むのを規制できないが、構成部１１、２１の頂点よりもＸ１側（左側）で端部ｍ１１、ｍ２１までの範囲は、領域Ｒ２から離れるに従い構成部１１、２１間の長さが短くなるので、帯状部４０が沈み込むのを規制することができ、隣接する次の隙間（切込み１０−２、２０−２と切込み１０−１、２０−１間の隙間）が破断するのを防止することができ、隙間の破断の連鎖を防止することができる。
【０２０３】
領域Ｒ２が押された場合に、領域Ｒ２よりＸ２側においては、切込み１０−２、１０−３間の隙間や切込み２０−２、２０−３間の隙間が破断したとしても、切込み１０−３、２０−３における構成部１１、２１の頂点よりも図８におけるＸ２側で接触点ｍ１４、ｍ２４までの範囲は、領域Ｒ２から離れるに従い構成部１１、２１間の長さが短くなるので、切込み１０−３、２０−３に対してジッパー開封方向に隣接する切込みとの隙間が破断するのを防止することができる。
【０２０４】
なお、曲線部１４、２４や曲線部１６、２６が楕円弧状の場合でも、構成部１１と構成部２１間の長さが押された領域から離れるに従い（ジッパー開封方向に沿った方向（Ｘ１−Ｘ方向）に離れるに従い）短くなる範囲が存在するので、これにより、帯状部４０の沈み込みを規制することができる。
【０２０５】
なお、ジッパー開封方向が曲線状の場合でも、帯状部（切れ目線Ａ１’と切れ目線Ａ２’間の帯状部）の領域が押された場合には、構成部１１、２１間の長さが押された領域から離れるに従い短くなる範囲により帯状部が沈み込むのを規制でき、隙間の破断や破断の連鎖を防止することができる。
【０２０６】
また、帯状部４０の外側の領域が押された場合でも、押された領域を通る仮想直線でジッパー開封方向に沿った仮想直線と構成部１１、２１間の長さが該領域から離れるに従って短くなる範囲においては、該外側の領域が沈み込むのを規制できるので、隙間の破断や破断の連鎖を防止することができる。
【０２０７】
例えば、図９において、帯状部４０の外側の領域で、ジッパー開封方向に隣接する一対の切込み（例えば、切込み２０−１と切込み２０−２）間の領域（例えば、領域Ｒ３）が押された場合には、ジッパー開封方向に沿った仮想直線４４Ｅと構成部２１間の長さが該領域から離れるに従って短くなる範囲においては、該外側の領域が沈み込むのを規制できるので、隙間の破断や破断の連鎖を防止することができる。
【０２０８】
例えば、領域Ｒ３が押された場合には、切込み２０−１と切込み２０−２間の隙間が破断したとしても、領域Ｒ３よりＸ１側においては、切込み２０−１の接触点ｍ２４よりもＸ１側で構成部２１における頂点までの範囲では、外側の領域４４が帯状部４０に対して斜め（図９（ｃ）では、左下方向）に押されるので、帯状部４０が領域４４の移動を遮って領域４４が沈み込むのを規制することができ、同様に、領域Ｒ３よりＸ２側においては、切込み２０−２の端部ｍ２１よりもＸ２側で構成部２１における頂点までの範囲では、外側の領域４４が帯状部４０に対して斜め（図９（ｂ）では、右下方向）に押されるので、帯状部４０が領域４４の移動を遮って領域４４が沈み込むのを規制することができる。
【０２０９】
また、帯状部４０において切込み１０−２、２０−２が対向する領域の外側の領域Ｒ４が押された場合には、領域Ｒ４よりＸ１側においては、切込み２０−２の接触点ｍ１４よりもＸ１側で構成部２１における頂点までの範囲では、外側の領域４４が帯状部４０に対して斜め（左下方向）に押されるので、帯状部４０が領域４４の移動を遮って領域４４が沈み込むのを規制することができる。また、領域Ｒ４よりもＸ２側においては、切込み２０−２と切込み２０−３間の隙間が破断したとしても、切込み２０−３の端部ｍ２１よりもＸ２側で構成部２１における頂点までの範囲では、外側の領域４４が帯状部４０に対して斜め（右下方向）に押されるので、帯状部４０が領域４４の移動を遮って領域４４が沈み込むのを規制することができる。
【０２１０】
なお、曲線部１４、２４や曲線部１６、２６が楕円弧状の場合でも、押された領域を通る仮想直線でジッパー開封方向に沿った仮想直線と構成部１１、２１間の長さが該領域から離れるに従って短くなる範囲が存在するので、該外側の領域が沈み込むのを規制することができる。
【０２１１】
なお、ジッパー開封方向が曲線状の場合でも、構成部１１、２１における範囲で、押された領域を通る仮想曲線でジッパー開封方向に沿った仮想曲線（仮想曲線１１Ｅ、２１Ｅと平行な仮想曲線）と構成部１１、２１間の長さが該領域から離れるに従って短くなる範囲においては、該外側の領域が沈み込むのを規制できるので、隙間の破断や破断の連鎖を防止することができる。
【０２１２】
また、直線部１２、２２は直線状に形成されているので、曲線部１４、２４に破断力が伝わりやすくして剥離が起きにくくすることができるとともに、ジッパーをスムーズに破断することができる。つまり、直線部１２が仮に左方向に曲がる曲線状で、直線部２２が仮に右方向に曲がる曲線状であるとすると、これらの曲線状の部分では破断力が後側に行くほど外側に向かっていくので、剥離が生じるおそれがあるとともに、曲線状の部分における破断力の中心が伝わった位置によっては、破断力と曲線状の部分における接点の角度が大きく異なり、破断力が伝わった際の衝撃の大きさに差が生じるので、ジッパーをスムーズに破断できない。また、直線部１２が仮に右方向に曲がる曲線状で、直線部２２が仮に左方向に曲がる曲線状であるとすると、該曲線状の部分の先端位置に近いほど破断力の方向に対する角度（接線との間の角度）が大きくなり、４５度よりも大きくなりやすいので、破断力が伝わった際の衝撃が感じられ、また、破断力と曲線状の部分における接点の角度が大きく異なり、破断力が伝わった際の衝撃の大きさに差が生じるので、ジッパーをスムーズに破断できない。
【０２１３】
直線部１２、２２によれば、１つ前の切込みから伝わった破断力が後側にいくほど外側に向かうことはないので、曲線部１４、２４に破断力が伝わりやすく、また、直線部１２、２２における位置によって、破断力と直線部における接点の角度が大きく異なることはないので、破断力が直線部１２、２２に伝わった際の極めて小さな衝撃の大きさにも差が生じるおそれが小さく、スムーズに破断を行なうことができる。この点は、後述する各実施例においても同様である。
【０２１４】
例えば、ジッパーＡを紙製箱に適用した例は、図１４、図１５に示すようになり、図１４、図１５に示す紙製箱（箱体、カートン、包装箱としてもよい）Ｐは、スリーブ状部１０５と、底面部１５０と、蓋部１９２と、差込み片部１９４と、フラップ部１９６、１９８とを有している。
【０２１５】
紙製箱Ｐは、１枚のシート状のブランク（具体的には、段ボール製（例えば、薄型段ボール製）のブランクであり、厚紙製のブランク等の他の紙製のブランクでもよい）により形成されている。つまり、紙製箱Ｐは、段ボール材（特に、両面段ボール材）等の紙製の箱体である。なお、両面段ボールにおける中芯の段の方向は、図１５に示す円内に示す方向（スリーブ状部１０５を構成する左側面部１３０の下辺と直角な方向）である（なお、中芯の段の方向は他の方向でもよい。）。
【０２１６】
スリーブ状部１０５は、正面部１１０と、右側面部１２０と、左側面部１３０と、背面部１４０と、糊代部１４２とを有していて、紙製箱Ｐの側面部を構成する。糊代部１４２は、右側面部１２０の背面側の端部（具体的には、背面側の端部の内側の面）に接着されている。
【０２１７】
また、底面部１５０は、いわゆるワンタッチ底であり、第１片部１６０と、第２片部１７０と、第３片部１８０と、第４片部１９０とを有している。
【０２１８】
第２片部１７０は、折れ線１７０−１を介して本体部１７２と先端部１７４とに区画される。本体部１７２の先端の先端部１７４側には、他方の本体部１８２と互いに係止するように切欠部１７２ａが形成されている。先端部１７４の上面は、第４片部１９０の下面に接着されている。紙製箱Ｐを折り畳んだ状態とした際に、第２片部１７０は、折れ線１７０−１を介して折り返した状態となる。
【０２１９】
また、第３片部１８０は、折れ線１８０−１を介して本体部１８２と先端部１８４とに区画される。本体部１８２の先端の先端部１８４側には、他方の本体部１７２と互いに係止するように切欠部１８２ａが形成されている。先端部１８４の上面は、第１片部１６０の下面に接着されている。紙製箱Ｐを折り畳んだ状態とした際に、第３片部１８０は、折れ線１８０−１を介して折り返した状態となる。
【０２２０】
ジッパーＡは、紙製箱Ｐに２つ形成され、一方のジッパーＡ−１は、正面部１１０の左右方向の中央から右側面部１２０の背面側の上端に向けて形成され、他方のジッパーＡ−２は、正面部１１０の左右方向の中央から左側面部１３０の背面側の上端に向けて形成されている。ジッパーＡ−１、Ａ−２はともにジッパーＡと同一の構成である。
【０２２１】
ジッパーＡ−１を破断するには、ジッパーＡ−１の片部３０を手前に起こして手でつまみ、正面部１１０に対して手前に引っぱった後に、右側面部１２０に対して手前に引っぱり、ジッパーＡ−２を破断するには、ジッパーＡ−２の片部３０を手前に起こして手でつまみ、正面部１１０に対して手前に引っぱった後に、左側面部１３０に対して手前に引っぱる。以上のように、ジッパーＡ−１、Ａ−２を破断して、左側面部１３０の上側の領域及びフラップ部１９８と正面部１１０の上側の領域と右側面部１２０の上側の領域及びフラップ部１９６を紙製箱Ｐから分離する。
【実施例２】
【０２２２】
次に、本発明に基づく紙製箱用切断構造としての切れ目線Ｂ１は、図１６に示すように構成され、複数の切込み１０を間隔を介して一列に直線状に配設したもので、切れ目線Ｂ１は、実施例１における切れ目線Ａ１と同一の構成であり（図１６に示す切れ目線Ｂ１は、実施例１の図１〜図３に示す切れ目線Ａ１と同一の構成である）、複数の切込み１０を間隔を介して一列に配設したものであり、切込み１０は、実施例１における切込み１０と同一の構成であるので、詳しい説明を省略する。つまり、切込み１０は、直線部１２と、曲線部１４と、曲線部１６と延伸部１８とを有している。
【０２２３】
切れ目線Ｂ１の使用に際しては、切れ目線開封方向（「切れ目線破断方向」としてもよい）は、図１６におけるＸ１側からＸ２側への方向であり、Ｘ１側が切れ目線開封方向において前側であり、Ｘ２側が切れ目線開封方向において後側である。本実施例の切れ目線開封方向と実施例１のジッパー開封方向は同じ方向であり、実施例１のジッパー開封方向の代わりに、切れ目線開封方向となっている。なお、図１６は、切れ目線開封方向が直線状である場合（切れ目線が直線状に形成されている場合、切れ目線の形成方向が直線状の場合としてもよい）を示している。
【０２２４】
なお、切れ目線Ｂ１の開封方向が直線状の場合（切れ目線Ｂ１が直線状に形成されている場合）には、切れ目線Ｂ１は、実施例１における切れ目線Ａ１と同様の構成であり、切れ目線Ｂ１の開封方向が曲線状の場合（切れ目線Ｂ１が曲線状に形成されている場合）（つまり、図１６における切込み１０を曲線状に配設した場合）には、切れ目線Ｂ１は、実施例１における切れ目線Ａ１’と同様の構成となっている。
【０２２５】
また、本発明に基づく紙製箱用切断構造としての切れ目線Ｂ２は、図１７に示すように構成され、複数の切込み２０を間隔を介して一列に直線状に配設したもので、切れ目線Ｂ２は、実施例１における切れ目線Ａ２と同一の構成であり（図１７に示す切れ目線Ｂ２は、実施例１の図１、図２、図５に示す切れ目線Ａ２と同一の構成である）、複数の切込み２０を間隔を介して一列に配設したものであり、切込み２０は、実施例１における切込み２０と同一の構成であるので、詳しい説明を省略する。つまり、切込み２０は、直線部２２と、曲線部２４と、曲線部２６と、延伸部２８とを有している。
【０２２６】
切れ目線Ｂ２の使用に際しては、切れ目線開封方向（「切れ目線破断方向」としてもよい）は、図１７におけるＸ２側からＸ１側への方向であり、Ｘ２側が切れ目線開封方向において前側であり、Ｘ１側が切れ目線開封方向において後側である。本実施例の切れ目線開封方向と実施例１のジッパー開封方向は同じ方向であり、実施例１のジッパー開封方向の代わりに、切れ目線開封方向となっている。なお、図１７は、切れ目線開封方向が直線状である場合（切れ目線が直線状に形成されている場合、切れ目線の形成方向が直線状の場合としてもよい）を示している。
【０２２７】
なお、切れ目線Ｂ２の開封方向が直線状の場合（切れ目線Ｂ２が直線状に形成されている場合）には、切れ目線Ｂ２は、実施例１における切れ目線Ａ２と同様の構成であり、切れ目線Ｂ２の開封方向が曲線状の場合（切れ目線Ｂ２が曲線状に形成されている場合）（つまり、図１７における切込み２０を曲線状に配設した場合）には、切れ目線Ｂ２は、実施例１における切れ目線Ａ２’と同様の構成となっている。
【０２２８】
ここで、切れ目線Ｂ１や切れ目線Ｂ２の場合には、実施例１と同様の効果を得ることができる。
【０２２９】
つまり、切れ目線Ｂ１においては、端部ｍ１１は、仮想直線１０Ｅ上に位置しており、また、延伸部１８は仮想直線１０Ｅ上にあるので、延伸部１８からの破断力が端部ｍ１１に伝わりやすく、また、延伸部１８の後端からの破断力の中心が外側を向いた場合でも、直線部１２や曲線部１４が設けられているので、破断力を受け止めることができ、切目線Ｂ１をスムーズに破断することができる。また、直線部１２や曲線部１４により破断力を受け止めることにより剥離が起きにくいので、切断面の見栄えをよくすることもできる。同様に、切れ目線Ｂ２においては、端部ｍ２１は、仮想直線２０Ｅ上に位置しており、また、延伸部２８は仮想直線２０Ｅ上にあるので、延伸部２８からの破断力が端部ｍ２１に伝わりやすく、また、延伸部２８の後端からの破断力の中心が外側を向いた場合でも、直線部２２や曲線部２４が設けられているので、破断力を受け止めることができ、よって、切れ目線Ｂ２をスムーズに破断することができる。また、直線部２２や曲線部２４により破断力を受け止めることにより剥離が起きにくいので、切断面の見栄えをよくすることもできる。
【０２３０】
なお、切れ目線開封方向が曲線状の場合でも、端部ｍ１１は、仮想曲線１１Ｅ上に位置しており、また、延伸部１８は仮想曲線１１Ｅ上にあるので、延伸部１８からの破断力が端部ｍ１１に伝わりやすく、また、延伸部１８の後端からの破断力の中心が外側を向いた場合でも、直線部１２や曲線部１４が設けられているので、破断力を受け止めることができ、よって、切れ目線をスムーズに破断することができ、切断面の見栄えをよくすることができる。同様に、端部ｍ２１は、仮想曲線２１Ｅ上に位置しており、また、延伸部２８は仮想曲線２１Ｅ上にあるので、延伸部２８からの破断力が端部ｍ２１に伝わりやすく、また、延伸部２８の後端からの破断力の中心が外側を向いた場合でも、直線部２２や曲線部２４が設けられているので、破断力を受け止めることができ、よって、切れ目線をスムーズに破断することができ、切断面の見栄えをよくすることができる。
【０２３１】
また、切れ目線Ｂ１においては、端部ｍ１１は、仮想直線１０Ｅ上に位置しており、また、延伸部１８は仮想直線１０Ｅ上にあり、延伸部１８からの破断力が端部ｍ１１に伝わりやすく、また、切込み１０においては、直線部１２と曲線部１４と曲線部１６により突状に形成されているので、切断面の見栄えをよくすることができる。同様に、切れ目線Ｂ２においては、端部ｍ２１は、仮想直線２０Ｅ上に位置しており、また、延伸部２８は仮想直線２０Ｅ上にあり、延伸部２８からの破断力が端部ｍ２１に伝わりやすく、また、切込み２０においては、直線部２２と曲線部２４と曲線部２６により突状に形成されているので、切断面の見栄えをよくすることができる。
【０２３２】
なお、切れ目線開封方向が曲線状の場合でも、端部ｍ１１は、仮想曲線１１Ｅ上に位置しており、また、延伸部１８は仮想曲線１１Ｅ上にあり、延伸部１８からの破断力が端部ｍ１１に伝わりやすく、また、切込み１０においては、直線部１２と曲線部１４と曲線部１６により突状に形成されているので、切断面の見栄えをよくすることができる。同様に、端部ｍ２１は、仮想曲線２１Ｅ上に位置しており、また、延伸部２８は仮想曲線２１Ｅ上にあり、延伸部２８からの破断力が端部ｍ２１に伝わりやすく、また、切込み２０においては、直線部２２と曲線部２４と曲線部２６により突状に形成されているので、切断面の見栄えをよくすることができる。
【０２３３】
また、切れ目線Ｂ１において、直線部１２が仮想直線１０Ｅとなす角度α１１が４５度より小さいので、１つ前の切込み１０からの破断力が直線部１２に伝わった際の衝撃が極めて小さく、また、角度α１２が９０度よりも大きいので、直線部１２からの破断力をスムーズに延伸部１８に伝えることができ、よって、切れ目線Ｂ１をスムーズに破断することができる。同様に、切れ目線Ｂ２において、直線部２２が仮想直線２０Ｅとなす角度α２１が４５度より小さいので、１つ前の切込み２０からの破断力が直線部２２に伝わった際の衝撃が極めて小さく、また、角度α２２が９０度よりも大きいので、直線部２２からの破断力をスムーズに延伸部２８に伝えることができ、よって、切れ目線Ｂ２をスムーズに破断することができる。
【０２３４】
なお、切れ目線開封方向が曲線状の場合でも、直線部１２の端部ｍ１１における仮想曲線１１Ｅの接線１５Ｅに対する角度α１１は、４５度よりも小さい角度となっていて、また、角度α１２が９０度よりも大きいので、直線部１２からの破断力をスムーズに延伸部１８に伝えることができ、よって、切れ目線をスムーズに破断することができる。同様に、直線部２２の端部ｍ２１における仮想曲線２１Ｅの接線２５Ｅに対する角度α２１は、４５度よりも小さい角度となっていて、また、角度α２２が９０度よりも大きいので、直線部２２からの破断力をスムーズに延伸部２８に伝えることができ、よって、切れ目線をスムーズに破断することができる。
【０２３５】
また、切れ目線Ｂ１において、延伸部１８の長さが、長さＬ１０の３０％以上であることにより、延伸部１８の後端（つまり、端部ｍ１５）から破断力を次の切込み１０の直線部１２の前端（つまり、端部ｍ１１）に伝えやすくなり、また、延伸部１８の長さが、長さＬ１０の５０％以下であることにより、直線部１２の仮想直線１０Ｅに対する角度α１１を４５度よりも小さくしつつ、曲線部１４の頂点から仮想直線１０Ｅまでの長さＬ１５や直線部１２の長さを剥離が起きない程度に長く確保することができる。なお、剥離が生じないと、切断面の見栄えが悪くなることがなく、また、ジッパーをスムーズに破断することができる。同様に、延伸部２８の長さが、長さＬ２０の３０％以上であることにより、延伸部２８の後端（つまり、端部ｍ２５）から破断力を次の切込み２０の直線部２２の前端（つまり、端部ｍ２１）に伝えやすくなり、また、延伸部２８の長さが、長さＬ２０の５０％以下であることにより、直線部２２の仮想直線２０Ｅに対する角度α２１を４５度よりも小さくしつつ、曲線部２４の頂点から仮想直線２０Ｅまでの長さＬ２５や直線部２２の長さを剥離が起きない程度に長く確保することができる。
【０２３６】
なお、切れ目線開封方向が曲線状の場合でも、延伸部１８の長さ（仮想曲線１１Ｅに沿った長さ）は、仮想曲線１１Ｅに沿った長さＬ１０の３０％以上である（延伸部１８の長さ（「仮想直線１０Ｅ’に沿った長さ）は、仮想直線１０Ｅ’に沿った長さＬ１０’の３０％以上であり」としてもよい）ので、延伸部１８の後端から破断力を次の切込み１０の直線部１２の前端に伝えやすく、また、延伸部１８の長さ（仮想曲線１１Ｅに沿った長さ）は、仮想曲線１１Ｅに沿った長さＬ１０の５０％以下である（延伸部１８の長さ（「仮想直線１０Ｅ’に沿った長さ）は、仮想直線１０Ｅ’に沿った長さＬ１０’の５０％以下であり」としてもよい）ので、直線部１２の接線１５Ｅに対する角度α１１を４５度よりも小さくしつつ、曲線部１４の頂点から仮想曲線１１Ｅまでの長さや直線部１２の長さを剥離が起きない程度に長く確保することができる。同様に、延伸部２８の長さ（仮想曲線２１Ｅに沿った長さ）は、仮想曲線２１Ｅに沿った長さＬ２０の３０％以上である（延伸部２８の長さ（「仮想直線２０Ｅ’に沿った長さ）は、仮想直線２０Ｅ’に沿った長さＬ２０’の３０％以上であり」としてもよい）ので、延伸部２８の後端から破断力を次の切込み２０の直線部２２の前端に伝えやすく、また、延伸部２８の長さ（仮想曲線２１Ｅに沿った長さ）は、仮想曲線２１Ｅに沿った長さＬ２０の５０％以下である（延伸部２８の長さ（「仮想直線２０Ｅ’に沿った長さ）は、仮想直線２０Ｅ’に沿った長さＬ２０’の５０％以下であり」としてもよい）ので、直線部２２の接線２５Ｅに対する角度α２１を４５度よりも小さくしつつ、曲線部２４の頂点から仮想曲線２１Ｅまでの長さや直線部２２の長さを剥離が起きない程度に長く確保することができる。
【０２３７】
また、端部ｍ１１から接触点ｍ１４までの範囲において、曲線部分の切れ目線開封方向に沿った長さが、直線部分の切れ目線開封方向に沿った長さよりも長い（具体的には、曲線部分の開封方向に沿った長さが直線部分の開封方向に沿った長さの２倍以上となっている）ので、切込み１０における凹凸を目立たなくすることにより、切断面の見栄えをよくすることができ、また、破断力を延伸部１８にスムーズに伝えることにより、切れ目線をスムーズに破断できる。同様に、端部ｍ２１から接触点ｍ２４までの範囲において、曲線部分の切れ目線開封方向に沿った長さが、直線部分の切れ目線開封方向に沿った長さよりも長い（具体的には、曲線部分の切れ目線開封方向に沿った長さが直線部分の開封方向に沿った長さの２倍以上となっている）ので、切込み２０における凹凸を目立たなくすることにより、切断面の見栄えをよくすることができ、また、破断力を延伸部２８にスムーズに伝えることにより、切れ目線をスムーズに破断できる。
【０２３８】
なお、切れ目線開封方向が曲線状の場合でも、また、端部ｍ１１から接触点ｍ１４までの範囲において、曲線部分（つまり、曲線部１４と曲線部１６）の仮想曲線１１Ｅに沿った長さ（長さＬ１２と長さＬ１３の和）が、直線部分（つまり、直線部１２）の仮想曲線１１Ｅに沿った長さ（長さＬ１１）よりも長い（具体的には、曲線部分の仮想曲線１１Ｅ（つまり、切れ目線開封方向）に沿った長さが、直線部分の仮想曲線１１Ｅに沿った長さの２倍以上となっている（曲線部分の仮想直線１０Ｅ’に沿った長さ（長さＬ１２と長さＬ１３の和）が、直線部分の仮想直線１０Ｅ’に沿った長さ（長さＬ１１）よりも長い（具体的には、曲線部分の仮想直線１０Ｅ’に沿った長さが、直線部分の仮想直線１０Ｅ’に沿った長さの２倍以上となっているとしてもよい）））ので、切込み１０における凹凸を目立たなくすることにより、切断面の見栄えをよくすることができ、また、破断力を延伸部１８にスムーズに伝えることにより、切れ目線をスムーズに破断できる。同様に、端部ｍ２１から接触点ｍ２４までの範囲において、曲線部分（つまり、曲線部２４と曲線部２６）の仮想曲線２１Ｅに沿った長さ（長さＬ２２と長さＬ２３の和）が、直線部分（つまり、直線部２２）の仮想曲線２１Ｅに沿った長さ（長さＬ２１）よりも長い（具体的には、曲線部分の仮想曲線２１Ｅ（つまり、ジッパー開封方向）に沿った長さが、直線部分の仮想曲線２１Ｅに沿った長さの２倍以上となっている（曲線部分の仮想直線２０Ｅ’に沿った長さ（長さＬ２２と長さＬ２３の和）が、直線部分の仮想直線２０Ｅ’に沿った長さ（長さＬ２１）よりも長い（具体的には、曲線部分の仮想直線２０Ｅ’に沿った長さが、直線部分の仮想直線２０Ｅ’に沿った長さの２倍以上となっているとしてもよい）））ので、切込み２０における凹凸を目立たなくすることにより、切断面の見栄えをよくすることができ、破断力を延伸部２８にスムーズに伝えることにより、切れ目線をスムーズに破断できる。
【０２３９】
また、切込み１０には、直線部１２と曲線部１４と曲線部１６からなる構成部１１が設けられ、切込み２０には、直線部２２と曲線部２４と曲線部２６からなる構成部２１が設けられているので、切れ目線Ｂ１又は切れ目線Ｂ２が形成されたブランクに対して、ブランクの面に対して垂直方向に力が加わった場合に  つまり、切れ目線Ｂ１、Ｂ２の破断を小さくすることができる。
【０２４０】
つまり、押された領域を通る仮想直線で切れ目線開封方向に沿った仮想直線（又は仮想曲線）と構成部１１、２１間の長さが該領域から離れるに従って短くなる範囲においては、押された領域の側の領域が沈み込むのを規制できるので、隙間の破断や破断の連鎖を防止することができる。
【０２４１】
また、切込み１０、２０を構成する各部の境界においては、上記のように切込みの方向が滑らかに切り替わるように形成されているので、、切れ目線Ｂ１、Ｂ２をスムーズに破断することができる。
【０２４２】
切れ目線Ｂ１と切れ目線Ｂ２を適用した例は、図１８〜図２４に示すようになり、紙製箱（箱体、カートン、包装箱としてもよい）Ｑは、スリーブ状部２０５と、底面部４００と、フラップ部３２０、３３０と、蓋部３１０、３４０とを有している。
【０２４３】
ここで、スリーブ状部２０５は、正面部２１０と、正面部２１０の右側面側の辺部から折れ線Ｃ２０を介して連設された右側面部２２０と、正面部２１０の左側面側の辺部から折れ線Ｃ３０を介して連設された左側面部２３０と、左側面部２３０の背面側の辺部から折れ線Ｃ４０を介して連設された背面部２４０と、背面部２４０の右側面側の辺部から折れ線Ｃ４９を介して連設された糊代部２４９とを有している。折れ線Ｃ２０と折れ線Ｃ３０と折れ線Ｃ４０と折れ線Ｃ４９とは互いに平行となっている。
【０２４４】
紙製箱Ｑは、１枚のシート状のブランク（具体的には、段ボール製（例えば、薄型段ボール製）のブランクであり、厚紙製のブランク等の他の紙製のブランクでもよい）により形成されている。つまり、紙製箱Ｑは、段ボール材（特に、両面段ボール材）等の紙製の箱体である。なお、両面段ボールにおける中芯の段の方向は、図２２に示す円内に示す方向（折れ線Ｃ２０、Ｃ３０、Ｃ４０と平行な方向）である（なお、中芯の段の方向は他の方向でもよい。）。
【０２４５】
正面部２１０と右側面部２２０と左側面部２３０と背面部２４０は、方形状（具体的には、方形状の平板状）を呈し、正面部２１０と右側面部２２０と左側面部２３０と背面部２４０は、縦長の長方形状を呈している。
【０２４６】
正面部２１０と右側面部２２０と左側面部２３０と背面部２４０における縦方向の長さは同一に形成されている。つまり、紙製箱Ｑの展開状態において、正面部２１０の下辺と右側面部２２０の下辺と左側面部２３０の下辺と背面部２４０の下辺とは、同一直線上に形成され、正面部２１０の上辺と右側面部２２０の上辺と左側面部２３０の上辺と背面部２４０の上辺とは、同一直線上に形成されている。
【０２４７】
また、横方向には、右側面部２２０と左側面部２３０とは同一の長さに形成され、正面部２１０と背面部２４０とは同一（略同一としてもよい）の長さに形成されている。
【０２４８】
糊代部２４９は、略台形形状に形成され、右側面部２２０背面側の端部領域の内側の面に接着されている。なお、糊代部２４９は、背面部２４０から連設されているが、右側面部２２０の背面側の端部から連設され、背面部２４０の右側面側の端部に接着された構成としてもよい。また、糊代部２４９は、右側面部２２０の背面側の端部領域の外側の面に接着するものとしてもよい。
【０２４９】
スリーブ状部２０５には、切れ目線（切断予定線としてもよい）Ｋ５が周状に設けられ（周設されとしてもよい）、図１８〜図２２に示すように、右側面部２２０の背面側の端部から正面部２１０、左側面部２３０、背面部２４０を経て、糊代部２４９の正面側の端部にまで形成されている。つまり、切れ目線Ｋ５は、無端状（ループ状としてもよい）に形成されている。紙製箱Ｑにおいて、切れ目線Ｋ５を介して下側の部分が下側構成部Ａ−１となり、上側の部分が上側構成部Ａ−２となる。
【０２５０】
切れ目線Ｋ５は、正面部２１０に形成された切れ目線Ｋ１０と、右側面部２２０に形成された切れ目線Ｋ２０と、左側面部２３０に形成された切れ目線Ｋ３０と、背面部２４０に形成された切れ目線Ｋ４０と、糊代部２４９に形成された切れ目線Ｋ４９とを有している。切れ目線Ｋ２０は、切れ目線Ｋ１０の右側面側の端部から連続して形成され、切れ目線Ｋ３０は、切れ目線Ｋ１０の左側面側の端部から連続して形成され、切れ目線Ｋ４０は、切れ目線Ｋ３０の背面側の端部から連続して形成され、切れ目線Ｋ４９は、切れ目線Ｋ４０の右側面側の端部から連続して形成されている。なお、糊代部２４９が背面部２４０に接着された状態では、切れ目線Ｋ２０の背面側の端部と切れ目線Ｋ４９とは重なるので、切れ目線Ｋ４０は、切れ目線Ｋ２０の背面側の端部から連続して形成されているといえる。切れ目線Ｋ１０、Ｋ２０、Ｋ３０、Ｋ４０はいずれも切断予定線により形成されている。切れ目線Ｋ１０と切れ目線Ｋ２０と切れ目線Ｋ３０と切れ目線Ｋ４０とで切れ目線が周状に設けられている。
【０２５１】
ここで、切れ目線（第１切れ目線）Ｋ１０は、左右方向に略直線状に形成された切れ目線（第１切れ目線中央構成部）Ｋ１１と、切れ目線Ｋ１１の右側面側の端部から右側面側に斜め上方に形成されるとともに、該斜め上方に形成された切れ目線の切れ目線Ｋ１１とは反対側の端部から略上方に形成された切れ目線Ｋ１２と、切れ目線Ｋ１１の左側面側の端部から左側面側に斜め上方に形成されるとともに、該斜め上方に形成された切れ目線の切れ目線Ｋ１１とは反対側の端部から略上方に形成された切れ目線Ｋ１３と、切れ目線Ｋ１２の上端から正面部２１０の右側面側の辺部に向けて形成された切れ目線Ｋ１４と、切れ目線Ｋ１３の上端から正面部２１０の左側面側の辺部に向けて形成された切れ目線Ｋ１５とを有している。切れ目線Ｋ１２と切れ目線Ｋ１４とで第１切れ目線右側面側構成部となり、切れ目線Ｋ１３と切れ目線Ｋ１５とで第１切れ目線左側面側構成部となる。切れ目
線Ｋ１２及び切れ目線Ｋ１４からなる切れ目線と、切れ目線Ｋ１３及び切れ目線Ｋ１５からなる切れ目線とは左右対称（つまり、左右線対称）に形成されている。また、切れ目線Ｋ１０は、全体として左右対称（つまり、左右線対称）に形成されている。切れ目線Ｋ１１、Ｋ１２、Ｋ１３により切れ目線が略Ｕ字状となるように形成されている。
【０２５２】
切れ目線Ｋ１１は、切込みを間隔を介して略直線状に配設してなり、また、切れ目線Ｋ１２は、切れ目線Ｋ１１の右側面側の端部から連続して形成され、切れ目線Ｋ１３は、切れ目線Ｋ１１の左側面側の端部から連続して形成され、切れ目線Ｋ１４は、切れ目線Ｋ１２の切れ目線Ｋ１１と反対側の端部から連続して形成され、切れ目線Ｋ１５は、切れ目線Ｋ１３の切れ目線Ｋ１１と反対側の端部から連続して形成されている。切れ目線Ｋ１０は、左右線対称に形成されている。
【０２５３】
切れ目線Ｋ１１は、正面部２１０の下辺のやや上側の位置に形成され、左右方向において正面部２１０の中央位置に形成されている。切れ目線Ｋ１２、Ｋ１４は、複数の切込みを間隔を介して列状に配置することにより形成され、切れ目線Ｋ１３、Ｋ１５は、複数の切込みを間隔を介して列状に配置することにより形成されている。
【０２５４】
また、切れ目線（第２切れ目線）Ｋ２０は、切れ目線（第２切れ目線副構成部）Ｋ２２と、切れ目線（第２切れ目線主構成部）Ｋ２４とを有し、切れ目線Ｋ２２は、切れ目線Ｋ１４の右側面側の端部から連続して形成され（「連設され」としてもよい。他においても同じ。）、右側面部２２０の正面側の辺部から背面側に行くに従い上側となる方向に形成され、切れ目線Ｋ２４は、切れ目線Ｋ２２の背面側の端部から連続して形成され、背面側にいくに従い下側となる方向に形成されている。
【０２５５】
切れ目線Ｋ２２、Ｋ２４は、複数の切込みを間隔を介して列状に配置することにより形成されている。
【０２５６】
切れ目線Ｋ２２における複数の切込みの配設方向は、右側面部２２０の正面側の端部から背面側にいくに従い上方となるように（つまり、水平方向（例えば、右側面部２２０の下辺の方向）に対して斜め上方に傾斜して）直線状に形成され、切れ目線Ｋ２４における複数の切込みの配設方向は、切れ目線Ｋ２４の背面側の端部から背面側にいくに従い下方となるように（つまり、斜め下方に傾斜して）直線状に形成されている。つまり、切れ目線Ｋ２４は、背面側から正面側にいくに従い上方となるように（つまり、水平方向に対して斜め上方に傾斜して）直線状に形成されている。なお、右側面部２２０の下辺に対する傾斜角度としては、切れ目線Ｋ２２が切れ目線Ｋ２４よりも大きく形成され、切れ目線Ｋ２４は、背面側から正面側に向けてなだらかな上向きとなっていて、切れ目線Ｋ２２は、正面側から背面側に向けて、切れ目線Ｋ２４よりも大きな角度で上向きとなっている。切れ目線Ｋ２２は、切れ目線Ｋ２４の正面側の端部から右側面部２２０の正面側の辺部まで形成され、正面側にいくほど下側となるように形成されている。
【０２５７】
なお、切れ目線Ｋ２４が背面側から正面側にいくほど上側となるように右側面部２２０の下辺に対して傾斜しているので、当然、切れ目線Ｋ２４における下右側面部２２２と背面側領域２２７間の部分の切れ目線Ｋ２４−１も背面側から正面側にいくほど上側となるように傾斜している。また、切れ目線（第２切れ目線主構成部）Ｋ２４は、切れ目線Ｋ２４における折れ線Ｃ２１又は折れ線Ｃ２１の延長線との接点から正面側の範囲において、正面側にいくほど上側となるように形成されている。
【０２５８】
切れ目線Ｋ２４の正面側の端部から背面側の端部までの前後方向の長さ（右側面部２２０の下辺の方向の長さ）Ｌ２４は、切れ目線Ｋ２２の正面側の端部から背面側の端部までの前後方向の長さ（右側面部２２０の下辺の方向の長さ）Ｌ２２よりも長く形成されている（つまり、長さＬ２４は、右側面部２２０の背面側の端部から正面側の端部までの前後方向の長さＬ２０の半分以上の長さを有している）。なお、具体的には、長さＬ２２は、長さＬ２０の１／４〜１／３とする（つまり、長さＬ２４は、長さＬ２０の２／３〜３／４とする）。なお、長さＬ２４は、長さＬ２２の３〜４倍の長さに形成してもよい。
【０２５９】
また、切れ目線Ｋ２４における下右側面部２２２と背面側領域２２７間の部分の切れ目線（第１部分構成部）Ｋ２４−１の前後方向の長さＬ２４−１は、長さＬ２０の１／３（略１／３としてもよい）とするのが好ましい。すなわち、切れ目線Ｋ２４−１の前後方向の長さは、切れ目線Ｋ２０の切れ目線Ｋ２４−１以外の部分の前後方向の長さの半分と同一（略同一としてもよい）である。つまり、長さＬ２４−１を、長さＬ２０の１／３（略１／３としてもよい）とすることにより、背面側領域２２７が正面側領域２２６に対して回動しやすく、切れ目線Ｋ２４−１を破断しやすい。切れ目線Ｋ２４−１は、切れ目線Ｋ２４の一部であり、切れ目線Ｋ２４と折れ線Ｃ２１の接点（折れ線Ｃ２１が切れ目線Ｋ２４と接していない場合には、折れ線Ｃ２１の延長線の切れ目線Ｋ２４との接点）から切れ目線Ｋ２４の背面側の端部までとなる。下右側面部２２２、背面側領域２２７、折れ線Ｃ２１については、後述する。
【０２６０】
なお、紙製箱Ｑの展開状態においては、切れ目線Ｋ１４と切れ目線Ｋ２２とで、複数の切込みが１つの直線状に配設されている。
【０２６１】
また、切れ目線（第３切れ目線）Ｋ３０は、切れ目線（第３切れ目線副構成部）Ｋ３２と、切れ目線（第３切れ目線主構成部）Ｋ３４とを有し、切れ目線Ｋ３２は、切れ目線Ｋ１５の左側面側の端部から連続して形成され、左側面部２３０の正面側の辺部から背面側に行くに従い上側となる方向に形成され、切れ目線Ｋ３４は、切れ目線Ｋ３２の背面側の端部から連続して形成され、背面側にいくに従い下側となる方向に形成されている。つまり、切れ目線Ｋ３０は、切れ目線Ｋ２０と左右対称に形成され（つまり、紙製箱Ｑの展開状態では、線対称に形成され）、切れ目線Ｋ３２は、切れ目線Ｋ２２と左右対称に形成され、切れ目線Ｋ３４は、切れ目線Ｋ２４と左右対称に形成されている。
【０２６２】
切れ目線Ｋ３２、Ｋ３４は、複数の切込みを間隔を介して列状に配置することにより形成されている。
【０２６３】
切れ目線Ｋ３２における複数の切込みの配設方向は、左側面部２３０の正面側の端部から背面側にいくに従い上方となるように（つまり、斜め上方に傾斜して）直線状に形成され、切れ目線Ｋ３４における複数の切込みの配設方向は、切れ目線Ｋ３２の背面側の端部から背面側にいくに従い下方となるように（つまり、斜め下方に傾斜して）直線状に形成されている。つまり、切れ目線Ｋ３４は、背面側から正面側にいくに従い上方となるように（つまり、斜め上方に傾斜して）直線状に形成されている。なお、左側面部２３０の下辺に対する傾斜角度としては、切れ目線Ｋ３２が切れ目線Ｋ３４よりも大きく形成され、切れ目線Ｋ３４は、背面側から正面側に向けてなだらかな上向きとなっていて、切れ目線Ｋ３２は、正面側から背面側に向けて、切れ目線Ｋ３４よりも大きな角度で上向きとなっている。切れ目線Ｋ３２は、切れ目線Ｋ３４の正面側の端部から左側面部２３０の正面側の辺部まで形成され、正面側にいくほど下側となるように形成されている。
【０２６４】
なお、切れ目線Ｋ３４が背面側から正面側にいくほど上側となるように左側面部２３０の下辺に対して傾斜しているので、当然、切れ目線Ｋ３４における下右側面部２３２と背面側領域２３７間の部分の切れ目線Ｋ３４−１も背面側から正面側にいくほど上側となるように傾斜している。また、切れ目線（第３切れ目線主構成部）Ｋ３４は、切れ目線Ｋ３４における折れ線Ｃ３１又は折れ線Ｃ３１の延長線との接点から正面側の範囲において、正面側にいくほど上側となるように形成されている。
【０２６５】
切れ目線Ｋ３４の正面側の端部から背面側の端部までの前後方向の長さ（左側面部２３０の下辺の方向の長さ）Ｌ３４は、切れ目線Ｋ３２の正面側の端部から背面側の端部までの前後方向の長さ（左側面部２３０の下辺の方向の長さ）Ｌ３２よりも長く形成されている（つまり、長さＬ３４は、左側面部２３０の背面側の端部から正面側の端部までの前後方向の長さＬ３０の半分以上の長さを有している）。なお、具体的には、長さＬ３２は、長さＬ３０の１／４〜１／３とする（つまり、長さＬ３４は、長さＬ３０の２／３〜３／４とする）。なお、長さＬ３４は、長さＬ３２の３〜４倍の長さに形成してもよい。
【０２６６】
また、切れ目線Ｋ３４における下右側面部２３２と背面側領域２３７間の部分の切れ目線（第２部分構成部）Ｋ３４−１の前後方向の長さＬ３４−１は、長さＬ３０の１／３（略１／３としてもよい）とするのが好ましい。すなわち、切れ目線Ｋ３４−１の前後方向の長さは、切れ目線Ｋ３０の切れ目線Ｋ３４−１以外の部分の前後方向の長さの半分と同一（略同一としてもよい）である。つまり、長さＬ３４−１を、長さＬ３０の１／３（略１／３としてもよい）とすることにより、背面側領域２３７が正面側領域２３６に対して回動しやすく、切れ目線Ｋ３４−１を破断しやすい。切れ目線Ｋ３４−１は、切れ目線Ｋ３４の一部であり、切れ目線Ｋ３４と折れ線Ｃ３１の接点（折れ線Ｃ３１が切れ目線Ｋ３４と接していない場合には、折れ線Ｃ３１の延長線の切れ目線Ｋ３４との接点）から切れ目線Ｋ３４の背面側の端部までとなる。下左側面部２３２、背面側領域２３７、折れ線Ｃ３１については、後述する。
【０２６７】
これにより、上側構成部Ａ−２を上側に引っ張ることにより、切れ目線Ｋ２０、Ｋ３０における前後方向の半分以上の長さを破断することができる。
【０２６８】
なお、紙製箱Ｑの展開状態においては、切れ目線Ｋ１５と切れ目線Ｋ３２とで、切込みが１つの直線状に配設されている。
【０２６９】
また、切れ目線（第４切れ目線）Ｋ４０は、左右方向に直線状に形成された切れ目線Ｋ４１と、切れ目線Ｋ４１の右側面側の端部から形成された切れ目線Ｋ４２と、切れ目線Ｋ４１の左側面側の端部から形成された切れ目線Ｋ４３とを有している。
【０２７０】
切れ目線Ｋ４１は、複数の直線状の切込みを間隔を介して配設してなり、ミシン目状に形成されている。また、切れ目線Ｋ４２は、切れ目線Ｋ４１の右側面側の端部から連続して形成され、切れ目線Ｋ４３は、切れ目線Ｋ４１の左側面側の端部から連続して形成されている。切れ目線Ｋ４０は、左右線対称に形成されている。
【０２７１】
切れ目線Ｋ４１は、背面部２４０の上下方向における中央位置よりもやや下側の位置に形成され、左右方向において背面部２４０の中央位置に形成されている。
【０２７２】
切れ目線Ｋ４２は、複数の切込みを間隔を介して列状に配置することにより形成され、切れ目線Ｋ４３は、複数の切込みを間隔を介して列状に配置することにより形成されている。
【０２７３】
切れ目線Ｋ４２における複数の切込みの配設方向は、切れ目線Ｋ４１側から背面部２４０の右側面側の端部（切れ目線Ｋ２４側）にいくに従い上側となるように（つまり、斜め上方に傾斜して）直線状に形成され、切れ目線Ｋ４３における複数の切込みの配設方向は、切れ目線Ｋ４１側から背面部２４０の左側面側の端部にいくに従い上側となるように（つまり、斜め上方に傾斜して）直線状に形成されている。つまり、切れ目線Ｋ４２、Ｋ４３は背面部２４０の外側にいくほど上側となるように傾斜して形成されている。
【０２７４】
なお、切れ目線Ｋ４２の背面部２４０の下辺に対する傾斜角度は、切れ目線Ｋ２４の右側面部２２０の下辺に対する傾斜角度と同一（略同一としてもよい）であり、紙製箱Ｑの展開状態においては、切れ目線Ｋ３４と切れ目線Ｋ４３とで切込みが１つの直線状に配設されている。また、切れ目線Ｋ４３の背面部２４０の下辺に対する傾斜角度は、切れ目線Ｋ３４の左側面部２３０の下辺に対する傾斜角度と同一（略同一としてもよい）である。よって、隣接する切れ目線の傾斜角度が同一であるので、切れ目線Ｋ４２から切れ目線Ｋ２４にかけて極めてスムーズに破断することができ、また、切れ目線Ｋ４３から切れ目線Ｋ３４にかけて極めてスムーズに破断することができる。
【０２７５】
また、切れ目線Ｋ４９は、糊代部２４９に形成されていて、切れ目線Ｋ４２の背面側の端部から連続して形成され、複数の直線状の切込みが間隔を介して形成され、切れ目線Ｋ４９は、背面部２４０側の端部から糊代部２４９の先端側にいくほど上方となるように（つまり、斜め下方に傾斜して）形成されている。切れ目線Ｋ４９の水平方向に対する傾斜角度は、切れ目線Ｋ４２の背面部２４０の下辺に対する傾斜角度と同一（略同一としてもよい）である。この切れ目線Ｋ４９は、切れ目線Ｋ２４の背面側の端部の切込みと一致して形成され、糊代部２４９を右側面部２２０に接着した状態では、切れ目線Ｋ４９は、切れ目線Ｋ２４の背面側の端部とが重なり合っている。なお、切れ目線Ｋ４９を間隔を介して設けられた複数の切込みではなく、１つの切込みにより形成してもよい。
【０２７６】
また、切れ目線Ｋ４１からは一対の切れ目線Ｋ４４、Ｋ４５が左右両側に下方に向けて形成されている。つまり、切れ目線Ｋ４４は、切れ目線Ｋ４１の右側面側の端部近傍（切れ目線Ｋ４１の右側面側の端部としてもよい）から連設され、下方に向けて（背面部２４０の下辺に対して直角の方向に）形成され、切れ目線Ｋ４５は、切れ目線Ｋ４１の左側面側の端部近傍（切れ目線Ｋ４１の左側面側の端部としてもよい）から連設され、下方に向けて（背面部２４０の下辺に対して直角の方向に）形成されている。切れ目線Ｋ４４と切れ目線Ｋ４５とは同一の長さに形成され、互いに平行に形成され、ともに直線状の切込み（連続した切込み）により形成されている。切れ目線Ｋ４４と切れ目線Ｋ４５は、背面部２４０における上下方向を向いた中心線（左右方向における中心線）を介して左右対称に形成されている。また、切れ目線Ｋ４４の下端と切れ目線Ｋ４５の下端を結ぶ折れ線Ｃ４１が形成され、具体的には、背面部２４０の内側の面に折れ線Ｃ４１に沿って罫線が形成されている。なお、切れ目線Ｋ４４、Ｋ４５を切込みではなく、切断予定線により形成してもよい。つまり、切れ目線Ｋ４４、Ｋ４５は、連続した切込みと切断予定線のいずれにより形成してもよい。
【０２７７】
切れ目線Ｋ１４と切れ目線Ｋ２２とで複数の切込みが直線状に形成された切れ目線を構成する切込みのうち、範囲２０Ｇ１に示す切込み（切れ目線Ｋ１４の一部と切れ目線Ｋ２２）が上記切込み２０により形成され、範囲２０Ｇ１においては、切れ目線開封方向は直線状になっている。
【０２７８】
また、切れ目線Ｋ２４を構成する切込みのうち、範囲２０Ｇ２に示す切込み（切れ目線Ｋ２４を構成する切込み）が上記切込み２０により形成され、範囲２０Ｇ２においては、切れ目線開封方向は直線状になっている。また、切れ目線Ｋ４２も切れ目線開封方向が直線状になっている。
【０２７９】
切れ目線Ｋ１５と切れ目線Ｋ３２とで複数の切込みが直線状に形成された切れ目線を構成する切込みのうち、範囲１０Ｇ１に示す切込みが上記切込み１０により形成され、範囲１０Ｇ１においては、切れ目線開封方向は直線状になっている。
【０２８０】
また、切れ目線Ｋ３４と切れ目線Ｋ４３とで複数の切込みが直線状に形成された切れ目線を構成する切込みのうち、範囲１０Ｇ２に示す切込みが上記切込み１０により形成され、範囲１０Ｇ２においては、切れ目線開封方向は直線状になっている。
【０２８１】
切れ目線Ｋ４２と切れ目線Ｋ４９とで複数の切込みが直線状に形成された切れ目線を構成する切込みのうち、範囲２０Ｇ３に示す切込みが上記切込み２０により形成され、範囲２０Ｇ３においては、切れ目線開封方向は直線状になっている。
【０２８２】
また、切れ目線Ｋ４における右側領域２４７と下背面部２４２間の切れ目線Ｋ４２には、切込み２０が用いられ、切れ目線Ｋ４における左側領域２４８と下背面部２４２間の切れ目線Ｋ４３には、切込み１０が用いられている。
【０２８３】
なお、範囲１０Ｇ１、１０Ｇ２においては、切込み１０は、端部ｍ１１や接触点ｍ１４を下側（例えば、下左側面部２３２側、下背面部２４２側）とし、曲線部１４の頂点を上側（例えば、上左側面部２３５側、上背面部２４５側）として設けられている。また、範囲２０Ｇ１、２０Ｇ２，２０Ｇ３においては、切込み２０は、端部ｍ２１や接触点ｍ２４を下側（例えば、下右側面部２２２側、下背面部２４２側）とし、曲線部２４の頂点を上側（例えば、上右側面部２２５側、上背面部２４５側）として設けられている。
【０２８４】
なお、右側面部２２０において、切れ目線Ｋ２４−２と切れ目線Ｋ２２とが第１特定切れ目線を構成し、特に、切れ目線Ｋ２４−２における範囲２０Ｇ２の部分と切れ目線Ｋ２２における範囲２０Ｇ１の部分が第１特定切れ目線を構成する。また、切れ目線Ｋ２４は、第１上昇切れ目線を構成し、切れ目線Ｋ２２は、第１下降切れ目線を構成する。つまり、第１特定切れ目線（つまり、切れ目線Ｋ２４−２における切れ目線開封方向が直線状の部分）は、第１上昇切れ目線における背面側の端部から正面側の端部までの範囲内に設けられる（該範囲における少なくともいずれかの部分に設けられるとしてもよい）とともに、第１特定切れ目線（つまり、切れ目線Ｋ２２における切れ目線開封方向が直線状の部分）は、第１下降切れ目線における背面側の端部から正面側の端部までの範囲内に設けられている（該範囲における少なくともいずれかの部分に設けられるとしてもよい）。
【０２８５】
また、左側面部２３０において、切れ目線Ｋ３４−２と切れ目線Ｋ３２とが第２特定切れ目線を構成し、特に、切れ目線Ｋ３４−２における範囲１０Ｇ２の部分と切れ目線Ｋ３２における範囲１０Ｇ１が第２特定切れ目線を構成する。また、切れ目線Ｋ３４は、第２上昇切れ目線を構成し、切れ目線Ｋ３２は、第２下降切れ目線を構成する。つまり、第２特定切れ目線（つまり、切れ目線Ｋ３４−２における切れ目線開封方向が直線状の部分）は、第２上昇切れ目線における背面側の端部から正面側の端部までの範囲内に設けられる（該範囲における少なくともいずれかの部分に設けられるとしてもよい）とともに、第２特定切れ目線（つまり、切れ目線Ｋ３２における切れ目線開封方向が直線状の部分）は、第２下降切れ目線における背面側の端部から正面側の端部までの範囲内に設けられている（該範囲における少なくともいずれかの部分に設けられるとしてもよい）。
【０２８６】
なお、図２２の例では、切れ目線Ｋ２４−２と切れ目線Ｋ２２のそれぞれにおいて、切込み２０の数は１つと１／２といえるが、図２２の場合よりも細かいピッチで設けて、２つ以上の切込み２０を設けてもよい。同様に、切れ目線Ｋ３４−２と切れ目線Ｋ３２のそれぞれにおいて、切込み１０の数は１つと１／２といえるが、図２２の場合よりも細かいピッチで設けて、２つ以上の切込み２０を設けてもよい。
【０２８７】
以上のように、切れ目線Ｋ４２の切れ目線Ｋ４１側の端部から切れ目線Ｋ４９、Ｋ２０、Ｋ１４を経て切れ目線Ｋ１２の切れ目線Ｋ１１側の端部までの連続した切れ目線Ｋ５−１が形成され、また、切れ目線Ｋ４３の切れ目線Ｋ４１側の端部から切れ目線Ｋ３０、Ｋ１５を経て切れ目線Ｋ１３の切れ目線Ｋ１１側の端部までの連続した切れ目線Ｋ５−２が形成されている。切れ目線Ｋ５−１における開封方向は、切れ目線Ｋ４２の切れ目線Ｋ４１側の端部から切れ目線Ｋ４９、Ｋ２０、Ｋ１４を経て切れ目線Ｋ１２の切れ目線Ｋ１１側の端部に至る方向であり、切れ目線Ｋ５−２の開封方向は、切れ目線Ｋ４３の切れ目線Ｋ４１側の端部から切れ目線Ｋ３０、Ｋ１５を経て切れ目線Ｋ１３の切れ目線Ｋ１１側の端部に至る方向である。
【０２８８】
なお、切れ目線Ｋ５を構成する複数の切込みのうち、範囲１０Ｇ１、１０Ｇ２、２０Ｇ１、２０Ｇ２以外の範囲では、開封方向が直線状でないため、切込み１０、２０の形状以外の形状の切込みが用いられ、例えば、切れ目線Ｋ１２、Ｋ１３や、切れ目線Ｋ２２と切れ目線Ｋ２４の境界位置の切込みや、切れ目線Ｋ３２と切れ目線Ｋ３４の境界位置の切込みは、切込み１０又は切込み２０を変形した切込みが用いられている。
【０２８９】
また、紙製箱Ｑにおいては、背面部２４０に折れ線Ｃ４２、Ｃ４３が設けられ、右側面部２２０には、折れ線Ｃ２１が設けられ、左側面部２３０には、折れ線Ｃ３１が設けられている。
【０２９０】
すなわち、折れ線（第１折れ線）Ｃ４２は、切れ目線Ｋ４１と切れ目線Ｋ４４の接点の位置から背面部２４０の外側（右側面側）に向けて斜め上方に直線状に形成され、折れ線Ｃ４２の上側の端部は、背面部２４０の右側面側上端の角部に位置している。具体的には、背面部２４０の内側の面に折れ線Ｃ４２に沿って罫線が形成されている。
【０２９１】
また、折れ線（第２折れ線）Ｃ４３は、切れ目線Ｋ４１と切れ目線Ｋ４５の接点の位置から背面部２４０の外側（左側面側）に向けて斜め上方に直線状に形成され、折れ線Ｃ４３の上側の端部は、背面部２４０の左側面側上端の角部に位置している。具体的には、背面部２４０の内側の面に折れ線Ｃ４３に沿って罫線が形成されている。
【０２９２】
つまり、折れ線Ｃ４２は、背面部２４０の右側面側上端の角部から形成され、折れ線Ｃ４３は、背面部２４０の左側面側の上端の角部から形成され、切れ目線Ｋ４０側にいくに従い折れ線Ｃ４２と折れ線Ｃ４３間の長さが短くなるように形成されている。折れ線Ｃ４２に沿って形成された罫線は、背面部２４０の右側面側上端の角部から切れ目線Ｋ４０まで形成されているが、該罫線の下端と切れ目線Ｋ４０との間に間隔を設ける構成でもよく、該罫線の上端と背面部２４０の右側面側上端の角部との間に間隔を設ける構成でもよい。つまり、罫線（折れ線Ｃ４２としてもよい）は、背面部２４０の右側面側上端の角部である（第１角部）と切れ目線Ｋ４０の右側面側の端部から左側面側の端部までの途中位置（第１途中位置）（具体的には、切れ目線Ｋ４１と切れ目線Ｋ４４の接点の位置）の間の位置に第１角部と第１途中位置とを結ぶ方向に形成されていればよい。
【０２９３】
同様に、折れ線Ｃ４３に沿って形成された罫線は、背面部２４０の左側面側上端の角部から切れ目線Ｋ４０まで形成されているが、該罫線の下端と切れ目線２４０との間に間隔を設ける構成でもよく、該罫線の上端と背面部２４０の左側面側上端の角部との間に間隔を設ける構成でもよい。つまり、罫線（折れ線Ｃ４３としてもよい）は、背面部２４０の左側面側上端の角部である（第２角部）と切れ目線Ｋ４０の左側面側の端部から右側面側の端部までの途中位置で第１途中位置よりも左側面側の途中位置（第２途中位置）（具体的には、切れ目線Ｋ４１と切れ目線Ｋ４５の接点の位置）の間の位置に第２角部と第２途中位置とを結ぶ方向に形成されていればよい。
【０２９４】
また、折れ線（第３折れ線）Ｃ２１は、切れ目線Ｋ２４の途中位置（すなわち、背面側の端部から正面側の端部への途中位置）から背面側に向けて斜め上方に直線状に形成され、折れ線Ｃ２１の上側の端部は、右側面部２２０の背面側上端の角部に位置している。つまり、折れ線Ｃ２１は、右側面部２２０の背面側上端の角部から切れ目線Ｋ２４の途中位置に向けて形成されている。具体的には、右側面部２２０の内側の面に折れ線Ｃ２１に沿って罫線が形成されている。該罫線は、右側面部２２０の背面側上端の角部から切れ目線Ｋ２４の途中位置まで形成されているが、折れ線Ｃ２１の下端と切れ目線Ｋ２４との間に間隔を設けてもよく、折れ線Ｃ２１の上端と右側面部２２０の背面側上端の角部との間に間隔を設けてもよい。
【０２９５】
つまり、該罫線の一方の端部は、右側面部２２０の背面上側の角部に位置し、該罫線の他方の端部は、切れ目線Ｋ２４の途中位置に位置するが、罫線は、右側面部２２０の背面上側の角部や切れ目線Ｋ２４の途中位置まで形成されていなくてもよく、罫線の端部が、該角部に向かう途中位置まで形成されたものとしてもよく（つまり、罫線の該角部側の端部と該角部との間には間隔が形成されている）、また、罫線の端部が、切れ目線Ｋ２４の途中位置に向かう途中位置まで形成されたものとしてもよい（つまり、罫線の切れ目線Ｋ２４の途中位置側の端部と切れ目線Ｋ２４の途中位置との間には間隔が形成されている）。つまり、罫線（折れ線Ｃ２１としてもよい）が、右側面部２２０の背面上側の角部（第３角部）と切れ目線Ｋ２４の途中位置（第３途中位置）との間の位置に、右側面部２２０の背面上側の角部と切れ目線Ｋ２４の途中位置を結ぶ方向に直線状に形成されていればよい。
【０２９６】
また、折れ線（第４折れ線）Ｃ３１は、切れ目線Ｋ３４の途中位置（すなわち、背面側の端部から正面側の端部への途中位置）から背面側に向けて斜め上方に直線状に形成され、折れ線Ｃ３１の上側の端部は、左側面部２３０の背面側上端の角部に位置している。折れ線Ｃ３１は、折れ線Ｃ２１と左右対称に形成されている。すなわち、組立て状態の紙製箱Ｑにおいて、前後方向を向いた中心面（左右方向における中心面）を介して左右面対象に形成されている。つまり、折れ線Ｃ３１は、左側面部２３０の背面側上端の角部から切れ目線Ｋ３４の途中位置に向けて形成されている。具体的には、左側面部２３０の内側の面に折れ線Ｃ３１に沿って罫線が形成されている。該罫線は、左側面部２３０の背面側上端の角部から切れ目線Ｋ３４の途中位置まで形成されているが、折れ線Ｃ３１の下端と切れ目線Ｋ３４との間に間隔を設けてもよく、折れ線Ｃ３１の上端と左側面部２３０の背面側上端の角部との間に間隔を設けてもよい。
【０２９７】
つまり、該罫線の一方の端部は、左側面部２３０の背面上側の角部に位置し、該罫線の他方の端部は、切れ目線Ｋ３４の途中位置に位置するが、罫線は、左側面部２３０の背面上側の角部や切れ目線Ｋ３４の途中位置まで形成されていなくてもよく、罫線の端部が、該角部に向かう途中位置まで形成されたものとしてもよく（つまり、罫線の該角部側の端部と該角部との間には間隔が形成されている）、また、罫線の端部が、切れ目線Ｋ３４の途中位置に向かう途中位置まで形成されたものとしてもよい（つまり、罫線の切れ目線Ｋ３４の途中位置側の端部と切れ目線Ｋ３４の途中位置との間には間隔が形成されている）。つまり、罫線（折れ線Ｃ３１としてもよい）が、左側面部２３０の背面上側の角部（第４角部）と切れ目線Ｋ３４の途中位置（第４途中位置）との間の位置に、左側面部２３０の背面上側の角部と切れ目線Ｋ３４の途中位置を結ぶ方向に直線状に形成されていればよい。
【０２９８】
また、折れ線Ｃ４８は、糊代部２４９の上側で背面部２４０側の角部から折れ線Ｃ４９に対して傾斜して直線状に形成され、折れ線Ｃ４８の折れ線Ｃ４９に対する角度は、折れ線Ｃ２１の右側面部２２０の背面側の辺部に対する角度と同一に形成され、紙製箱Ｑを組み立てた状態では、折れ線Ｃ４８は、折れ線Ｃ２１に沿って設けられる。糊代部２４９の内側の面には、折れ線Ｃ４８に沿って折曲げ用の罫線が形成されている。なお、折れ線Ｃ４８に沿った罫線は、糊代部２４９の上側で背面部２４０側の角部まで形成されていなくてもよく、罫線と該角部間に間隔が形成されていてもよい。
【０２９９】
正面部２１０における切れ目線Ｋ１０よりも下側の部分が下正面部２１２となり、正面部２１０における切れ目線Ｋ１０よりも上側の部分が上正面部２１５となる。下正面部２１２は、略Ｕ字状に形成され、左右両側を除く部分が低く形成されている。
【０３００】
また、右側面部２２０における切れ目線Ｋ２０よりも下側の部分が下右側面部２２２となり、右側面部２２０における切れ目線Ｋ２０よりも上側の部分が上右側面部２２５となる。また、上右側面部２２５において、折れ線Ｃ２１よりも正面側の領域が正面側領域（第１正面側領域）２２６となり、折れ線Ｃ２１よりも背面側の領域が背面側領域（第１背面側領域）２２７となる。つまり、上右側面部２２５は、折れ線Ｃ２１を介して、正面側領域２２６と背面側領域２２７とに区画されている。
【０３０１】
また、左側面部２３０における切れ目線Ｋ３０よりも下側の部分が下左側面部２３２となり、左側面部２３０における切れ目線Ｋ３０よりも上側の部分が上左側面部２３５となる。また、上左側面部２３５において、折れ線Ｃ３１よりも正面側の領域が正面側領域（第２正面側領域）２３６となり、折れ線Ｃ３１よりも背面側の領域が背面側領域（第２背面側領域）２３７となる。つまり、上左側面部２３５は、折れ線Ｃ３１を介して、正面側領域２３６と背面側領域２３７とに区画されている。
【０３０２】
また、背面部２４０における切れ目線Ｋ４０よりも下側の部分が下背面部２４２となり、背面部２４０における切れ目線Ｋ４０よりも上側の部分が上背面部２４５となる。また、下背面部２４２において切れ目線Ｋ４１、Ｋ４４、Ｋ４５と折れ線Ｃ４１により囲まれた領域が押し部２４４となり、下背面部２４２における押し部２４４以外の領域が下背面部本体２４３となる。また、上背面部２４５において、折れ線Ｃ４２と折れ線Ｃ４３により挟まれた領域が中央領域２４６となり、折れ線Ｃ４２よりも右側面側の領域が右側領域２４７となり、折れ線Ｃ４３よりも左側面側の領域が左側領域２４８となる。つまり、上背面部２４５は、折れ線Ｃ４２と折れ線Ｃ４３を介して、中央領域２４６と右側領域２４７と左側領域２４８とに区画されている。
【０３０３】
なお、折れ線Ｃ４２としての罫線の下端と切れ目線４０との間に間隔を設け、折れ線Ｃ４２としての罫線の上端と背面部２４０の右側面側上端の角部との間に間隔を設ける構成とし、折れ線Ｃ４３としての罫線の下端と切れ目線４０との間に間隔を設け、折れ線Ｃ４３としての罫線の上端と背面部２４０の左側面側上端の角部との間に間隔を設ける構成とした場合には、中央領域２４６は、厳密には、「折れ線Ｃ４２又は折れ線Ｃ４２及びその延長線と折れ線Ｃ４３又は折れ線Ｃ４３及びその延長線の間の領域」といえるが、その場合も、中央領域４６は、折れ線Ｃ４２と折れ線Ｃ４３間の領域であるといえる。
【０３０４】
糊代部２４９における切れ目線Ｋ４９よりも下側の部分が糊代下側部２４９−１となり、糊代部２４９における切れ目線Ｋ４９よりも上側の部分が糊代上側部２４９−２となる。
【０３０５】
また、蓋部３１０は、正面部２１０の上辺から折れ線を介して連設され、方形状（長方形状）の先端の両側の角部を面取りした形状をを呈している。また、蓋部３４０は、背面部２４０の上辺から折れ線を介して連設され、方形状（長方形状）の先端の両側の角部を面取りした形状を呈し、紙製箱Ｑの組立て状態（図１８〜図２１の状態）において、前後方向を向いた中心面（左右方向における中心面）を介して左右面対称に形成されている。
【０３０６】
蓋部３１０、３４０の基端から先端までの長さは、右側面部２２０や左側面部２３０の前後方向の長さ（例えば、折れ線Ｃ３０と折れ線Ｃ４０間の長さ）の半分となっている。
【０３０７】
また、フラップ部３２０は、右側面部２２０の上辺から折れ線を介して連設され、方形状（長方形状）を呈している。また、フラップ部３２０は、右側面部２２０のの上辺から折れ線を介して連設され、方形状（長方形状）を呈している。フラップ部３２０、３３０の基端から先端までの長さは、正面部２１０や背面部２４０の左右方向の長さ（例えば、折れ線Ｃ２０と折れ線Ｃ３０間の長さ）の半分よりも短く形成されている。
【０３０８】
また、底面部４００は、第１片部４１０と、第２片部４２０と、第３片部４３０と、第４片部４４０とを有し、紙製箱Ｑの組立て状態においては、略方形状の外形を呈している。この底面部４００は、アメリカンロック（又は地獄底）と呼ばれる構成である。
【０３０９】
ここで、第１片部４１０は、正面部２１０の下辺から折れ線を介して連設され、長方形状の左右両側の先端に突出部（突出部は、内側にアールが設けられた長方形状を呈している）を設けた構成であり、また、第２片部４２０は、右側面部２２０の下辺から折れ線を介して連設され、第１片部４１０側に斜辺を有し先細りの台形形状の先端に突状部（突状部は斜辺側にアールが設けられた長方形状を呈している）を設けた構成であり、また、第３片部４３０は、左側面部２３０の下辺から折れ線を介して連設され、第１片部４１０側に斜辺を有し先細りの台形形状の先端に突状部（突状部は斜辺側にアールが設けられた長方形状を呈し、突状部の基端から先端までの長さは、第２片部４２０における突状部の基端から先端までの長さよりも短く形成されている）を設けた構成であり、また、第４片部４４０は、背面部２４０の下辺から折れ線を介して連設され、左右両側に斜辺を有し先細りの台形形状の先端に突状部（突状部の両側の先端にはアールが形成されている）を設けた構成となっている。
【０３１０】
これら蓋部３１０、３４０とフラップ部３２０、３３０は、紙製箱Ｑの上面を開閉するものであり、特に、蓋部３１０、３４０を閉状態とすることにより紙製箱Ｑの上面が塞がれる。なお、蓋部３１０、３４０とフラップ部３２０、３３０は、予め上方に立設した状態になっていて、紙製箱Ｑの上方が開口した状態になっている。なお、蓋部３１０、３４０は、正面部２１０の上辺及び背面部２４０の上辺から連設されているが、スリーブ状部２０５を構成する各部における少なくとも１つの上辺から連設されていればよい。
【０３１１】
上記構成の紙製箱Ｑの使用方法について説明する。紙製箱Ｑは、上記のように構成されているので、底面部４００を組み立てていない状態とし、正面部２１０と右側面部２２０間の角度を小さくし、背面部２４０と左側面部２３０間の角度を小さくして、正面部２１０と左側面部２３０とを全体で１枚の平板状とし、背面部２４０と右側面部２２０とを全体で１枚の平板状とすることにより、紙製箱Ｑを折り畳んだ状態とすることができ、紙製箱Ｑを折り畳んだ状態で、紙製箱Ｑの保管や運搬を行なうことができる。
【０３１２】
また、紙製箱Ｑを組み立てた状態では、図１８〜図２１に示す状態となり、底面部４００が略平板状となり、スリーブ状部２０５を構成する各部材（正面部２１０、右側面部２２０、左側面部２３０、背面部２４０）における隣接する部材は互いに直角となる。また、正面部２１０と背面部２４０とが互いに平行であり、右側面部２２０と左側面部２３０とが互いに平行となる。底面部４００を組み立てた状態では、第２片部４２０と第３片部４３０を第１片部４１０の下側に重ねた状態で、第４片部４４０が第２片部４２０と第３片部４３０の下側に重ねられて、第４片部４４０の突状部が第１片部４１０の上側に差し込まれている。
【０３１３】
そして、紙製箱Ｑの上方から被収納物（商品）Ｇを収納する。なお、蓋部３１０、３４０とフラップ部３２０、３３０はスリーブ状部２０５に対して予め上方に立設した状態になっていて、紙製箱Ｑの上方が開口した状態になっているので、被収納物Ｇはそのまま紙製箱Ｑの上方から収納すればよい。その後、フラップ部３２０、３３０を内側に折曲させるとともに蓋部３１０、３４０を内側に折曲させて、蓋部３１０、３４０を閉状態とし、接着テープＳを右側面部２２０から上面を経て左側面部２３０にまで接着させることにより、図２５に示す状態とする。つまり、図２５に示す状態では、蓋部３１０、３４０が閉状態で固定されている。
【０３１４】
以上のようにして、蓋部３１０、３４０を閉状態にして被収納物を紙製箱Ｑに包装したら、被収納物Ｇを収納した紙製箱Ｑを被収納物Ｇを陳列する場所に搬送する。
【０３１５】
紙製箱Ｑを陳列場所において、被収納物を陳列した状態とするには、以下に説明するように、紙製箱Ｑの上側構成部Ａ−２を取り除く。すなわち、背面部２４０における押し部２４４を押して押し部２４４を折れ線Ｃ４１を介して内側に回動させる。つまり、押し部２４４を内側に押すことにより、切れ目線Ｋ４１が破断し、押し部２４４が折れ線Ｃ４１を介して回動する。すると、中央領域２４６の下側に指を入れるスペースが形成されるので、中央領域２４６の下側に一方の手の指を挿入して、中央領域２４６の下端に指をひっかける。
【０３１６】
その後、中央領域２４６の下端を外側にひっぱることにより、右側領域２４７及び左側領域２４８が中央領域２４６側から徐々にひっぱられて、切れ目線Ｋ４２、Ｋ４３が破断する。中央領域２４６の下端を外側にひっぱった状態では、折れ線Ｃ４２、Ｃ４３は外側から見て山折りの状態となる。つまり、右側領域２４７が中央領域２４６に対して折れ線Ｃ４２を介して内側に折曲するとともに、左側領域２４８が中央領域２４６に対して折れ線Ｃ４３を介して内側に折曲する。特に、折れ線Ｃ４２、Ｃ４３が設けられているので、右側領域２４７の切れ目線Ｋ４２に沿った辺部と左側領域２４８の切れ目線Ｋ４３に沿った辺部が前後方向に傾斜しやすく切れ目線Ｋ４２、Ｋ４３の破断が容易となる。
【０３１７】
その後、中央領域２４６の下端を外側にさらにひっぱることにより、切れ目線Ｋ２４における下右側面部２２２と背面側領域２２７間の部分の切れ目線Ｋ２４−１が背面側から破断していき、切れ目線Ｋ３４における下左側面部２３２と背面側領域２３７間の部分の切れ目線Ｋ３４−１が背面側から破断していく（図２６参照）。
【０３１８】
つまり、中央領域２４６の下端を外側にひっぱることにより、背面側領域２２７が折れ線Ｃ２１を介して内側に回動して下右側面部２２２と背面側領域２２７とが横方向に離間しようとするとともに、背面側領域２３７が折れ線Ｃ３１を介して内側に回動して下左側面部２３２と背面側領域２３７とが横方向に離間しようとして、切れ目線Ｋ２４−１、Ｋ３４−１が破断する。その際、背面側領域２２７が折れ線Ｃ２１を介して内側に回動し（つまり、背面側領域２２７が正面側領域２２６に対して折れ線Ｃ２１を介して内側に折曲する）、背面側領域２３７が折れ線Ｃ３１を介して内側に回動する（つまり、背面側領域２３７が正面側領域２３６に対して折れ線Ｃ２１を介して内側に折曲する）ので、折れ線Ｃ２１と折れ線Ｃ３１は外側から見て山折りの状態となる。特に、折れ線Ｃ２１、Ｃ３１が設けられているので、背面側領域２２７、２３７が折れ線Ｃ２１、Ｃ３１を介して回動しやすく、切れ目線Ｋ２４−１、Ｋ３４−１を破断しやすくすることができる。
【０３１９】
なお、切れ目線Ｋ４２、Ｋ４３と切れ目線Ｋ２４−１、Ｋ３４−１は中央領域２４６の下端を外側にひっぱることにより破断されるので、実際には、中央領域２４６の下端を外側にひっぱるという１つの動作により、切れ目線Ｋ４２、Ｋ４３から切れ目線Ｋ２４−１、Ｋ３４−１まで（切れ目線Ｋ２４−１、Ｋ３４−１の正面側の端部まで）を破断させることができる。つまり、下背面部２４２における一対の切れ目線Ｋ４４、Ｋ４６間の領域である押し部４４を外側から押して、中央領域２４６の下端に指をひっかけ、中央領域２４６の下端を外側にひっぱることにより、右側領域２４７と下背面部２４２間の切れ目線Ｋ４２と左側領域２４８と下背面部２４２間の切れ目線Ｋ４３とが破断し、上右側面部２２５における折れ線Ｃ２１よりも背面側の領域である背面側領域２２７が折れ線Ｃ２１を介して内側に回動して切れ目線Ｋ２４−１（切れ目線Ｋ２４における背面側領域２２７と下右側面部２２２間の切れ目線）が破断するとともに、上左側面部２３５における折れ線Ｃ３１よりも背面側の領域である背面側領域２３７が折れ線Ｃ３１を介して内側に回動して切れ目線Ｋ３４−１（切れ目線Ｋ３４における背面側領域２３７と下左側面部２３２間の切れ目線）が破断する。破断の順序としては、中央領域２４６の下端を外側にひっぱることにより切れ目線Ｋ４２、Ｋ４３が内側から破断し、その後、切れ目線Ｋ２４−１、Ｋ３４−１が背面側から破断する。
【０３２０】
なお、切れ目線Ｋ２４−１、Ｋ３４−１を破断する際に、中央領域２４６の下端を外側にさらにひっぱるとともに、中央領域２４６を上方に引き上げる動作を行なうことにより、下右側面部２２２と背面側領域２２７とが縦方向に離間しようとするとともに、下左側面部２３２と背面側領域２３７とが縦方向に離間しようとするので、切れ目線Ｋ２４−１、Ｋ３４−１が破断していく。つまり、横方向の離間動作のみならず縦方向の離間動作を得ることができるので、切れ目線Ｋ２４−１、Ｋ３４−１を破断しやすくすることができる。
【０３２１】
その後、図２７に示すように、中央領域２４６を持つ手を上方に引き上げることにより、切れ目線Ｋ２４、Ｋ３４が正面側に向けて破断していく。つまり、切れ目線Ｋ２４における下右側面部２２２と正面側領域２２６間の部分の切れ目線Ｋ２４−２と、切れ目線Ｋ３４における下左側面部２３２と正面側領域２３６間の部分の切れ目線Ｋ３４−２とを正面側の端部位置まで破断していく。その際、他方の手で下側構成部Ａ−１の背面側の箇所を押さえた状態とするのが好ましい。つまり、左手で押さえる場合には、下背面部２４２と下右側面部２２２の角部の上端を押さえ、右手で押さえる場合（この場合は、中央領域２４６を左手で引き上げる）には、下背面部２４２と下左側面部２３２の角部の上端を押さえる。
【０３２２】
切れ目線Ｋ２４は、切れ目線Ｋ２４−１と切れ目線Ｋ２４−２とから構成され、切れ目線Ｋ３４は、切れ目線Ｋ３４−１と切れ目線Ｋ３４−２とから構成されている。
【０３２３】
切れ目線Ｋ２４、Ｋ３４を正面側に破断していく際に、切れ目線Ｋ２４、Ｋ３４が正面側にいくに従い上方となるように水平方向に対して傾斜して形成されているので、切れ目線Ｋ２４、Ｋ３４を破断しやすくすることができる。つまり、切れ目線Ｋ２４、Ｋ３４が正面側に向けて上方に形成されているので、上側構成部Ａ−２の背面側の端部を持ち上げる動作で切れ目線Ｋ２４、Ｋ３４を破断でき、上側構成部Ａ−２の背面側の端部を持ち上げる動作は力を入れやすく、また、破断箇所に掛かる力の方向が、切れ目線の破断方向に対する直角方向よりも破断方向（切れ目線に沿った方向で、破断する側への方向）に傾斜している（破断箇所に掛かる力の方向と破断方向とがなす角度が鋭角となる）ので、切れ目線をより破断しやすくすることができる。つまり、破断箇所に掛かる力Ｆの方向を鉛直方向（水平方向に対する直角方向）とすると（中央領域４６を上方に引き上げるので、破断箇所に掛かる力Ｆの方向を鉛直方向（水平方向に対する直角方向）となる）、破断箇所に掛かる力Ｆの方向と破断方向とがなす角度αは鋭角となり、図３０に示すように、破断箇所に掛かる力Ｆは、破断方向と直角方向の成分Ｆ１と、破断方向への成分Ｆ２とに分けられ、成分Ｆ１のみならず成分Ｆ２が存在するので、破断が容易となる。この場合と比較して、切れ目線の方向が水平方向の場合には、図３０（ｂ）のように、破断箇所に掛かる力Ｆの方向と破断方向とがなす角度αが直角となり、破断方向に直角の力のみとなり、破断方向への力の成分がないため、図３０（ａ）の場合に比べて破断が困難となる。また、切れ目線の方向が破断方向に向けて下降している場合には、図３０（ｃ）のように、破断箇所に掛かる力Ｆの方向と破断方向とがなす角度αが鈍角となり、破断箇所に掛かる力Ｆは、破断方向と直角方向の成分Ｆ１と破断方向と反対方向の成分Ｆ２に分けられるため、図３０（ｂ）の場合に比べてさらに破断が困難となる。なお、図３０においては、切れ目線を模式的に直線により示している。
【０３２４】
なお、切れ目線Ｋ４２における複数の切込みの配設方向は、切れ目線Ｋ４１側から背面部２４０の右側面側の端部（切れ目線Ｋ２４側）にいくに従い上側となるように斜め上方に傾斜しており、切れ目線Ｋ４３における複数の切込みの配設方向は、切れ目線Ｋ４１側から背面部２４０の左側面側の端部にいくに従い上側となるように斜め上方に傾斜しているので、切れ目線Ｋ２４、Ｋ３４の場合と同じ理由で破断しやすいといえる。つまり、中央領域２４６の下端を外側にひっぱることにより、中央領域２４６は背面部２４０の上辺を中心に回動するので、中央領域２４６の下端は上下方向では上側にひっぱられ、中央領域２４６の下端が上側にひっぱられるに伴い、右側領域２４７と左側領域２４８の下端も上側にひっぱられるが、破断箇所に掛かる力の方向が、切れ目線の破断方向に対する直角方向よりも破断方向（切れ目線に沿った方向で、破断する側への方向）に傾斜している（破断箇所に掛かる力の方向と破断方向とがなす角度が鋭角となる）ので、切れ目線をより破断しやすくすることができる。
【０３２５】
切れ目線Ｋ２４、Ｋ３４の正面側の端部位置にまで破断したら、中央領域２４６を正面側斜め上方に引き上げることにより、上側構成部Ａ−２が切れ目線Ｋ２２、Ｋ３２の正面側の端部位置を中心に回動しながら切れ目線Ｋ２２、Ｋ３２が破断されるので、その後、上側構成部Ａ−２をさらに正面側（又は正面下側）にひっぱることにより、切れ目線Ｋ１４、Ｋ１５が破断され、その後、切れ目線Ｋ１２、Ｋ１３が破断されて、最後に切れ目線Ｋ１１が破断されて、上側構成部Ａ−２が下側構成部Ａ−１と分離される。
【０３２６】
上側構成部Ａ−２を取り外した状態は、図２８、図２９に示すようになり、下側構成部Ａ−１に被収納物Ｇが収納された状態となるので、この状態で、被収納物Ｇを陳列する。
【０３２７】
なお、下正面部２１２は、略Ｕ字状に形成され、左右両側を除く部分が低く形成されているので、被収納物Ｇを正面側から視認しやすくなっている。また、下側構成部Ａ−１の上方は開口しているので、被収納物Ｇを取り出す場合には、被収納物Ｇを上方に引き出して取り出せばよい。
【０３２８】
なお、紙製箱Ｑでは、上側構成部Ａ−２を取り除くものであり、帯状のジッパーを取り除く構成ではないため、帯状のジッパーが廃棄物として発生せず、上側構成部Ａ−２のみを廃棄すればよい。つまり、２本の平行な切れ目線を周状に形成して帯状のジッパーを設けた構成の場合には、ジッパーの上側の部分とジッパー自体の２つの廃棄物が発生するが、本実施例の場合には、廃棄物としては、上側構成部Ａ−２のみとすることができる。
【０３２９】
紙製箱Ｑにおいては、図１６に示す切れ目線Ｂ１や図１７に示す切れ目線Ｂ２が設けられている（特に、切れ目線開封方向が直線状の場合に設けられている）ので、上記と同様の効果（つまり、実施例１の場合と同様の効果）を得ることができる。
【０３３０】
なお、範囲１０Ｇ２の切れ目線における切れ目線Ｋ４３と切れ目線Ｋ３４−１の範囲においては、上記実施例１の場合と同様に、切れ目線を介した一方の領域を他方の領域に対してブランクの面に対し略垂直方向に引き離すが、実施例１においては、切込み１０のＹ１側（図１６参照）（つまり、帯状部４０側）を引っ張るのに対して、本実施例では、切込み１０のＹ２側（図１６参照）をひっぱるので、実施例１の場合に比べて、切込み１０の後端から斜め上方（つまり、Ｈ１又はＨ２の方向）への成分が比較的多いといえるが、切れ目線Ｋ４３、Ｋ３４−１が切れ目線開封方向に沿って斜め上方に向いているため、端部ｍ１１で破断力を受け止めやすく、また、直線部１２や曲線部１４により破断力を受け止めることができるので、剥離を防止することができる。
【０３３１】
また、切れ目線Ｋ３４における切れ目線Ｋ３４−１以外の部分と切れ目線Ｋ３２、Ｋ１５においては、切れ目線を介した一方の領域を他方の領域に対してブランクの面に対し略平行な方向に引き離すので、切込み１０からの破断力は斜め下方（つまり、Ｈ４の方向）に行きやすいが、薄いブランクを用いることにより、斜め下方への成分を少なくできるので、ブランクの剥離を防止することができる。
【０３３２】
また、範囲２０Ｇ３の切れ目線における切れ目線Ｋ４２と切れ目線Ｋ２４−１の範囲においては、上記実施例１の場合と同様に、切れ目線を介した一方の領域を他方の領域に対してブランクの面に対し略垂直方向に引き離すが、本実施例では、切込み２０のＹ２側（図１６参照）をひっぱるので、実施例１の場合に比べて、切込み２０の後端から斜め上方（つまり、Ｈ１又はＨ２の方向）への成分が比較的多いといえるが、切れ目線Ｋ４２、Ｋ２４−１が切れ目線開封方向に沿って斜め上方に向いているため、端部ｍ２１で破断力を受け止めやすく、また、直線部２２や曲線部２４により破断力を受け止めることができるので、剥離を防止することができる。
【０３３３】
また、切れ目線Ｋ２４における切れ目線Ｋ２４−１以外の部分と切れ目線Ｋ２２、Ｋ１４においては、切れ目線を介した一方の領域を他方の領域に対してブランクの面に対し略平行な方向に引き離すので、切込み２０からの破断力は斜め下方（つまり、Ｈ４の方向）に行きやすいが、薄いブランクを用いることにより、斜め下方への成分を少なくできるので、ブランクの剥離を防止することができる。
【０３３４】
なお、上記の紙製箱Ｑにおいては、切込み１０、２０が、曲線部１４、２４の頂点が上側となるように配置しているが、曲線部１４、２４の頂点が下側となるように配置してもよい。
【０３３５】
その場合には、範囲１０Ｇ２の切れ目線における切れ目線Ｋ４３と切れ目線Ｋ３４−１の範囲においては、切込み１０のＹ２側（図１６参照）をひっぱることになるので、実施例１のジッパーＡの場合と同様の作用・効果が得られる。
【０３３６】
また、切れ目線Ｋ３４における切れ目線Ｋ３４−１以外の部分と切れ目線Ｋ３２、Ｋ１５においては、切れ目線を介した一方の領域を他方の領域に対してブランクの面に対し略平行な方向に引き離すので、切込み１０からの破断力は斜め下方（つまり、Ｈ１、Ｈ２の方向）に行きやすいが、直線部１２や曲線部１４により破断力を受け止めることができるので、ブランクの剥離を防止することができる。
【０３３７】
また、範囲２０Ｇ３の切れ目線における切れ目線Ｋ４２と切れ目線Ｋ２４−１の範囲においては、切込み２０のＹ１側（図１６参照）をひっぱることになるので、実施例１のジッパーＡの場合と同様の作用・効果が得られる。
【０３３８】
また、切れ目線Ｋ２４における切れ目線Ｋ２４−１以外の部分と切れ目線Ｋ２２、Ｋ１４においては、切れ目線を介した一方の領域を他方の領域に対してブランクの面に対し略平行な方向に引き離すので、切込み２０からの破断力は斜め下方（つまり、Ｈ１、Ｈ２の方向）に行きやすいが、直線部２２や曲線部２４により破断力を受け止めることができるので、ブランクの剥離を防止することができる。
【実施例３】
【０３３９】
本発明に基づく紙製箱用ジッパー（紙製箱用切断構造、カートン用切断構造）としてのジッパーＣは、実施例１のジッパーＡと略同一の構成であるが、切込み１０、２０において、２つの曲線部の間に直線部が設けられている点が異なる。
【０３４０】
すなわち、ジッパーＣは、図３１〜図３５に示すように構成され、互いに並設された切れ目線Ｃ１、Ｃ２と、開封開始位置の片部３０を形成するための切込みＡ３とを有している。つまり、切れ目線Ｃ１と切れ目線Ｃ２とは、互いに平行に２列に形成されている。ジッパーＣは、紙製箱を構成するシート状のブランク（例えば、段ボールや厚紙）に形成されている。
【０３４１】
ここで、切れ目線Ｃ１は、複数の切込み１０を間隔を介して一列に直線状に配設したもので、各切込み１０は、図３１〜図３３に示すように、直線部１２と、直線部１２の端部から連設された曲線部１４と、曲線部１４の直線部１２とは反対側の端部から連設された直線部１５と、直線部１５の曲線部１４とは反対側の端部から連設された曲線部１６と、曲線部１６の曲線部１４とは反対側の端部から連設された延伸部１８とを有している。直線部１２と曲線部１４と直線部１５と曲線部１６と延伸部１８は、ともにブランクの表面から裏面まで貫通した切込みにより形成されている。
【０３４２】
ここで、直線部（第１直線部、第１傾斜部としてもよい。他においても同じ）１２は、ジッパー開封方向（「ジッパー破断方向」としてもよい）（Ｘ１−Ｘ２方向）の仮想直線１０Ｅに対して傾斜して形成され、直線部１２と仮想直線１０Ｅ間の角度（曲線部１４側の角度）はα１１で、角度α１１は鋭角となっていて、具体的には、４５度よりも小さい角度（具体的には、３７〜４１度）となっている。この直線部１２は、直線状に形成されている。仮想直線１０Ｅは、ジッパーＣの開封方向に形成され、直線部１２の前端である端部ｍ１１と延伸部１８の後端である端部ｍ１５を通る直線である。なお、図３１〜図３５は、ジッパー開封方向が直線状であり、ジッパー形成方向が直線状である場合を示している。
【０３４３】
直線部１２の曲線部１４側とは反対側の端部（第１端部）ｍ１１が、図３３に示すように、直線部１２の曲線部１４との接触点（第１接触点）ｍ１２よりも開封方向において前側（Ｘ１側）にある。つまり、直線部１２は、端部ｍ１１が接触点ｍ１２よりもジッパー開封方向において前側に位置するように仮想直線１０Ｅの方向（仮想直線１０Ｅとしてもよい）に対して傾斜している。
【０３４４】
また、端部ｍ１１は、延伸部１８の前側への延長線上に位置している。つまり、端部ｍ１１と、延伸部１８における両端に位置する接着点ｍ１４及び端部ｍ１５とは、同一直線上に位置している。
【０３４５】
また、曲線部（第１曲線部、第１円弧状部としてもよい。他においても同じ）１４は、図３３に示すように、直線部１２の端部から円弧状に形成され（つまり、接触点ｍ１２と接触点（第２接触点）ｍ１３−１間に円弧状に形成されている）、具体的には、ジッパー開封方向の側（具体的には、右側（右方向としてもよい））にカーブした（つまり、曲がった）円弧状に形成されている。つまり、曲線部１４は、直線部１２の方向に対する曲がり方向においてジッパー開封方向の側に曲がる曲がり方向に形成されている。曲線部１４と直線部１２との接触点ｍ１２における曲線部１４の接線は、直線部１２と重ねるようになっていて、これにより、直線部１２と曲線部１４の境界において、直線部１２の直線方向から曲線部１４の円弧状の方向に滑らかに切り替わっている。また、曲線部１４の直線部１２との接触点ｍ１２は、曲線部１４の直線部１５との接触点ｍ１３−１よりもジッパー開封方向において前側（Ｘ１側）にある。
【０３４６】
また、直線部（第２直線部、第２傾斜部としてもよい。他においても同じ）１５は、曲線部１４の後端から直線状に形成され、仮想直線１０Ｅに対して傾斜して形成され、直線部１５の後端が前端よりも仮想直線１０Ｅに近くなるように傾斜している。すなわち、直線部１５は、曲線部１４とは接触点（第２接触点）ｍ１３−１で接し、曲線部１６とは接触点（第３接触点）ｍ１３−２で接し（つまり、直線部１５は、接触点ｍ１３−１と接触点ｍ１３−２間に直線状に形成されている）、接触点ｍ１３−１は、ジッパー開封方向において、接触点ｍ１３−２よりも前側（Ｘ１側）にあり、接触点ｍ１３−２から仮想直線１０Ｅまでの長さは、接触点ｍ１３−１から仮想直線１０Ｅまでの長さよりも短くなっている。直線部１５の仮想直線１０Ｅへの延長線と仮想直線１０Ｅがなす角度α１３は、角度α１１と同一となっていて、４５度よりも小さい角度（具体的には、３７〜４１度）となっている。
【０３４７】
なお、接触点ｍ１３−１における曲線部１４の接線は、直線部１５と重なっており、これにより、曲線部１４と直線部１５の境界において、曲線部１４のカーブの方向から直線部１５の直線方向に滑らかに切り替わっている。
【０３４８】
また、曲線部（第２曲線部、第２円弧状部としてもよい。他においても同じ）１６は、図３に示すように、直線部１５の端部から円弧状に形成され（つまり、接触点ｍ１３−２と接触点ｍ１４間に円弧状に形成されている）、具体的には、曲線部１４のカーブの方向と反対方向にカーブした（つまり、左側（左方向としてもよい）にカーブした）円弧状に形成されている。つまり、曲線部１６は、曲線部１４の曲がり方向とは逆の曲がり方向に形成され、接触点ｍ１３−２と接触点（第４接触点）ｍ１４間に円弧状に形成されている。接触点ｍ１３−２は、接触点ｍ１４よりもジッパー開封方向において前側にある。曲線部１６を形成する円弧の径（半径）は、曲線部１４を形成する円弧の径（半径）よりも大きくなっている。
【０３４９】
なお、接触点ｍ１３−２における曲線部１６の接線は、直線部１５と重なっており、これにより、直線部１５と曲線部１６の境界において、直線部１５の直線方向から曲線部１６のカーブの方向に滑らかに切り替わっている。
【０３５０】
また、接触点ｍ１４は、仮想直線１０Ｅ上に位置し、接触点ｍ１４における曲線部１６の接線は、仮想直線１０Ｅの方向にあり、延伸部１８も仮想直線１０Ｅの方向に形成されているので、曲線部１６と延伸部１８の境界において、曲線部１６の方向から延伸部１８の方向に滑らかに切り替わっている。
【０３５１】
また、延伸部（直線部としてもよい）１８は、曲線部１６の端部から直線状に形成され、接触点ｍ１４と端部（第２端部）ｍ１５間に直線状に形成されている。
【０３５２】
上記切込み１０において、直線部１２の延長線１２Ｅと直線部１５の延長線１６Ｅがなす角度（該延長線１２Ｅと該延長線１６Ｅがなす曲線部１４側の角度）α１２は、９０度より大きく形成され、例えば、１００〜１０５度に形成されている。なお、延長線１６Ｅと仮想直線１０Ｅがなす角度α１３は、角度α１１と同一となっている。
【０３５３】
また、延伸部１８の長さは、端部ｍ１１から端部ｍ１５までの仮想直線１０Ｅに沿った長さＬ１０の３０％〜５０％となっている。
【０３５４】
また、端部ｍ１１から接触点ｍ１４までの範囲において、曲線部分（つまり、曲線部１４と曲線部１６）の仮想直線１０Ｅ（つまり、ジッパー開封方向）に沿った長さ（長さＬ１２と長さＬ１３の和）が、直線部分（つまり、直線部１２と直線部１５）の仮想直線１０Ｅ（つまり、ジッパー開封方向）に沿った長さ（長さＬ１１と長さＬ１５の和）よりも長く、具体的には、曲線部分の仮想直線１０Ｅに沿った長さが、直線部分の仮想直線１０Ｅに沿った長さの２倍以上となっている。
【０３５５】
切込み１０を示す図形の実際の作成の方法の例としては、具体的には図３４に示すようになる。すなわち、端部ｍ１１から端部ｍ１５までの長さ（仮想直線１０Ｅに沿った長さ）を５×Ｎ（Ｎは単位長さ）とした場合に、端部ｍ１１の位置を左端とする二等辺三角形を描く。この二等辺三角形は、底辺が２×Ｎの長さを有し、高さが０．８×Ｎの長さを有し、斜辺６０、６２と底辺６４から構成される。ここで、直線部１２は、斜辺６０上に形成される。
【０３５６】
そして、斜辺６２と仮想直線１０Ｅがなす鈍角α４２において、半径が２×Ｎの円弧６６を描く。この円弧６６は、仮想直線１０Ｅとは位置Ｗ１１で接し、斜辺６２とは位置Ｗ１２で接する。曲線部１６は、この円弧６６上に形成され、位置Ｗ１１は、接触点ｍ１４に相当する位置となり、位置Ｗ１２は、接触点ｍ１３−２に相当する位置となる。
【０３５７】
そして、斜辺６０と斜辺６２に接するとともに半径が０．６Ｎの円弧６８を描く。すると、この円弧６８は、斜辺６０とは位置Ｗ１３で接し、円弧６６とは位置Ｗ１４で接する。この円弧６８が曲線部１４に相当し、位置Ｗ１３は接触点ｍ１２に相当し、位置Ｗ１４は接触点ｍ１３−１に相当する。
【０３５８】
そして、位置Ｗ１４と位置Ｗ１２間を結ぶ直線６９を描く。直線６９は、斜辺６２上に設けられる。この直線６９が直線部１５に当たる。さらに、位置Ｗ１１から仮想直線１０Ｅに沿って端部ｍ１５に相当する位置まで直線状に描くことにより延伸部１８が形成される。以上のようにして、切込み１０を示す図形が作成される。なお、隣接する切込み１０において、開封方向における前側の切込み１０の後端（延伸部１８の後端）と後側の切込み１０の前端（直線部１２の前端）の間の長さは、Ｎとする。
【０３５９】
ジッパーＣの開封方向は、実施例１の場合と同様に、複数の切込み１０における同じ箇所を結ぶ方向といえ、また、ジッパーＣの開封方向を、複数の切込み２０における同じ箇所を結ぶ方向としてもよい。
【０３６０】
なお、１つの切れ目線Ｃ１において、切込み１０は同じ構成であり、隣接する切込み１０間の間隔は、原則として同一に形成され、少なくともジッパーＣが直線状に形成されている場合には、隣接する切込み１０間の間隔は、同一に形成されている。
【０３６１】
次に、切れ目線Ｃ２は、図３２に示すように、開封方向の切れ目線Ｃ１と切れ目線Ｃ２間の中心線Ａｈを介して対称（線対称）に形成され、切れ目線Ｃ１と間隔を介して形成されている。中心線Ａｈは、切れ目線Ｃ１と切れ目線Ｃ２からの距離が等しい直線であり、切込み１０のある点（例えば、端部ｍ１１）と切込み２０の該ある点に対応する点（端部ｍ１１をある点とした場合には、端部ｍ２１））からの距離が等しい直線といえる。
【０３６２】
切れ目線Ｃ２は、複数の切込み２０を間隔を介して一列に配設したもので、各切込み２０は、図３１、図３２、図３５に示すように、直線部２２と、直線部２２の端部から連設された曲線部２４と、曲線部２４の直線部２２とは反対側の端部から連設された直線部２５と、直線部２５の曲線部２４とは反対側の端部から連設された曲線部２６と、曲線部２６の曲線部２４とは反対側の端部から連設された延伸部２８とを有している。直線部２２と曲線部２４と直線部２５と曲線部２６と延伸部２８は、ともにブランクの表面から裏面まで貫通した切込みにより形成されている。各切込み２０は、切れ目線Ｃ１における対応する切込み１０と中心線Ａｈを中心に対称に形成されている。図２における中心線Ａｈは、仮想直線１０Ｅ、２０Ｅと平行な直線である。なお、複数の切込み１０と複数の切込み２０における互いに対応する切込み１０と切込み２０は、切込み１０の直線部１２と切込み２０の直線部２２間の長さがジッパー開封方向において後側に行くほど長くなる状態で互いに対称となっている。つまり、互いに対応する切込み１０と切込み２０においては、接触点ｍ１２が端部ｍ１１よりも外側にあるとともに接触点ｍ２２が端部ｍ２１よりも外側にある状態で切込み１０と切込み２０が対向するように、中心線Ａｈを介して線対称となっている。
【０３６３】
ここで、直線部（第１直線部、第１傾斜部としてもよい。他においても同じ）２２は、ジッパー開封方向（「ジッパー破断方向」としてもよい）（Ｘ１−Ｘ２方向）の仮想直線２０Ｅに対して傾斜して形成され、直線部２２と仮想直線２０Ｅ間の角度（曲線部１４側の角度）はα２１で、角度α２１は鋭角となっていて、具体的には、４５度よりも小さい角度（具体的には、３７〜４１度）となっている。この直線部２２は、直線状に形成されている。仮想直線２０Ｅは、ジッパーＣの開封方向に形成され、直線部２２の前端である端部ｍ２１と延伸部２８の後端である端部ｍ２５を通る直線である。
【０３６４】
直線部２２の曲線部２４側とは反対側の端部（第１端部）ｍ２１が、図３５に示すように、直線部２２の曲線部２４との接触点（第１接触点）ｍ２２よりも開封方向において前側（Ｘ１側）にある。つまり、直線部２２は、端部ｍ２１が接触点ｍ２２よりもジッパー開封方向において前側に位置するように仮想直線２０Ｅの方向（仮想直線２０Ｅとしてもよい）に対して傾斜している。
【０３６５】
また、端部ｍ２１は、延伸部２８の前側への延長線上に位置している。つまり、端部ｍ２１と、延伸部２８における両端に位置する接着点ｍ２４及び端部ｍ２５とは、同一直線上に位置している。
【０３６６】
また、曲線部（第１曲線部、第１円弧状部としてもよい。他においても同じ）２４は、図３５に示すように、直線部２２の端部から円弧状に形成され（つまり、接触点ｍ２２と接触点（第２接触点）ｍ２３−１間に円弧状に形成されている）、具体的には、ジッパー開封方向の側（具体的には、左側（左方向としてもよい））にカーブした（つまり、曲がった）円弧状に形成されている。つまり、曲線部２４は、直線部２２の方向に対する曲がり方向においてジッパー開封方向の側に曲がる曲がり方向に形成されている。曲線部２４と直線部２２との接触点ｍ２２における曲線部２４の接線は、直線部２２と重ねるようになっていて、これにより、直線部２２と曲線部２４の境界において、直線部２２の直線方向から曲線部２４の円弧状の方向に滑らかに切り替わっている。また、曲線部２４の直線部２２との接触点ｍ２２は、曲線部２４の直線部２５との接触点ｍ２３−１よりもジッパー開封方向において前側（Ｘ１側）にある。
【０３６７】
また、直線部（第２直線部、第２傾斜部としてもよい。他においても同じ）２５は、曲線部２４の後端から直線状に形成され、仮想直線２０Ｅに対して傾斜して形成され、直線部２５の後端が前端よりも仮想直線２０Ｅに近くなるように傾斜している。すなわち、直線部２５は、曲線部２４とは接触点（第２接触点）ｍ２３−１で接し、曲線部２６とは接触点（第３接触点）ｍ２３−２で接し（つまり、直線部２５は、接触点ｍ２３−１と接触点ｍ２３−２間に直線状に形成されている）、接触点ｍ２３−１は、ジッパー開封方向において、接触点ｍ２３−２よりも前側（Ｘ１側）にあり、接触点ｍ２３−２から仮想直線２０Ｅまでの長さは、接触点ｍ２３−１から仮想直線２０Ｅまでの長さよりも短くなっている。直線部２５の仮想直線２０Ｅへの延長線と仮想直線２０Ｅがなす角度α２３は、角度α２１と同一となっていて、４５度よりも小さい角度（具体的には、３７〜４１度）となっている。
【０３６８】
なお、接触点ｍ２３−１における曲線部２４の接線は、直線部２５と重なっており、これにより、曲線部２４と直線部２５の境界において、曲線部２４のカーブの方向から直線部２５の直線方向に滑らかに切り替わっている。
【０３６９】
また、曲線部（第２曲線部、第２円弧状部としてもよい。他においても同じ）２６は、図５に示すように、直線部２５の端部から円弧状に形成され（つまり、接触点ｍ２３−２と接触点ｍ２４間に円弧状に形成されている）、具体的には、曲線部２４のカーブの方向と反対方向にカーブした（つまり、右側（右方向としてもよい）にカーブした）円弧状に形成されている。つまり、曲線部２６は、曲線部２４の曲がり方向とは逆の曲がり方向に形成され、接触点ｍ２３−２と接触点（第４接触点）ｍ２４間に円弧状に形成されている。接触点ｍ２３−２は、接触点ｍ２４よりもジッパー開封方向において前側にある。曲線部２６を形成する円弧の径（半径）は、曲線部２４を形成する円弧の径（半径）よりも大きくなっている。
【０３７０】
なお、接触点ｍ２３−２における曲線部２６の接線は、直線部２５と重なっており、これにより、直線部２５と曲線部２６の境界において、直線部２５の直線方向から曲線部２６のカーブの方向に滑らかに切り替わっている。
【０３７１】
また、接触点ｍ２４は、仮想直線２０Ｅ上に位置し、接触点ｍ２４における曲線部２６の接線は、仮想直線１０Ｅの方向にあり、延伸部２８も仮想直線２０Ｅの方向に形成されているので、曲線部２６と延伸部２８の境界において、曲線部２６の方向から延伸部２８の方向に滑らかに切り替わっている。
【０３７２】
また、延伸部（直線部としてもよい）２８は、曲線部２６の端部から直線状に形成され、接触点ｍ２４と端部（第２端部）ｍ２５間に直線状に形成されている。
【０３７３】
上記切込み２０において、直線部２２の延長線２２Ｅと直線部２５の延長線２６Ｅがなす角度（該延長線２２Ｅと該延長線２６Ｅがなす曲線部２４側の角度）α２２は、９０度より大きく形成され、例えば、１００〜１０５度に形成されている。なお、延長線２６Ｅと仮想直線２０Ｅがなす角度α２３は、角度α２１と同一となっている。
【０３７４】
また、延伸部２８の長さは、端部ｍ２１から端部ｍ２５までの仮想直線２０Ｅに沿った長さＬ２０の３０％〜５０％となっている。
【０３７５】
また、端部ｍ２１から接触点ｍ２４までの範囲において、曲線部分（つまり、曲線部２４と曲線部２６）の仮想直線２０Ｅ（つまり、ジッパー開封方向）に沿った長さ（長さＬ２２と長さＬ２３の和）が、直線部分（つまり、直線部２２と直線部２５）の仮想直線２０Ｅ（つまり、ジッパー開封方向）に沿った長さ（長さＬ２１と長さＬ２５の和）よりも長く、具体的には、曲線部分の仮想直線２０Ｅに沿った長さが、直線部分の仮想直線２０Ｅに沿った長さの２倍以上となっている。
【０３７６】
なお、１つの切れ目線Ｃ２において、切込み２０は同じ構成であり、隣接する切込み２０間の間隔は、原則として同一に形成され、少なくともジッパーＣが直線状に形成されている場合には、隣接する切込み２０間の間隔は、同一に形成されている。
【０３７７】
なお、切れ目線Ｃ１を第１切れ目線とした場合には、切れ目線Ｃ２が第２切れ目線となり、切込み１０が第１切込みとなり、切込み２０が第２切込みとなる。切れ目線Ｃ１を第２切れ目線とした場合には、切れ目線Ｃ２が第１切れ目線となり、切込み１０が第２切込みとなり、切込み２０が第１切込みとなる。
【０３７８】
なお、ジッパーＣが曲線状に形成される場合としては、図３６〜図３９に示すジッパーＣ’のように形成され、ジッパーＣ’は、切れ目線Ｃ１’と切れ目線Ｃ２’とを有し、切れ目線Ｃ１’は、複数の切込み１０を間隔を介して一列に曲線状に配設したもので、切込み１０は、切れ目線Ｃ１の切込み１０と同様に、直線部１２と曲線部１４と直線部１５と曲線部１６と延伸部１８とを有し（図３８参照）、延伸部１８が、ジッパー開封方向に沿って曲線状に形成されている以外は、切れ目線Ｃ１と略同様の構成である。
【０３７９】
すなわち、直線部１２は、端部（第１端部）ｍ１１が接触点（第１接触点）ｍ１２よりもジッパー開封方向において前側に位置するように、端部ｍ１１における仮想曲線１１Ｅの接線１５Ｅに対して傾斜している。直線部１２は、直線状に形成されている。直線部１２の接線１５Ｅに対する角度α１１は、４５度よりも小さい角度となっている。また、直線部１２は、ジッパー開封方向に沿った仮想直線１０Ｅ’に対して傾斜して形成され、直線部１２の仮想直線１０Ｅ’に対する角度α１１’は鋭角をなしている。この端部ｍ１１は、延伸部１８の前側への延長線上に位置している。つまり、端部ｍ１１と、延伸部１８における両端に位置する接触点（第４接触点）ｍ１４及び端部（第２端部）ｍ１５とは、ジッパー開封方向に沿った同一曲線上に位置している。
【０３８０】
なお、仮想直線１０Ｅ’は、ある切込み１０における端部ｍ１１と、ある切込み１０のジッパー開封方向における次の切込み１０における端部ｍ１１を結ぶ直線である。また、仮想曲線１１Ｅは、ジッパーＣ’の開封方向に形成され、直線部１２の前端である端部ｍ１１と延伸部１８の後端である端部ｍ１５を通る曲線である。
【０３８１】
なお、直線部１２は、端部ｍ１１と接触点ｍ１５を結ぶ直線に対して傾斜し、直線部１２の該直線に対する角度が４５度よりも小さいとしてもよい。
【０３８２】
また、曲線部１４は、直線部１２の端部から円弧状に形成され、曲線部１４と直線部１２との接触点ｍ１２における曲線部１４の接線は、直線部１２と重ねるようになっている。
【０３８３】
また、直線部（第２直線部、第２傾斜部としてもよい。他においても同じ）１５は、曲線部１４の後端から直線状に形成され、仮想直線１０Ｅ’に対して傾斜して形成され、直線部１５の後端が前端よりも仮想直線１０Ｅ’（仮想曲線１１Ｅとしてもよい）に近くなるように傾斜している。すなわち、直線部１５は、曲線部１４とは接触点（第２接触点）ｍ１３−１で接し、曲線部１６とは接触点（第３接触点）ｍ１３−２で接し、接触点ｍ１３−１は、ジッパー開封方向において、接触点ｍ１３−２よりも前側（Ｘ１側）にあり、接触点ｍ１３−２から仮想直線１０Ｅ’までの長さは、接触点ｍ１３−１から仮想直線１０Ｅ’までの長さよりも短くなっている。また、接触点ｍ１３−２から仮想曲線１１Ｅまでの長さは、接触点ｍ１３−１から仮想曲線１１Ｅまでの長さよりも短くなっている。
【０３８４】
なお、接触点ｍ１３−１における曲線部１４の接線は、直線部１５と重なっており、これにより、曲線部１４のカーブの方向から直線部１５の直線方向に滑らかに切り替わっている。
【０３８５】
なお、直線部１５は、端部ｍ１１と接触点ｍ１４を結ぶ直線に対して傾斜し、直線部１５の後端が前端よりも端部ｍ１１と接触点ｍ１４を結ぶ直線に近くなるように傾斜しているとしてもよい。
【０３８６】
また、曲線部１６は、曲線部１４の端部から円弧状に形成され、接触点ｍ１３−２における曲線部１６の接線は、直線部１５と重なっており、これにより、直線部１５の直線方向から曲線部１６のカーブの方向に滑らかに切り替わっている。
【０３８７】
また、接触点ｍ１４は、仮想曲線１１Ｅ上に位置し、接触点ｍ１４における曲線部１６の接線は、接触点ｍ１４における延伸部１８の接線と重なり、延伸部１８は仮想曲線１１Ｅの方向に形成されている。
【０３８８】
また、延伸部１８は、曲線部１６の端部からジッパー開封方向に沿った曲線状に形成されている。つまり、延伸部１８は、仮想曲線１１Ｅ上にある。
【０３８９】
図３８に示す構成においても、上記切込み１０において、直線部１２の延長線１２Ｅと直線部１５の延長線１６Ｅがなす角度（該延長線１２Ｅと該延長線１６Ｅがなす曲線部１４側の角度）α１２は、９０度より大きく形成され、例えば、１００〜１０５度に形成されている。
【０３９０】
また、延伸部１８の長さ（仮想曲線１１Ｅに沿った長さ）は、端部ｍ１１から端部ｍ１５までの仮想曲線１１Ｅに沿った長さＬ１０の３０％〜５０％となっている。また、延伸部１８の長さ（仮想直線１０Ｅ’に沿った長さ）は、端部ｍ１１から端部ｍ１５までの仮想直線１０Ｅ’に沿った長さＬ１０’の３０％〜５０％となっているとしてもよい。なお、仮想直線１０Ｅ’の代わりに、端部ｍ１１と接触点ｍ１５を結ぶ直線を仮想直線とし、延伸部１８の該直線に沿った長さが、端部ｍ１１から端部ｍ１５までの長さの３０％〜５０％であるとしてもよい。
【０３９１】
また、端部ｍ１１から接触点ｍ１４までの範囲において、曲線部分（つまり、曲線部１４と曲線部１６）の仮想曲線１１Ｅに沿った長さ（長さＬ１２と長さＬ１３の和）が、直線部分（つまり、直線部１２と直線部１５）の仮想曲線１１Ｅに沿った長さ（長さＬ１１と長さＬ１５の和）よりも長く、具体的には、曲線部分の仮想曲線１１Ｅ（つまり、ジッパー開封方向）に沿った長さが、直線部分の仮想曲線１１Ｅに沿った長さの２倍以上となっている。また、端部ｍ１１から接触点ｍ１４までの範囲において、曲線部分（つまり、曲線部１４と曲線部１６）の仮想直線１０Ｅ’に沿った長さ（長さＬ１２’と長さＬ１３’の和）が、直線部分（つまり、直線部１２と直線部１５）の仮想直線１０Ｅ’に沿った長さ（長さＬ１１’と長さＬ１５’の和）よりも長く、具体的には、曲線部分の仮想直線１０Ｅ’に沿った長さが、直線部分の仮想直線１０Ｅ’に沿った長さの２倍以上となっている。なお、仮想直線１０Ｅ’の代わりに、端部ｍ１１と接触点ｍ１５を結ぶ直線を仮想直線とし、曲線部分の該直線に沿った長さが、直線部分の該直線に沿った長さよりも長く、具体的には、２倍以上であるとしてもよい。
【０３９２】
なお、１つの切れ目線Ｃ１’において、切込み１０は同じ構成であり、隣接する切込み１０間の間隔は、原則として同一に形成されるが、ジッパーＣ’が曲線状に形成される際の該曲線状における曲率が変化する場合には、延伸部１８はジッパー開封方向に沿って形成されるので、延伸部１８の形状が異なることになる。
【０３９３】
また、切れ目線Ｃ２’は、複数の切込み２０を間隔を介して一列に曲線状に配設したもので、切込み２０は、切れ目線Ｃ２の切込み２０と同様に、直線部２２と曲線部２４と直線部２５と曲線部２６と延伸部２８とを有し（図３９参照）、延伸部２８が、ジッパー開封方向に沿って曲線状に形成されている以外は、切れ目線Ｃ２と略同様の構成である。
【０３９４】
すなわち、直線部２２は、端部（第１端部）ｍ２１が接触点（第１接触点）ｍ２２よりもジッパー開封方向において前側に位置するように、端部ｍ２１における仮想曲線２１Ｅの接線２５Ｅに対して傾斜している。直線部２２は、直線状に形成されている。直線部２２の接線２５Ｅに対する角度α２１は、４５度よりも小さい角度となっている。また、直線部２２は、ジッパー開封方向に沿った仮想直線２０Ｅ’に対して傾斜して形成され、直線部２２の仮想直線２０Ｅ’に対する角度α２１’は鋭角をなしている。この端部ｍ２１は、延伸部２８の前側への延長線上に位置している。つまり、端部ｍ２１と、延伸部２８における両端に位置する接触点（第４接触点）ｍ２４及び端部（第２端部）ｍ２５とは、ジッパー開封方向に沿った同一曲線上に位置している。
【０３９５】
なお、仮想直線２０Ｅ’は、ある切込み２０における端部ｍ２１と、ある切込み２０のジッパー開封方向における次の切込み２０における端部ｍ２１を結ぶ直線である。また、仮想曲線２１Ｅは、ジッパーＡ’の開封方向に形成され、直線部２２の前端である端部ｍ２１と延伸部２８の後端である端部ｍ２５を通る曲線である。
【０３９６】
なお、直線部２２は、端部ｍ２１と接触点ｍ２５を結ぶ直線に対して傾斜し、直線部２２の該直線に対する角度が４５度よりも小さいとしてもよい。
【０３９７】
また、曲線部２４は、直線部２２の端部から円弧状に形成され、曲線部２４と直線部２２との接触点ｍ２２における曲線部２４の接線は、直線部２２と重ねるようになっている。
【０３９８】
また、直線部（第２直線部、第２傾斜部としてもよい。他においても同じ）２５は、曲線部２４の後端から直線状に形成され、仮想直線２０Ｅ’に対して傾斜して形成され、直線部２５の後端が前端よりも仮想直線２０Ｅ’（仮想曲線２１Ｅとしてもよい）に近くなるように傾斜している。すなわち、直線部２５は、曲線部２４とは接触点（第２接触点）ｍ２３−１で接し、曲線部２６とは接触点（第３接触点）ｍ２３−２で接し、接触点ｍ２３−１は、ジッパー開封方向において、接触点ｍ２３−２よりも前側（Ｘ１側）にあり、接触点ｍ２３−２の仮想直線２０Ｅ’までの長さは、接触点ｍ２３−１の仮想直線２０Ｅ’までの長さよりも短くなっている。また、接触点ｍ２３−２から仮想曲線２１Ｅまでの長さは、接触点ｍ２３−１から仮想曲線２１Ｅまでの長さよりも短くなっている。
【０３９９】
なお、接触点ｍ２３−１における曲線部２４の接線は、直線部２５と重なっており、これにより、曲線部２４のカーブの方向から直線部２５の直線方向に滑らかに切り替わっている。
【０４００】
なお、直線部２５は、端部ｍ２１と接触点ｍ１４を結ぶ直線に対して傾斜し、直線部２５の後端が前端よりも端部ｍ２１と接触点ｍ２４を結ぶ直線に近くなるように傾斜しているとしてもよい。
【０４０１】
また、曲線部２６は、曲線部２４の端部から円弧状に形成され、接触点ｍ２３−２における曲線部２４の接線は、直線部２５と重なっており、これにより、直線部２５の直線方向から曲線部２６のカーブの方向に滑らかに切り替わっている。
【０４０２】
また、接触点ｍ２４は、仮想曲線２１Ｅ上に位置し、接触点ｍ２４における曲線部２６の接線は、接触点ｍ２４における延伸部２８の接線と重なり、延伸部２８も仮想曲線２１Ｅの方向に形成されている。
【０４０３】
また、延伸部２８は、曲線部２６の端部からジッパー開封方向に沿った曲線状に形成されている。つまり、延伸部２８は、仮想曲線２１Ｅ上にある。
【０４０４】
図３９に示す構成においても、上記切込み２０において、直線部２２の延長線２２Ｅと直線部２５の延長線２６Ｅがなす角度（該延長線２２Ｅと該延長線２６Ｅがなす曲線部２４側の角度）α２２は、９０度より大きく形成され、例えば、１００〜１０５度に形成されている。
【０４０５】
また、延伸部２８の長さ（仮想曲線２１Ｅに沿った長さ）は、端部ｍ２１から端部ｍ２５までの仮想曲線２１Ｅに沿った長さＬ２０の３０％〜５０％となっている。また、延伸部２８の長さ（仮想直線２０Ｅ’に沿った長さ）は、端部ｍ２１から端部ｍ２５までの仮想直線２０Ｅ’に沿った長さＬ２０’の３０％〜５０％となっているとしてもよい。なお、仮想直線２０Ｅ’の代わりに、端部ｍ２１と接触点ｍ２５を結ぶ直線を仮想直線とし、延伸部２８の該直線に沿った長さが、端部ｍ２１から端部ｍ２５までの長さの３０％〜５０％であるとしてもよい。
【０４０６】
また、端部ｍ２１から接触点ｍ２４までの範囲において、曲線部分（つまり、曲線部２４と曲線部２６）の仮想曲線２１Ｅに沿った長さ（長さＬ２２と長さＬ２３の和）が、直線部分（つまり、直線部２２と直線部２５）の仮想曲線２１Ｅに沿った長さ（長さＬ２１と長さＬ２５の和）よりも長く、具体的には、曲線部分の仮想曲線２１Ｅ（つまり、ジッパー開封方向）に沿った長さが、直線部分の仮想曲線２１Ｅに沿った長さの２倍以上となっている。また、端部ｍ２１から接触点ｍ２４までの範囲において、曲線部分（つまり、曲線部２４と曲線部２６）の仮想直線２０Ｅ’に沿った長さ（長さＬ２２’と長さＬ２３’の和）が、直線部分（つまり、直線部２２と直線部２５）の仮想直線２０Ｅ’に沿った長さ（長さＬ２１’と長さＬ２５’の和）よりも長く、具体的には、曲線部分の仮想直線２０Ｅ’に沿った長さが、直線部分の仮想直線２０Ｅ’に沿った長さの２倍以上となっている。なお、仮想直線２０Ｅ’の代わりに、端部ｍ２１と接触点ｍ２５を結ぶ直線を仮想直線とし、曲線部分の該直線に沿った長さが、直線部分の該直線に沿った長さよりも長く、具体的には、２倍以上であるとしてもよい。
【０４０７】
なお、１つの切れ目線Ｃ２’において、切込み２０は同じ構成であり、隣接する切込み２０間の間隔は、原則として同一に形成されるが、ジッパーＣ’が曲線状に形成される際の該曲線状における曲率が変化する場合には、延伸部２８はジッパー開封方向に沿って形成されるので、延伸部２８の形状が異なることになる。
【０４０８】
なお、切れ目線Ｃ１’を第１切れ目線とした場合には、切れ目線Ｃ２’が第２切れ目線となり、切込み１０が第１切込みとなり、切込み２０が第２切込みとなる。切れ目線Ｃ１’を第２切れ目線とした場合には、切れ目線Ｃ２’が第１切れ目線となり、切込み１０が第２切込みとなり、切込み２０が第１切込みとなる。
【０４０９】
ジッパーＣが曲線状に形成されている場合でも、複数の切込み１０と複数の切込み２０における互いに対応する切込み１０と切込み２０は、切込み１０の直線部１２と切込み２０の直線部２２間の長さがジッパー開封方向において後側に行くほど長くなる状態で互いに対向している。つまり、互いに対応する切込み１０と切込み２０においては、接触点ｍ１２が端部ｍ１１よりも外側にあるとともに接触点ｍ２２が端部ｍ２１よりも外側にある状態で切込み１０と切込み２０が互いに対向している。
【０４１０】
なお、ジッパーＡが曲線状に形成されている場合でも、一対の切込み１０と切込み２０は、基本的には、各対の切込みごとの中心線Ａｈ’を介してほほ線対称に形成されているが、少なくとも延伸部１８、２８はジッパー開封方向に沿って形成されているので、線対称とはならない。また、延伸部１８、２８の長さについても、延伸部１８の長さと延伸部２８の長さを同じにしてしまうと、切れ目線Ａ１’における隣接する切込み１０間の隙間の仮想曲線１１Ｅに沿った長さが、切れ目線Ａ２’における隣接する切込み２０間の隙間の仮想曲線２１Ｅに沿った長さよりも長くなってしまうので、その場合には、延伸部１８の長さを延伸部２８の長さよりも長くして、隣接する切込みとの隙間をなるべく等しくするのが好ましく、その場合にも、一対の切込み１０と切込み２０は線対称にはならない。
【０４１１】
また、切込みＡ３は、実施例１における切込みＡ３と同様であり、切込みＡ３は、切込み３２と切込み３４と切込み３６とを有し、切込み３２は、仮想直線１０Ｅ上にあり、切込み３４は、仮想直線２０Ｅ上にある。この切込みＡ３により囲まれた領域が、片部３０となる。
【０４１２】
なお、上記の説明において、曲線部１４、２４と曲線部１６、２６は、円弧状であるとしたが、円弧状ではなく、楕円弧状としてもよい。すなわち、曲線部１４、２４と曲線部１６、２６を円弧状とする代わりに楕円弧状としても、上記と同様の作用・効果を得られるので、楕円弧状としてもよい。また、曲線部１４は、接触点ｍ１２から直線部１２の方向に対する曲がり方向においてジッパー開封方向の側に曲がる曲がり方向にカーブした曲線状に形成されていれば円弧状や楕円弧状でなくてもよく、また、曲線部２４は、接触点ｍ２２から直線部２２の方向に対する曲がり方向においてジッパー開封方向の側に曲がる曲がり方向にカーブした曲線状に形成されていれば円弧状や楕円弧状でなくてもよく、曲線部１６は、接触点ｍ１３−２から曲線部１４の曲がり方向とは逆の曲がり方向にカーブした曲線状に形成されていれば円弧状や楕円弧状でなくてもよく、曲線部２６は、接触点ｍ２３−２から曲線部２４の曲がり方向とは逆の曲がり方向にカーブした曲線状に形成されていれば円弧状や楕円弧状でなくてもよい。
【０４１３】
ジッパーＣの使用に際しては、片部３０を起こして手でつかみ、Ｘ２方向（開封方向）に引っぱることにより、隣接する切込み１０間の隙間と隣接する切込み２０間の隙間が破れてジッパーＣが破断される。これにより、切れ目線Ｃ１と切れ目線Ｃ２で挟まれた帯状部がブランクから分離し、ブランクには帯状部を分離した後の隙間が形成される。ブランクには、この隙間の両側に切断面が形成される。
【０４１４】
このジッパーＣによる効果は、実施例１のジッパーＡの場合と同様である。すなわち、ジッパーＣにおいては、端部ｍ１１は、仮想直線１０Ｅ上に位置しており、また、延伸部１８は仮想直線１０Ｅ上にあるので、延伸部１８からの破断力が端部ｍ１１に伝わりやすい。また、延伸部１８の後端からの破断力の中心が外側を向いた場合でも、直線部１２や曲線部１４が設けられているので、破断力を受け止めることができる。よって、ジッパーＡをスムーズに破断することができる。また、直線部１２や曲線部１４により破断力を受け止めることにより剥離が起きにくいので、切断面の見栄えをよくすることもできる。なお、ブランクが薄い場合（例えば、Ｅフルート、Ｆフルート、Ｇフルート）の場合には、弱い力で切込み１０間のつなぎ目を破断することができるので、弱い力で破断した場合には、破断力の中心は内側に向きにくく、破断力の中心が内側に向いた場合でも、弱い力で破断した場合には、大きく内側に向かうことがないので、端部ｍ１１で破断力を受け止めることができる。また、破断力の中心が外側に向かう場合でも、弱い力で破断した場合には、大きく外側に向かうことがないので、曲線部１４の頂点と仮想直線１０Ｅ間の長さが短い場合でも、破断力を直線部１２や曲線部１４で受け止めることができ、よって、ジッパーＣをスムーズに破断することができる。同様に、端部ｍ２１は、仮想直線２０Ｅ上に位置しており、また、延伸部２８は仮想直線２０Ｅ上にあるので、延伸部２８からの破断力が端部ｍ２１に伝わりやすく、また、延伸部２８の後端からの破断力の中心が外側を向いた場合でも、直線部２２や曲線部２４が設けられているので、破断力を受け止めることができ、よって、切れ目線ジッパーＣをスムーズに破断することができる。また、直線部１２や曲線部１４により破断力を受け止めることにより剥離が起きにくいので、切断面の見栄えをよくすることもできる。
【０４１５】
なお、ジッパー開封方向が曲線状の場合でも、端部ｍ１１は、仮想曲線１１Ｅ上に位置しており、また、延伸部１８は仮想曲線１１Ｅ上にあるので、延伸部１８からの破断力が端部ｍ１１に伝わりやすく、また、延伸部１８の後端からの破断力の中心が外側を向いた場合でも、直線部１２や曲線部１４が設けられているので、破断力を受け止めることができ、よって、ジッパーＣ’をスムーズに破断することができ、切断面の見栄えをよくすることができる。同様に、端部ｍ２１は、仮想曲線２１Ｅ上に位置しており、また、延伸部２８は仮想曲線２１Ｅ上にあるので、延伸部２８からの破断力が端部ｍ２１に伝わりやすく、また、延伸部２８の後端からの破断力の中心が外側を向いた場合でも、直線部２２や曲線部２４が設けられているので、破断力を受け止めることができ、よって、ジッパーＣ’をスムーズに破断することができ、切断面の見栄えをよくすることができる。
【０４１６】
以上のように、ジッパーＣ、Ｃ’は、ブランクの厚みが薄い場合に、特に適しているといえる（後述の切れ目線Ｄ１、Ｄ２も同じ）。
【０４１７】
また、ジッパーＣにおいては、端部ｍ１１は、仮想直線１０Ｅ上に位置しており、また、延伸部１８は仮想直線１０Ｅ上にあり、延伸部１８からの破断力が端部ｍ１１に伝わりやすく、また、切込み１０においては、直線部１２と曲線部１４と直線部１５と曲線部１６により突状に形成されているので、切断面の見栄えをよくすることができる。同様に、ジッパーＣにおいては、端部ｍ２１は、仮想直線２０Ｅ上に位置しており、また、延伸部２８は仮想直線２０Ｅ上にあり、延伸部２８からの破断力が端部ｍ２１に伝わりやすく、また、切込み２０においては、直線部２２と曲線部２４と曲線部２６により突状に形成されているので、切断面の見栄えをよくすることができる。
【０４１８】
つまり、ジッパーＣを破断した際に、切断面に特許文献２におけるような突状部Ｔ１、Ｔ２（図４７参照）が形成されることがなく、また、仮に突状部Ｔ１、Ｔ２のような突状部が形成されたとしても極めて小さな突状部であることから、切断面の見栄えをよくすることができ、さらには、直線部１２、２２と曲線部１４、２４と直線部１５、２５と曲線部１６、２６からなる突状は、特に、曲線部１４、２４と曲線部１６、２６により円弧又は楕円弧を有した滑らかなカーブにより形成されているので、その点でも、切断面の見栄えをよくすることができる。
【０４１９】
なお、ジッパー開封方向が曲線状の場合でも、端部ｍ１１は、仮想曲線１１Ｅ上に位置しており、また、延伸部１８は仮想曲線１１Ｅ上にあり、延伸部１８からの破断力が端部ｍ１１に伝わりやすく、また、切込み１０においては、直線部１２と曲線部１４と曲線部１６により突状に形成されているので、切断面の見栄えをよくすることができる。同様に、端部ｍ２１は、仮想曲線２１Ｅ上に位置しており、また、延伸部２８は仮想曲線２１Ｅ上にあり、延伸部２８からの破断力が端部ｍ２１に伝わりやすく、また、切込み２０においては、直線部２２と曲線部２４と曲線部２６により突状に形成されているので、切断面の見栄えをよくすることができる。
【０４２０】
また、直線部１２が仮想直線１０Ｅとなす角度α１１が４５度より小さいので、１つ前の切込み１０からの破断力が直線部１２に伝わった際の衝撃が極めて小さく、また、角度α１２が９０度よりも大きいので、直線部１２からの破断力をスムーズに延伸部１８に伝えることができ、よって、ジッパーＣをスムーズに破断することができる。同様に、直線部２２が仮想直線２０Ｅとなす角度α２１が４５度より小さく、また、角度α２２が９０度よりも大きいので、ジッパーＣをスムーズに破断することができる。
【０４２１】
なお、ジッパー開封方向が曲線状の場合でも、直線部１２の端部ｍ１１における仮想曲線１１Ｅの接線１５Ｅに対する角度α１１は、４５度よりも小さく、また、角度α１２が９０度よりも大きいので、ジッパーＣ’をスムーズに破断することができる。同様に、直線部２２の端部ｍ２１における仮想曲線２１Ｅの接線２５Ｅに対する角度α２１は、４５度よりも小さい角度となっていて、また、角度α２２が９０度よりも大きいので、ジッパーＣ’をスムーズに破断することができる。
【０４２２】
また、延伸部１８の長さが、長さＬ１０の３０％以上であることにより、延伸部１８の後端（つまり、端部ｍ１５）から破断力を次の切込み１０の直線部１２の前端（つまり、端部ｍ１１）に伝えやすくなり、また、延伸部１８の長さが、長さＬ１０の５０％以下であることにより、直線部１２の仮想直線１０Ｅに対する角度α１１を４５度よりも小さくしつつ、曲線部１４の頂点から仮想直線１０Ｅまでの長さＬ１５や直線部１２の長さを剥離が起きない程度に長く確保することができる。なお、剥離が生じないと、切断面の見栄えが悪くなることがなく、また、ジッパーをスムーズに破断することができる。同様に、延伸部２８の長さが、長さＬ２０の３０％以上であることにより、延伸部２８の後端（つまり、端部ｍ２５）から破断力を次の切込み２０の直線部２２の前端（つまり、端部ｍ２１）に伝えやすくなり、また、延伸部２８の長さが、長さＬ２０の５０％以下であることにより、直線部２２の仮想直線２０Ｅに対する角度α２１を４５度よりも小さくしつつ、曲線部２４の頂点から仮想直線２０Ｅまでの長さＬ２５や直線部２２の長さを剥離が起きない程度に長く確保することができる。
【０４２３】
なお、ジッパー開封方向が曲線状の場合でも、延伸部１８の長さは、仮想曲線１１Ｅに沿った長さＬ１０の３０％以上であるので、延伸部１８の後端から破断力を次の切込み１０の直線部１２の前端に伝えやすく、また、延伸部１８の長さは、仮想曲線１１Ｅに沿った長さＬ１０の５０％以下であるので、直線部１２の接線１５Ｅに対する角度α１１を４５度よりも小さくしつつ、曲線部１４の頂点から仮想曲線１１Ｅまでの長さや直線部１２の長さを剥離が起きない程度に長く確保することができる。なお、剥離が生じないと、切断面の見栄えが悪くなることがなく、また、ジッパーをスムーズに破断することができる。同様に、延伸部２８の長さ（仮想曲線２１Ｅに沿った長さ）は、仮想曲線２１Ｅに沿った長さＬ２０の３０％以上であるので、延伸部２８の後端から破断力を次の切込み２０の直線部２２の前端に伝えやすく、また、延伸部２８の長さは、仮想曲線２１Ｅに沿った長さＬ２０の５０％以下であるので、直線部２２の接線２５Ｅに対する角度α２１を４５度よりも小さくしつつ、曲線部２４の頂点から仮想曲線２１Ｅまでの長さや直線部２２の長さを剥離が起きない程度に長く確保することができる。
【０４２４】
また、端部ｍ１１から接触点ｍ１４までの範囲において、曲線部分のジッパー開封方向に沿った長さが、直線部分のジッパー開封方向に沿った長さよりも長い（具体的には、曲線部分の開封方向に沿った長さが直線部分の開封方向に沿った長さの２倍以上となっている）ので、切込み１０における凹凸を目立たなくすることにより、切断面の見栄えをよくすることができ、また、破断力を延伸部１８にスムーズに伝えることにより、ジッパーをスムーズに破断できる。同様に、端部ｍ２１から接触点ｍ２４までの範囲において、曲線部分のジッパー開封方向に沿った長さが、直線部分のジッパー開封方向に沿った長さよりも長い（具体的には、曲線部分のジッパー開封方向に沿った長さが直線部分の開封方向に沿った長さの２倍以上となっている）ので、切込み２０における凹凸を目立たなくすることにより、切断面の見栄えをよくすることができ、また、破断力を延伸部２８にスムーズに伝えることにより、ジッパーをスムーズに破断できる。
【０４２５】
なお、ジッパー開封方向が曲線状の場合でも、また、端部ｍ１１から接触点ｍ１４までの範囲において、曲線部分の仮想曲線１１Ｅに沿った長さが、直線部分の仮想曲線１１Ｅに沿った長さよりも長い（具体的には、曲線部分の仮想曲線１１Ｅ（つまり、ジッパー開封方向）に沿った長さが、直線部分の仮想曲線１１Ｅに沿った長さの２倍以上となっている（曲線部分の仮想直線１０Ｅ’に沿った長さが、直線部分の仮想直線１０Ｅ’に沿った長さよりも長い（具体的には、曲線部分の仮想直線１０Ｅ’に沿った長さが、直線部分の仮想直線１０Ｅ’に沿った長さの２倍以上となっているとしてもよい）））ので、切込み１０における凹凸を目立たなくすることにより、切断面の見栄えをよくすることができ、また、破断力を延伸部１８にスムーズに伝えることにより、ジッパーをスムーズに破断できる。同様に、端部ｍ２１から接触点ｍ２４までの範囲において、曲線部分の仮想曲線２１Ｅに沿った長さが、直線部分の仮想曲線２１Ｅに沿った長さよりも長い（具体的には、曲線部分の仮想曲線２１Ｅに沿った長さが、直線部分の仮想曲線２１Ｅに沿った長さの２倍以上となっている（曲線部分の仮想直線２０Ｅ’に沿った長さが、直線部分の仮想直線２０Ｅ’に沿った長さよりも長い（具体的には、曲線部分の仮想直線２０Ｅ’に沿った長さが、直線部分の仮想直線２０Ｅ’に沿った長さの２倍以上となっているとしてもよい）））ので、切込み２０における凹凸を目立たなくすることにより、切断面の見栄えをよくすることができ、また、破断力を延伸部１８にスムーズに伝えることにより、ジッパーをスムーズに破断できる。
【０４２６】
また、切込み１０、２０を構成する各部の境界においては、上記のように切込みの方向が滑らかに切り替わるように形成されているので、ジッパーＣをスムーズに破断することができる。
【０４２７】
また、直線部１２と曲線部１４と直線部１５と曲線部１６からなる構成部１１と直線部２２と曲線部２４と直線部２５と曲線部２６からなる構成部２１が設けられているので、ジッパーＣが形成されたブランクに対して、ブランクの面に対して垂直方向に力が加わった場合に、切れ目線Ｃ１、Ｃ２の破断を小さくすることができる。
【０４２８】
つまり、切れ目線Ｃ１と切れ目線Ｃ２間の帯状部の領域が押された場合には、構成部１１と構成部２１間の長さが押された領域から離れるに従い短くなる範囲により帯状部が沈み込むのを規制でき、隙間の破断や破断の連鎖を防止することができる。
【０４２９】
なお、ジッパー開封方向が曲線状の場合でも、帯状部（切れ目線Ｃ１’と切れ目線Ｃ２’間の帯状部）の領域が押された場合には、構成部１１、２１間の長さが押された領域から離れるに従い短くなる範囲により帯状部が沈み込むのを規制でき、隙間の破断や破断の連鎖を防止することができる。
【０４３０】
また、帯状部４０の外側の領域が押された場合でも、押された領域を通る仮想直線でジッパー開封方向に沿った仮想直線と構成部１１、２１間の長さが該領域から離れるに従って短くなる範囲においては、該外側の領域が沈み込むのを規制できるので、隙間の破断や破断の連鎖を防止することができる。
【０４３１】
なお、ジッパー開封方向が曲線状の場合でも、構成部１１、２１における範囲で、押された領域を通る仮想曲線でジッパー開封方向に沿った仮想曲線（仮想曲線１１Ｅ、２１Ｅと平行な仮想曲線）と構成部１１、２１間の長さが該領域から離れるに従って短くなる範囲においては、該外側の領域が沈み込むのを規制できるので、隙間の破断や破断の連鎖を防止することができる。
【実施例４】
【０４３２】
次に、本発明に基づく紙製箱用切断構造としての切れ目線Ｄ１は、図４０に示すように構成され、複数の切込み１０を間隔を介して一列に直線状に配設したもので、切れ目線Ｄ１は、実施例３における切れ目線Ｃ１と同一の構成であり（図４０に示す切れ目線Ｄ１は、実施例３の図３１〜図３３に示す切れ目線Ｃ１と同一の構成である）、複数の切込み１０を間隔を介して一列に配設したものであり、切込み１０は、実施例３における切込み１０と同一の構成であるので、詳しい説明を省略する。つまり、切込み１０は、直線部１２と、曲線部１４と、直線部１５と、曲線部１６と、延伸部１８とを有している。
【０４３３】
切れ目線Ｄ１の使用に際しては、切れ目線開封方向（「切れ目線破断方向」としてもよい）は、図４０におけるＸ１側からＸ２側への方向であり、Ｘ１側が切れ目線開封方向において前側であり、Ｘ２側が切れ目線開封方向において後側である。本実施例の切れ目線開封方向と実施例３のジッパー開封方向は同じ方向であり、実施例１のジッパー開封方向の代わりに、切れ目線開封方向となっている。なお、図４０は、切れ目線開封方向が直線状である場合（切れ目線が直線状に形成されている場合、切れ目線の形成方向が直線状の場合としてもよい）を示している。
【０４３４】
なお、切れ目線Ｄ１の開封方向が直線状の場合（切れ目線Ｄ１が直線状に形成されている場合）には、切れ目線Ｄ１は、実施例１における切れ目線Ｃ１と同様の構成であり、切れ目線Ｄ１の開封方向が曲線状の場合（切れ目線Ｄ１が曲線状に形成されている場合）（つまり、図４０における切込み１０を曲線状に配設した場合）には、切れ目線Ｄ１は、実施例３における切れ目線Ｃ１’と同様の構成となっている。
【０４３５】
また、本発明に基づく紙製箱用切断構造としての切れ目線Ｄ２は、図４１に示すように構成され、複数の切込み２０を間隔を介して一列に直線状に配設したもので、切れ目線Ｄ２は、実施例３における切れ目線Ｃ２と同一の構成であり（図４１に示す切れ目線Ｄ２は、実施例３の図３１、図３２、図３５に示す切れ目線Ｃ２と同一の構成である）、複数の切込み２０を間隔を介して一列に配設したものであり、切込み２０は、実施例３における切込み２０と同一の構成であるので、詳しい説明を省略する。つまり、切込み２０は、直線部２２と、曲線部２４と、直線部２５と、曲線部２６と、延伸部２８とを有している。
【０４３６】
切れ目線Ｄ２の使用に際しては、切れ目線開封方向（「切れ目線破断方向」としてもよい）は、図４１におけるＸ２側からＸ１側への方向であり、Ｘ２側が切れ目線開封方向において前側であり、Ｘ１側が切れ目線開封方向において後側である。本実施例の切れ目線開封方向と実施例３のジッパー開封方向は同じ方向であり、実施例１のジッパー開封方向の代わりに、切れ目線開封方向となっている。なお、図４１は、切れ目線開封方向が直線状である場合（切れ目線が直線状に形成されている場合、切れ目線の形成方向が直線状の場合としてもよい）を示している。
【０４３７】
なお、切れ目線Ｄ２の開封方向が直線状の場合（切れ目線Ｄ２が直線状に形成されている場合）には、切れ目線Ｄ２は、実施例３における切れ目線Ｃ２と同様の構成であり、切れ目線Ｄ２の開封方向が曲線状の場合（切れ目線Ｄ２が曲線状に形成されている場合）（つまり、図４１における切込み２０を曲線状に配設した場合）には、切れ目線Ｄ２は、実施例３における切れ目線Ｃ２’と同様の構成となっている。
【０４３８】
ここで、切れ目線Ｄ１や切れ目線Ｄ２の場合には、実施例３と同様の効果を得ることができる。
【０４３９】
つまり、切れ目線Ｄ１においては、端部ｍ１１は、仮想直線１０Ｅ上に位置しており、また、延伸部１８は仮想直線１０Ｅ上にあるので、延伸部１８からの破断力が端部ｍ１１に伝わりやすく、また、延伸部１８の後端からの破断力の中心が外側を向いた場合でも、直線部１２や曲線部１４が設けられているので、破断力を受け止めることができ、切目線Ｄ１をスムーズに破断することができ、切断面の見栄えをよくすることができる。同様に、切れ目線Ｄ２においては、端部ｍ２１は、仮想直線２０Ｅ上に位置しており、また、延伸部２８は仮想直線２０Ｅ上にあるので、延伸部２８からの破断力が端部ｍ２１に伝わりやすく、また、延伸部２８の後端からの破断力の中心が外側を向いた場合でも、直線部２２や曲線部２４が設けられているので、破断力を受け止めることができ、よって、切れ目線Ｄ２をスムーズに破断することができ、切断面の見栄えをよくすることができる。
【０４４０】
なお、切れ目線開封方向が曲線状の場合でも、端部ｍ１１は、仮想曲線１１Ｅ上に位置しており、また、延伸部１８は仮想曲線１１Ｅ上にあるので、延伸部１８からの破断力が端部ｍ１１に伝わりやすく、また、延伸部１８の後端からの破断力の中心が外側を向いた場合でも、直線部１２や曲線部１４が設けられているので、破断力を受け止めることができ、よって、切れ目線をスムーズに破断することができ、切断面の見栄えをよくすることができる。同様に、端部ｍ２１は、仮想曲線２１Ｅ上に位置しており、また、延伸部２８は仮想曲線２１Ｅ上にあるので、延伸部２８からの破断力が端部ｍ２１に伝わりやすく、また、延伸部２８の後端からの破断力の中心が外側を向いた場合でも、直線部２２や曲線部２４が設けられているので、破断力を受け止めることができ、よって、切れ目線をスムーズに破断することができ、切断面の見栄えをよくすることができる。
【０４４１】
また、切れ目線Ｄ１においては、端部ｍ１１は、仮想直線１０Ｅ上に位置しており、また、延伸部１８は仮想直線１０Ｅ上にあり、延伸部１８からの破断力が端部ｍ１１に伝わりやすく、また、切込み１０においては、直線部１２と曲線部１４と直線部１５と曲線部１６により突状に形成されているので、切断面の見栄えをよくすることができる。同様に、切れ目線Ｄ２においては、端部ｍ２１は、仮想直線２０Ｅ上に位置しており、また、延伸部２８は仮想直線２０Ｅ上にあり、延伸部２８からの破断力が端部ｍ２１に伝わりやすく、また、切込み２０においては、直線部２２と曲線部２４と直線部２５と曲線部２６により突状に形成されているので、切断面の見栄えをよくすることができる。
【０４４２】
なお、切れ目線開封方向が曲線状の場合でも、端部ｍ１１は、仮想曲線１１Ｅ上に位置しており、また、延伸部１８は仮想曲線１１Ｅ上にあり、延伸部１８からの破断力が端部ｍ１１に伝わりやすく、また、切込み１０においては、直線部１２と曲線部１４と直線部１５と曲線部１６により突状に形成されているので、切断面の見栄えをよくすることができる。同様に、端部ｍ２１は、仮想曲線２１Ｅ上に位置しており、また、延伸部２８は仮想曲線２１Ｅ上にあり、延伸部２８からの破断力が端部ｍ２１に伝わりやすく、また、切込み２０においては、直線部２２と曲線部２４と直線部２５と曲線部２６により突状に形成されているので、切断面の見栄えをよくすることができる。
【０４４３】
また、切れ目線Ｄ１において、直線部１２が仮想直線１０Ｅとなす角度α１１が４５度より小さいので、１つ前の切込み１０からの破断力が直線部１２に伝わった際の衝撃が極めて小さく、また、角度α１２が９０度よりも大きいので、直線部１２からの破断力をスムーズに延伸部１８に伝えることができ、よって、切れ目線Ｄ１をスムーズに破断することができる。同様に、切れ目線Ｄ２において、直線部２２が仮想直線２０Ｅとなす角度α２１が４５度より小さいので、１つ前の切込み２０からの破断力が直線部２２に伝わった際の衝撃が極めて小さく、また、角度α２２が９０度よりも大きいので、直線部２２からの破断力をスムーズに延伸部２８に伝えることができ、よって、切れ目線Ｄ２をスムーズに破断することができる。
【０４４４】
なお、切れ目線開封方向が曲線状の場合でも、直線部１２の端部ｍ１１における仮想曲線１１Ｅの接線１５Ｅに対する角度α１１は、４５度よりも小さい角度となっていて、また、角度α１２が９０度よりも大きいので、直線部１２からの破断力をスムーズに延伸部１８に伝えることができ、よって、切れ目線をスムーズに破断することができる。同様に、直線部２２の端部ｍ２１における仮想曲線２１Ｅの接線２５Ｅに対する角度α２１は、４５度よりも小さい角度となっていて、また、角度α２２が９０度よりも大きいので、直線部２２からの破断力をスムーズに延伸部２８に伝えることができ、よって、切れ目線をスムーズに破断することができる。
【０４４５】
また、切れ目線Ｄ１において、延伸部１８の長さが、長さＬ１０の３０％以上であることにより、延伸部１８の後端（つまり、端部ｍ１５）から破断力を次の切込み１０の直線部１２の前端（つまり、端部ｍ１１）に伝えやすくなり、また、延伸部１８の長さが、長さＬ１０の５０％以下であることにより、直線部１２の仮想直線１０Ｅに対する角度α１１を４５度よりも小さくしつつ、曲線部１４の頂点から仮想直線１０Ｅまでの長さＬ１５や直線部１２の長さを剥離が起きない程度に長く確保することができる。なお、剥離が生じないと、切断面の見栄えが悪くなることがなく、また、ジッパーをスムーズに破断することができる。同様に、延伸部２８の長さが、長さＬ２０の３０％以上であることにより、延伸部２８の後端（つまり、端部ｍ２５）から破断力を次の切込み２０の直線部２２の前端（つまり、端部ｍ２１）に伝えやすくなり、また、延伸部２８の長さが、長さＬ２０の５０％以下であることにより、直線部２２の仮想直線２０Ｅに対する角度α２１を４５度よりも小さくしつつ、曲線部２４の頂点から仮想直線２０Ｅまでの長さＬ２５や直線部２２の長さを剥離が起きない程度に長く確保することができる。
【０４４６】
なお、切れ目線開封方向が曲線状の場合でも、延伸部１８の長さ（仮想曲線１１Ｅに沿った長さ）は、仮想曲線１１Ｅに沿った長さＬ１０の３０％以上である（延伸部１８の長さ（「仮想直線１０Ｅ’に沿った長さ）は、仮想直線１０Ｅ’に沿った長さＬ１０’の３０％以上であり」としてもよい）ので、延伸部１８の後端から破断力を次の切込み１０の直線部１２の前端に伝えやすく、また、延伸部１８の長さ（仮想曲線１１Ｅに沿った長さ）は、仮想曲線１１Ｅに沿った長さＬ１０の５０％以下である（延伸部１８の長さ（「仮想直線１０Ｅ’に沿った長さ）は、仮想直線１０Ｅ’に沿った長さＬ１０’の５０％以下であり」としてもよい）ので、直線部１２の接線１５Ｅに対する角度α１１を４５度よりも小さくしつつ、曲線部１４の頂点から仮想曲線１１Ｅまでの長さや直線部１２の長さを剥離が起きない程度に長く確保することができる。同様に、延伸部２８の長さ（仮想曲線２１Ｅに沿った長さ）は、仮想曲線２１Ｅに沿った長さＬ２０の３０％以上である（延伸部２８の長さ（「仮想直線２０Ｅ’に沿った長さ）は、仮想直線２０Ｅ’に沿った長さＬ２０’の３０％以上であり」としてもよい）ので、延伸部２８の後端から破断力を次の切込み２０の直線部２２の前端に伝えやすく、また、延伸部２８の長さ（仮想曲線２１Ｅに沿った長さ）は、仮想曲線２１Ｅに沿った長さＬ２０の５０％以下である（延伸部２８の長さ（「仮想直線２０Ｅ’に沿った長さ）は、仮想直線２０Ｅ’に沿った長さＬ２０’の５０％以下であり」としてもよい）ので、直線部２２の接線２５Ｅに対する角度α２１を４５度よりも小さくしつつ、曲線部２４の頂点から仮想曲線２１Ｅまでの長さや直線部２２の長さを剥離が起きない程度に長く確保することができる。
【０４４７】
また、端部ｍ１１から接触点ｍ１４までの範囲において、曲線部分のジッパー開封方向に沿った長さが、直線部分のジッパー開封方向に沿った長さよりも長い（具体的には、曲線部分の開封方向に沿った長さが直線部分の開封方向に沿った長さの２倍以上となっている）ので、切込み１０における凹凸を目立たなくすることにより、切断面の見栄えをよくすることができ、また、破断力を延伸部１８にスムーズに伝えることにより、切れ目線をスムーズに破断できる。同様に、端部ｍ２１から接触点ｍ２４までの範囲において、曲線部分のジッパー開封方向に沿った長さが、直線部分のジッパー開封方向に沿った長さよりも長い（具体的には、曲線部分のジッパー開封方向に沿った長さが直線部分の開封方向に沿った長さの２倍以上となっている）ので、切込み２０における凹凸を目立たなくすることにより、切断面の見栄えをよくすることができ、また、破断力を延伸部２８にスムーズに伝えることにより、切れ目線をスムーズに破断できる。
【０４４８】
なお、切れ目線開封方向が曲線状の場合でも、また、端部ｍ１１から接触点ｍ１４までの範囲において、曲線部分（つまり、曲線部１４と曲線部１６）の仮想曲線１１Ｅに沿った長さ（長さＬ１２と長さＬ１３の和）が、直線部分（つまり、直線部１２と直線部１５）の仮想曲線１１Ｅに沿った長さよりも長い（具体的には、曲線部分の仮想曲線１１Ｅ（つまり、ジッパー開封方向）に沿った長さが、直線部分の仮想曲線１１Ｅに沿った長さの２倍以上となっている（曲線部分の仮想直線１０Ｅ’に沿った長さが、直線部分の仮想直線１０Ｅ’に沿った長さよりも長い（具体的には、曲線部分の仮想直線１０Ｅ’に沿った長さが、直線部分の仮想直線１０Ｅ’に沿った長さの２倍以上となっているとしてもよい）））ので、切込み１０における凹凸を目立たなくすることにより、切断面の見栄えをよくすることができ、また、破断力を延伸部１８にスムーズに伝えることにより、切れ目線をスムーズに破断できる。同様に、端部ｍ２１から接触点ｍ２４までの範囲において、曲線部分（つまり、曲線部２４と曲線部２６）の仮想曲線２１Ｅに沿った長さが、直線部分（つまり、直線部２２と直線部２５）の仮想曲線２１Ｅに沿った長さよりも長い（具体的には、曲線部分の仮想曲線２１Ｅ（つまり、ジッパー開封方向）に沿った長さが、直線部分の仮想曲線２１Ｅに沿った長さの２倍以上となっている（曲線部分の仮想直線２０Ｅ’に沿った長さが、直線部分の仮想直線２０Ｅ’に沿った長さよりも長い（具体的には、曲線部分の仮想直線２０Ｅ’に沿った長さが、直線部分の仮想直線２０Ｅ’に沿った長さの２倍以上となっているとしてもよい）））、切込み２０における凹凸を目立たなくすることにより、切断面の見栄えをよくすることができ、また、破断力を延伸部１８にスムーズに伝えることにより、切れ目線をスムーズに破断できる。
【０４４９】
また、切込み１０には、直線部１２と直線部１５と曲線部１４と曲線部１６からなる構成部１１が設けられ、切込み２０には、直線部２２と曲線部２４と直線部２５と曲線部２６からなる構成部２１が設けられているので、切れ目線Ｄ１又は切れ目線Ｄ２が形成されたブランクに対して、ブランクの面に対して垂直方向に力が加わった場合に  つまり、切れ目線Ｄ１、Ｄ２の破断を小さくすることができる。
【０４５０】
つまり、押された領域を通る仮想直線で切れ目線開封方向に沿った仮想直線（又は仮想曲線）と構成部１１、２１間の長さが該領域から離れるに従って短くなる範囲においては、押された領域の側の領域が沈み込むのを規制できるので、隙間の破断や破断の連鎖を防止することができる。
【０４５１】
なお、図面において、図３〜図５、図８、図９、図１２、図１３、図３３〜図３５、図３８、図３９においては、端部や接触点の位置を明確にするために、端部や接触点の位置に黒丸を付して表しているが、実際には、黒丸に対応するものが設けられているわけではない。また、上記の各実施例の説明において、「接触点」については「接点」としてもよい。
【符号の説明】
【０４５２】
Ａ、Ａ’、Ｃ、Ｃ’  ジッパー
Ａ１、Ａ１’、Ａ２、Ａ２’、Ｂ１、Ｂ２、Ｃ１’、Ｃ２’、Ｄ１、Ｄ２、Ｋ５、Ｋ１０、Ｋ１１、Ｋ１２、Ｋ１３、Ｋ１４、Ｋ１５、Ｋ２０、Ｋ２２、Ｋ２４、Ｋ２４−１、Ｋ２４−２、Ｋ３０、Ｋ３２、Ｋ３４、Ｋ３４−１、Ｋ３４−２、Ｋ４０、Ｋ４１、Ｋ４２、Ｋ４３、Ｋ４４、Ｋ４５  切れ目線
１０、１０−０、１０−１、１０−２、１０−３、２０、２０−０、２０−１、２０−２、２０−３、３２、３４、３６  切込み
１２、１５、２２、２５  直線部
１４、１６、２４、２６  曲線部
１８、２８  延伸部
４０  帯状部
４２、４４、Ｒ１、Ｒ２、Ｒ３、Ｒ４  領域
５０  隙間
５２、５４  切断面
１０Ｅ、１０Ｅ’、２０Ｅ、２０Ｅ’  仮想直線
１１Ｅ、２１Ｅ  仮想曲線
１２Ｅ、１６Ｅ、２２Ｅ、２６Ｅ  延長線
１４Ｅ、１５Ｅ、２４Ｅ、２５Ｅ  接線
Ａｈ、Ａｈ’  中心線
ｍ１１、ｍ１５、ｍ２１、ｍ２５  端部
ｍ１２、ｍ１３、ｍ１３−１、ｍ１３−２、ｍ１４、ｍ２２、ｍ２３、ｍ２３−１、ｍ２３−２、ｍ２４  接触点
Ｐ、Ｑ  紙製箱
１０５  スリーブ状部
１５０  底面部
１９２  蓋部
１９４  差込み片部
２０５  スリーブ状部
２１０  正面部
２１２  下正面部
２１５  上正面部
２２０  右側面部
２２２  下右側面部
２２５  上右側面部
２２６、２３６  正面側領域
２２７、２３７  背面側領域
２３０  左側面部
２３２  下左側面部
２３５  上左側面部
２４０  背面部
２４２  下背面部
２４３  下背面部本体
２４４  押し部
２４５  上背面部
２４６  中央領域
２４７  右側領域
２４８  左側領域
３１０、３４０  蓋部
３２０、３３０  フラップ部
４００  底面部
Ａ−１  下側構成部
Ａ−２  上側構成部
【図１】
2018203325.tif 000003
【図２】
2018203325.tif 000004
【図３】
2018203325.tif 000005
【図４】
2018203325.tif 000006
【図５】
2018203325.tif 000007
【図６】
2018203325.tif 000008
【図７】
2018203325.tif 000009
【図８】
2018203325.tif 000010
【図９】
2018203325.tif 000011
【図１０】
2018203325.tif 000012
【図１１】
2018203325.tif 000013
【図１２】
2018203325.tif 000014
【図１３】
2018203325.tif 000015
【図１４】
2018203325.tif 000016
【図１５】
2018203325.tif 000017
【図１６】
2018203325.tif 000018
【図１７】
2018203325.tif 000019
【図１８】
2018203325.tif 000020
【図１９】
2018203325.tif 000021
【図２０】
2018203325.tif 000022
【図２１】
2018203325.tif 000023
【図２２】
2018203325.tif 000024
【図２３】
2018203325.tif 000025
【図２４】
2018203325.tif 000026
【図２５】
2018203325.tif 000027
【図２６】
2018203325.tif 000028
【図２７】
2018203325.tif 000029
【図２８】
2018203325.tif 000030
【図２９】
2018203325.tif 000031
【図３０】
2018203325.tif 000032
【図３１】
2018203325.tif 000033
【図３２】
2018203325.tif 000034
【図３３】
2018203325.tif 000035
【図３４】
2018203325.tif 000036
【図３５】
2018203325.tif 000037
【図３６】
2018203325.tif 000038
【図３７】
2018203325.tif 000039
【図３８】
2018203325.tif 000040
【図３９】
2018203325.tif 000041
【図４０】
2018203325.tif 000042
【図４１】
2018203325.tif 000043
【図４２】
2018203325.tif 000044
【図４３】
2018203325.tif 000045
【図４４】
2018203325.tif 000046
【図４５】
2018203325.tif 000047
【図４６】
2018203325.tif 000048
【図４７】
2018203325.tif 000049